(57)【要約】  動画像の符号化／復号の複雑度を低減する。画像復号装置（３１）は、符号化ノードを、二分木分割及び三分木分割の少なくとも何れかにより階層的に分割するCN情報復号部（１０）を備え、CN情報復号部は、対象ノードの分割の仕方を、当該対象ノードよりも一世代上位のノードである直上位ノードの分割の仕方を参照して制限する。
2018110600.tif 000002
【特許請求の範囲】
【請求項１】
ピクチャを符号化ツリーユニット毎に復号する画像復号装置において、
上記符号化ツリーユニットの符号化ノードを、二分木分割及び三分木分割の少なくとも何れかにより階層的に分割する分割部を備え、
上記分割部は、対象ノードの分割の仕方を、当該対象ノードよりも一世代上位のノードである直上位ノードの分割の仕方を参照して制限する
ことを特徴とする画像復号装置。
【請求項２】
上記対象ノードが、上記直上位ノードに対する三分木分割により得られた３つのノードの１つである場合に、上記分割部は、上記対象ノードを、上記直上位ノードに対する三分木分割と同じ方向に分割することを制限する
ことを特徴とする請求項１に記載の画像復号装置。
【請求項３】
上記対象ノードが、上記直上位ノードに対する三分木分割により得られた３つのノードのうち中央のノードである場合に、上記分割部は、上記対象ノードを、上記直上位ノードに対する三分木分割と同じ方向に分割することを制限する
ことを特徴とする請求項２に記載の画像復号装置。
【請求項４】
上記対象ノードが、上記直上位ノードに対する二分木分割により得られた２つのノードの１つである場合に、上記分割部は、上記対象ノードを、上記直上位ノードに対する二分木分割と同じ方向に二分木分割することを制限する
ことを特徴とする請求項１に記載の画像復号装置。
【請求項５】
上記対象ノードが、上記直上位ノードに対する二分木分割により得られた２つのノードの１つである場合であって、当該２つのノードのうちの他のノードが、上記直上位ノードに対する二分木分割と同じ方向に二分木分割された場合に、上記分割部は、上記対象ノードを、上記直上位ノードに対する二分木分割と同じ方向に二分木分割することを制限する
ことを特徴とする請求項４に記載の画像復号装置。
【請求項６】
ピクチャを符号化ツリーユニット毎に復号する画像復号装置において、
上記符号化ツリーユニットの符号化ノードを階層的に分割する分割部を備え、
対象ノードが、アスペクト比が所定の値以上となるような矩形状である場合に、上記分割部は、当該対象ノードを、当該対象ノードの長手方向に沿って境界が生じる３分木分割にて分割することを制限する
ことを特徴とする画像復号装置。
【請求項７】
ピクチャを符号化ツリーユニット毎に復号する画像復号装置において、
上記符号化ツリーユニットの符号化ノードを、二分木分割及び三分木分割の少なくとも何れかにより階層的に分割する分割部を備え、
上記分割部は、対象ノードの分割を、二分木分割及び三分木分割に共通のデプス変数を参照して制限する
ことを特徴とする画像復号装置。
【請求項８】
ピクチャを符号化ツリーユニットに分割して符号化する画像符号化装置において、
上記符号化ツリーユニットの符号化ノードを、二分木分割及び三分木分割の少なくとも何れかにより階層的に分割する分割部を備え、
上記分割部は、対象ノードの分割の仕方を、当該対象ノードよりも一世代上位のノードである直上位ノードの分割の仕方を参照して制限する
ことを特徴とする画像符号化装置。
【請求項９】
ピクチャを符号化ツリーユニットに分割して符号化する画像符号化装置において、
上記符号化ツリーユニットの符号化ノードを階層的に分割する分割部を備え、
対象ノードが、アスペクト比が所定の値以上となるような矩形状である場合に、上記分割部は、当該対象ノードを、当該対象ノードの長手方向に沿って境界が生じる３分木分割にて分割することを制限する
ことを特徴とする画像符号化装置。
【請求項１０】
ピクチャを符号化ツリーユニットに分割して符号化する画像符号化装置において、
上記符号化ツリーユニットの符号化ノードを、二分木分割及び三分木分割の少なくとも何れかにより階層的に分割する分割部を備え、
上記分割部は、対象ノードの分割を、二分木分割及び三分木分割に共通のデプス変数を参照して制限する
ことを特徴とする画像符号化装置。
【請求項１１】
ピクチャを符号化ツリーユニット毎に復号する画像復号装置において、
上記符号化ツリーユニットの符号化ノードを分割する分割部を備え、
上記分割部は、第１のフラグ、第２のフラグ、第３のフラグを参照するものであり、
上記第１のフラグが、対象ノードを、第１の方向に１：１：１：１のノードに分割することによって４つのノードに分割する分割タイプと４分木分割とを含む第１の分割タイプ群での分割を行うことを示しており、かつ、
上記第２のフラグが、上記４つのノードに分割する分割タイプでの分割を行うことを示している場合に、
上記分割部は、上記第３のフラグが示す方向を上記第１の方向として、上記対象ノードを上記４つのノードに分割する
ことを特徴とする画像復号装置。
【発明の詳細な説明】
【技術分野】
【０００１】
本発明の実施形態は、予測画像生成装置、動画像復号装置、および動画像符号化装置に関する。
【背景技術】
【０００２】
動画像を効率的に伝送または記録するために、動画像を符号化することによって符号化データを生成する動画像符号化装置、および、当該符号化データを復号することによって復号画像を生成する動画像復号装置が用いられている。【０００３】
具体的な動画像符号化方式としては、例えば、H.264/AVCやHEVC（High-Efficiency Video Coding）にて提案されている方式などが挙げられる。【０００４】
このような動画像符号化方式においては、動画像を構成する画像（ピクチャ）は、画像を分割することにより得られるスライス、スライスを分割することにより得られる符号化単位（符号化ユニット（Coding Unit：CU）と呼ばれることもある）、及び、符号化単位を分割することより得られるブロックである予測ユニット（PU：Prediction Unit）、変換ユニット（TU：Transform Unit）からなる階層構造により管理され、CUごとに符号化／復号される。【０００５】
また、このような動画像符号化方式においては、通常、入力画像を符号化／復号することによって得られる局所復号画像に基づいて予測画像が生成され、当該予測画像を入力画像（原画像）から減算して得られる予測残差（「差分画像」または「残差画像」と呼ぶこともある）が符号化される。予測画像の生成方法としては、画面間予測（インター予測）、および、画面内予測（イントラ予測）が挙げられる。【０００６】
また、近年の動画像符号化及び復号の技術として非特許文献１及び２が挙げられる。
【先行技術文献】
【非特許文献】
【０００７】
【非特許文献１】"Algorithm Description of Joint Exploration Test Model 4", JVET-D1001, Joint Video Exploration Team (JVET) of ITU-T SG 16 WP 3 and ISO/IEC JTC 1/SC 29/WG 11, 15-21 October 2016
【非特許文献２】"Multi-Type-Tree", JVET-D0117, Joint Video Exploration Team (JVET) of ITU-T SG 16 WP 3 and ISO/IEC JTC 1/SC 29/WG 11, 15-21 October 2016
【発明の概要】
【発明が解決しようとする課題】
【０００８】
符号化ノード（CN：Coding Node）の分割方式として、非特許文献２では、QT（Quad Tree）分割に加えてBT（Binary Tree）分割およびTT（Triple Tree）分割が導入されたことにより、CUの分割パターンが増大し、符号化／復号が複雑となる。また、複雑な分割パターンを実現することは依然として容易ではなく、符号化効率の向上という側面からは更なる改善が求められている。【０００９】
そこで、本発明は、上記の課題に鑑みてなされたものであり、その目的は、動画像の符号化／復号の複雑度を低減することができる画像復号装置及び画像符号化装置を提供することにある。また、より少ない分割深度でより複雑な分割パターンを実現することができる画像復号装置及び画像符号化装置を提供することにある。
【課題を解決するための手段】
【００１０】
本発明の一態様に係る画像復号装置は、上記の課題を解決するために、ピクチャを符号化ツリーユニット毎に復号する画像復号装置において、上記符号化ツリーユニットの符号化ノードを、二分木分割及び三分木分割の少なくとも何れかにより階層的に分割する分割部を備え、上記分割部は、対象ノードの分割の仕方を、当該対象ノードよりも一世代上位のノードである直上位ノードの分割の仕方を参照して制限する。【００１１】
また、本発明の一態様に係る画像復号装置は、ピクチャを符号化ツリーユニット毎に復号する画像復号装置において、上記符号化ツリーユニットの符号化ノードを階層的に分割する分割部を備え、対象ノードが、アスペクト比が所定の値以上となるような矩形状である場合に、上記分割部は、当該対象ノードを、当該対象ノードの長手方向に沿って境界が生じる３分木分割にて分割することを制限する。【００１２】
また、本発明の一態様に係る画像復号装置は、ピクチャを符号化ツリーユニット毎に復号する画像復号装置において、上記符号化ツリーユニットの符号化ノードを、二分木分割及び三分木分割の少なくとも何れかにより階層的に分割する分割部を備え、上記分割部は、対象ノードの分割を、二分木分割及び三分木分割に共通のデプス変数を参照して制限する。【００１３】
また、本発明の一態様に係る画像符号化装置は、ピクチャを符号化ツリーユニットに分割して符号化する画像符号化装置において、上記符号化ツリーユニットの符号化ノードを、二分木分割及び三分木分割の少なくとも何れかにより階層的に分割する分割部を備え、上記分割部は、対象ノードの分割の仕方を、当該対象ノードよりも一世代上位のノードである直上位ノードの分割の仕方を参照して制限する。【００１４】
また、本発明の一態様に係る画像符号化装置は、ピクチャを符号化ツリーユニットに分割して符号化する画像符号化装置において、上記符号化ツリーユニットの符号化ノードを階層的に分割する分割部を備え、対象ノードが、アスペクト比が所定の値以上となるような矩形状である場合に、上記分割部は、当該対象ノードを、当該対象ノードの長手方向に沿って境界が生じる３分木分割にて分割することを制限する。【００１５】
また、本発明の一態様に係る画像符号化装置は、ピクチャを符号化ツリーユニットに分割して符号化する画像符号化装置において、上記符号化ツリーユニットの符号化ノードを、二分木分割及び三分木分割の少なくとも何れかにより階層的に分割する分割部を備え、上記分割部は、対象ノードの分割を、二分木分割及び三分木分割に共通のデプス変数を参照して制限する。【００１６】
また、本発明の一態様に係る画像符号化装置は、ピクチャを符号化ツリーユニット毎に復号する画像復号装置において、上記符号化ツリーユニットの符号化ノードを分割する分割部を備え、上記分割部は、第１のフラグ、第２のフラグ、第３のフラグを参照するものであり、上記第１のフラグが、対象ノードを、第１の方向に１：１：１：１のノードに分割することによって４つのノードに分割する分割タイプと４分木分割とを含む第１の分割タイプ群での分割を行うことを示しており、かつ、上記第２のフラグが、上記４つのノードに分割する分割タイプでの分割を行うことを示している場合に、上記分割部は、上記第３のフラグが示す方向を上記第１の方向として、上記対象ノードを上記４つのノードに分割する。
【発明の効果】
【００１７】
本発明の一態様によれば、動画像の符号化／復号の複雑度を低減することができる。また、より少ない分割深度でより複雑な分割パターンを実現することができる画像復号装置及び画像符号化装置を提供することができる。
【図面の簡単な説明】
【００１８】
【図１】本実施形態に係る符号化ストリームのデータの階層構造を示す図である。
【図２】PU分割モードのパターンを示す図である。（ａ）〜（ｈ）は、それぞれ、PU分割モードが、2Nx2N、2NxN、2NxnU、2NxnD、Nx2N、nLx2N、nRx2N、および、NxNの場合のパーティション形状について示している。
【図３】参照ピクチャおよび参照ピクチャリストの一例を示す概念図である。
【図４】本実施形態に係る画像符号化装置の構成を示すブロック図である。
【図５】本実施形態に係る画像復号装置の構成を示す概略図である。
【図６】本実施形態に係る画像符号化装置のインター予測画像生成部の構成を示す概略図である。
【図７】（ａ）から（ｆ）は、本実施形態に係る画像復号装置における符号化ノードの分割を示す図である。
【図８】本実施形態に係る画像復号装置が行う分木タイプのシグナリングを示す図である。
【図９】ブロックの分割過程によって同じ分割パターンが得られる例を示す図である。
【図１０】本実施形態に係る画像復号装置の構成を示すブロック図である。
【図１１】本実施形態に係る復号処理を説明するフローチャートである。
【図１２】本実施形態に係るQT情報のシンタックス表の構成例を示す図である。
【図１３】（ａ）から（ｆ）は、本実施形態に係る画像復号装置の分割パターンの一例を示す図である。
【図１４】（ａ）から（ｈ）は、本実施形態に係る画像復号装置の分割パターンの一例を示す図である。
【図１５】（ａ）から（ｄ）は、本実施形態に係る画像復号装置の分割パターンの一例を示す図である。
【図１６】本実施形態に係る復号処理を説明するフローチャートである。
【図１７】（ａ）および（ｂ）は、本実施形態に係る疑似コードの構成図である。
【図１８】（ａ）および（ｂ）は、本実施形態に係る疑似コードの構成図である。
【図１９】（ａ）および（ｂ）は、本実施形態に係る疑似コードの構成図である。
【図２０】本実施形態に係る疑似コードの構成図である。
【図２１】本実施形態に係る疑似コードの構成図である。
【図２２】本実施形態に係る疑似コードの構成図である。
【図２３】本実施形態に係る疑似コードの構成図である。
【図２４】本実施形態に係る疑似コードの構成図である。
【図２５】本実施形態に係る疑似コードの構成図である。
【図２６】本実施形態に係る疑似コードの構成図である。
【図２７】（ａ）から（ｃ）は、本実施形態に係る疑似コードの構成図である。
【図２８】本実施形態に係る疑似コードの構成図である。
【図２９】本実施形態に係る疑似コードの構成図である。
【図３０】本実施形態に係る疑似コードの構成図である。
【図３１】本実施形態に係る疑似コードの構成図である。
【図３２】本実施形態に係る疑似コードの構成図である。
【図３３】（ａ）および（ｂ）は、本実施形態に係る疑似コードの構成図である。
【図３４】（ａ）〜（ｄ）は、本実施形態に係る疑似コードの構成図である。
【図３５】（ａ）および（ｂ）は、本実施形態に係る疑似コードの構成図である。
【図３６】（ａ）〜（ｄ）は、本実施形態に係る疑似コードの構成図である。
【図３７】（ａ）および（ｂ）は、本実施形態に係る疑似コードの構成図である。
【図３８】（ａ）および（ｂ）は、本実施形態に係る疑似コードの構成図である。
【図３９】（ａ）および（ｂ）は、本実施形態に係る疑似コードの構成図である。
【図４０】ブロックの分割パターンを示す図である。
【図４１】（ａ）から（ｃ）は、本実施形態に係る画像復号装置の分割パターンの一例を示す図である。
【図４２】本実施形態に係る疑似コードの構成図である。
【図４３】本実施形態に係る疑似コードの構成図である。
【図４４】本実施形態に係る疑似コードの構成図である。
【図４５】（ａ）および（ｂ）は、本実施形態に係る疑似コードの構成図である。（ｃ）は、本実施形態に係るブロック分割を示す図である。
【図４６】（ａ）は、本実施形態に係る疑似コードの構成図である。（ｂ）は、本実施形態に係るブロック分割を示す図である。
【図４７】（ａ）から（ｌ）は、本実施形態に係る画像復号装置の分割パターンの一例を示す図である。
【図４８】本実施形態に係る疑似コードの構成図である。
【図４９】本実施形態に係る画像復号装置の分割パターンの一例を示す図である。
【図５０】本実施形態に係る復号処理を説明するフローチャートである。
【図５１】本実施形態に係る疑似コードの構成図である。
【図５２】本実施形態に係る疑似コードの構成図である。
【図５３】（ａ）から（ｇ）は、本実施形態に係る画像復号装置における符号化ノードの分割の他の例を示す図である。
【図５４】（ａ）から（ｄ）は、本実施形態に係る画像復号装置における符号化ノードの分割の更なる他の例を示す図である。
【図５５】本実施形態に係る復号処理を説明するフローチャートである。
【図５６】（ａ）および（ｂ）は、本実施形態に係る疑似コードの構成図である。
【図５７】本実施形態に係る復号処理を説明するフローチャートである。
【図５８】（ａ）から（ｃ）は、本実施形態に係る疑似コードの構成図である。
【図５９】本実施形態に係るフラグと符号化ノードの形状の例を示す図である。
【図６０】（ａ）から（ｃ）は、本実施形態に係る疑似コードの構成図である。
【図６１】本実施形態に係るフラグと符号化ノードの形状の例を示す図である。
【図６２】（ａ）から（ｃ）は、本実施形態に係る疑似コードの構成図である。
【図６３】本実施形態に係るフラグと符号化ノードの形状の例を示す図である。
【図６４】本実施形態に係る復号処理を説明するフローチャートである。
【図６５】（ａ）から（ｃ）は、本実施形態に係る疑似コードの構成図である。
【図６６】本実施形態に係るフラグと符号化ノードの形状の例を示す図である。
【図６７】本実施形態に係る復号処理を説明するフローチャートである。
【図６８】（ａ）から（ｃ）は、本実施形態に係る疑似コードの構成図である。
【図６９】本実施形態に係るフラグと符号化ノードの形状の例を示す図である。
【図７０】（ａ）から（ｃ）は、本実施形態に係る疑似コードの構成図である。
【図７１】本実施形態に係るフラグと符号化ノードの形状の例を示す図である。
【図７２】本実施形態に係る復号処理を説明するフローチャートである。
【図７３】（ａ）から（ｃ）は、本実施形態に係る疑似コードの構成図である。
【図７４】本実施形態に係るフラグと符号化ノードの形状の例を示す図である。
【図７５】本実施形態に係る画像符号化装置を搭載した送信装置、および、画像復号装置を搭載した受信装置の構成について示した図である。（ａ）は、画像符号化装置を搭載した送信装置を示しており、（ｂ）は、画像復号装置を搭載した受信装置を示している。
【図７６】本実施形態に係る画像符号化装置を搭載した記録装置、および、画像復号装置を搭載した再生装置の構成について示した図である。（ａ）は、画像符号化装置を搭載した記録装置を示しており、（ｂ）は、画像復号装置を搭載した再生装置を示している。
【図７７】本実施形態に係る画像伝送システムの構成を示す概略図である。
【発明を実施するための形態】
【００１９】
（第１の実施形態）
以下、図面を参照しながら本発明の実施形態について説明する。
【００２０】
図７７は、本実施形態に係る画像伝送システム１の構成を示す概略図である。
【００２１】
画像伝送システム１は、符号化対象画像を符号化した符号を伝送し、伝送された符号を復号し画像を表示するシステムである。画像伝送システム１は、画像符号化装置（動画像符号化装置）１１、ネットワーク２１、画像復号装置（動画像復号装置）３１及び画像表示装置４１を含んで構成される。
【００２２】
画像符号化装置１１には、単一レイヤもしくは複数レイヤの画像を示す画像Ｔが入力される。レイヤとは、ある時間を構成するピクチャが１つ以上ある場合に、複数のピクチャを区別するために用いられる概念である。たとえば、同一ピクチャを、画質や解像度の異なる複数のレイヤで符号化するとスケーラブル符号化になり、異なる視点のピクチャを複数のレイヤで符号化するとビュースケーラブル符号化となる。複数のレイヤのピクチャ間で予測（インターレイヤ予測、インタービュー予測）を行う場合には、符号化効率が大きく向上する。また予測を行わない場合（サイマルキャスト）の場合にも、符号化データをまとめることができる。
【００２３】
ネットワーク２１は、画像符号化装置１１が生成した符号化ストリームＴｅを画像復号装置３１に伝送する。ネットワーク２１は、インターネット（internet）、広域ネットワーク（WAN:Wide Area Network）、小規模ネットワーク（LAN:Local Area Network）またはこれらの組み合わせである。ネットワーク２１は、必ずしも双方向の通信網に限らず、地上デジタル放送、衛星放送等の放送波を伝送する一方向の通信網であっても良い。また、ネットワーク２１は、DVD（Digital Versatile Disc）、BD（Blue-ray Disc）等の符号化ストリームTeを記録した記憶媒体で代替されても良い。
【００２４】
画像復号装置３１は、ネットワーク２１が伝送した符号化ストリームTeのそれぞれを復号し、それぞれ復号した１または複数の復号画像Tdを生成する。
【００２５】
画像表示装置４１は、画像復号装置３１が生成した１または複数の復号画像Tdの全部または一部を表示する。画像表示装置４１は、例えば、液晶ディスプレイ、有機ＥＬ（Electro-luminescence）ディスプレイ等の表示デバイスを備える。また、空間スケーラブル符号化、ＳＮＲスケーラブル符号化では、画像復号装置３１が高い処理能力を有する場合には、画質の高い拡張レイヤ画像を表示する。画像復号装置３１がより低い処理能力しか有しない場合には、拡張レイヤほど高い処理能力、表示能力を必要としないベースレイヤ画像を表示する。
【００２６】
＜演算子＞
本明細書で用いる演算子を以下に記載する。
【００２７】
>>は右ビットシフト、<<は左ビットシフト、&はビットワイズAND、|はビットワイズOR、|=は別の条件との和演算（OR）である。
【００２８】
x ? y : zは、xが真（0以外）の場合にy、xが偽（0）の場合にzをとる３項演算子である。
【００２９】
Clip3（a, b, c） は、cをa以上b以下の値にクリップする関数であり、c<aの場合にはaを返し、c>bの場合にはbを返し、その他の場合にはcを返す関数である（ただし、a<=b）。
【００３０】
＜符号化ストリームTeの構造＞
本実施形態に係る画像符号化装置１１および画像復号装置３１の詳細な説明に先立って、画像符号化装置１１によって生成され、画像復号装置３１によって復号される符号化ストリームTeのデータ構造について説明する。
【００３１】
図１は、符号化ストリームTeにおけるデータの階層構造を示す図である。符号化ストリームTeは、例示的に、シーケンス、およびシーケンスを構成する複数のピクチャを含む。図１の（ａ）〜（ｆ）は、それぞれ、シーケンスSEQを既定する符号化ビデオシーケンス、ピクチャPICTを規定する符号化ピクチャ、スライスSを規定する符号化スライス、スライスデータを規定する符号化スライスデータ、符号化スライスデータに含まれる符号化ツリーユニット、符号化ツリーユニットに含まれる符号化ユニット（Coding Unit；CU）を示す図である。
【００３２】
（符号化ビデオシーケンス）
符号化ビデオシーケンスでは、処理対象のシーケンスSEQを復号するために画像復号装置３１が参照するデータの集合が規定されている。シーケンスSEQは、図１の（ａ）に示すように、ビデオパラメータセット（Video Parameter Set）、シーケンスパラメータセットSPS（Sequence Parameter Set）、ピクチャパラメータセットPPS（Picture Parameter Set）、ピクチャPICT、及び、付加拡張情報SEI（Supplemental Enhancement Information）を含んでいる。ここで＃の後に示される値はレイヤIDを示す。図１では、#0と#1すなわちレイヤ０とレイヤ１の符号化データが存在する例を示すが、レイヤの種類およびレイヤの数はこれによらない。
【００３３】
ビデオパラメータセットVPSは、複数のレイヤから構成されている動画像において、複数の動画像に共通する符号化パラメータの集合および動画像に含まれる複数のレイヤおよび個々のレイヤに関連する符号化パラメータの集合が規定されている。
【００３４】
シーケンスパラメータセットSPSでは、対象シーケンスを復号するために画像復号装置３１が参照する符号化パラメータの集合が規定されている。例えば、ピクチャの幅や高さが規定される。なお、SPSは複数存在してもよい。その場合、PPSから複数のSPSの何れかを選択する。
【００３５】
ピクチャパラメータセットPPSでは、対象シーケンス内の各ピクチャを復号するために画像復号装置３１が参照する符号化パラメータの集合が規定されている。例えば、ピクチャの復号に用いられる量子化幅の基準値（pic_init_qp_minus26）や重み付き予測の適用を示すフラグ（weighted_pred_flag）が含まれる。なお、PPSは複数存在してもよい。その場合、対象シーケンス内の各ピクチャから複数のPPSの何れかを選択する。
【００３６】
（符号化ピクチャ）
符号化ピクチャでは、処理対象のピクチャPICTを復号するために画像復号装置３１が参照するデータの集合が規定されている。ピクチャPICTは、図１の（ｂ）に示すように、スライスS0〜SNS-1を含んでいる（ＮＳはピクチャPICTに含まれるスライスの総数）。
【００３７】
なお、以下、スライスS0〜SNS-1のそれぞれを区別する必要が無い場合、符号の添え字を省略して記述することがある。また、以下に説明する符号化ストリームTeに含まれるデータであって、添え字を付している他のデータについても同様である。
【００３８】
（符号化スライス）
符号化スライスでは、処理対象のスライスSを復号するために画像復号装置３１が参照するデータの集合が規定されている。スライスSは、図１の（ｃ）に示すように、スライスヘッダSH、および、スライスデータSDATAを含んでいる。
【００３９】
スライスヘッダSHには、対象スライスの復号方法を決定するために画像復号装置３１が参照する符号化パラメータ群が含まれる。スライスタイプを指定するスライスタイプ指定情報（slice_type）は、スライスヘッダSHに含まれる符号化パラメータの一例である。
【００４０】
スライスタイプ指定情報により指定可能なスライスタイプとしては、（１）符号化の際にイントラ予測のみを用いるＩスライス、（２）符号化の際に単方向予測、または、イントラ予測を用いるＰスライス、（３）符号化の際に単方向予測、双方向予測、または、イントラ予測を用いるＢスライスなどが挙げられる。
【００４１】
なお、スライスヘッダSHには、上記符号化ビデオシーケンスに含まれる、ピクチャパラメータセットPPSへの参照（pic_parameter_set_id）を含んでいても良い。
【００４２】
（符号化スライスデータ）
符号化スライスデータでは、処理対象のスライスデータSDATAを復号するために画像復号装置３１が参照するデータの集合が規定されている。スライスデータSDATAは、図１の（ｄ）に示すように、符号化ツリーユニット（CTU:Coding Tree Unit）を含んでいる。CTUは、スライスを構成する固定サイズ（例えば64x64）のブロックであり、最大符号化単位（LCU:Largest Coding Unit）と呼ぶこともある。
【００４３】
（符号化ツリーユニット）
図１の（ｅ）に示すように、処理対象の符号化ツリーユニットを復号するために画像復号装置３１が参照するデータの集合が規定されている。符号化ツリーユニットは、再帰的な４分木分割により分割される。再帰的な４分木分割により得られる木構造のノードのことを符号化ノード（CN:Coding Node）と称する。４分木の中間ノードは、符号化ノードであり、符号化ツリーユニット自身も最上位の符号化ノードとして規定される。CTUは、分割フラグ（cu_split_flag）を含み、cu_split_flagが１の場合には、４つの符号化ノードCNに分割される。cu_split_flagが０の場合には、符号化ノードCNは分割されず、１つの符号化ユニット（CU:Coding Unit）をノードとして持つ。符号化ユニットCUは符号化ノードの末端ノードであり、これ以上分割されない。符号化ユニットCUは、符号化処理の基本的な単位となる。
【００４４】
また、符号化ツリーユニットCTUのサイズが64x64画素の場合には、符号化ユニットのサイズは、64x64画素、32x32画素、16x16画素、および、8x8画素の何れかをとり得る。
【００４５】
（符号化ユニット）
図１の（ｆ）に示すように、処理対象の符号化ユニットを復号するために画像復号装置３１が参照するデータの集合が規定されている。具体的には、符号化ユニットは、予測ツリー、変換ツリー、CUヘッダCUHから構成される。CUヘッダでは予測モード、分割方法（PU分割モード）等が規定される。
【００４６】
予測ツリーでは、符号化ユニットを１または複数に分割した各予測ユニット（PU）の予測情報（参照ピクチャインデックス、動きベクトル等）が規定される。別の表現でいえば、予測ユニットは、符号化ユニットを構成する１または複数の重複しない領域である。また、予測ツリーは、上述の分割により得られた１または複数の予測ユニットを含む。なお、以下では、予測ユニットをさらに分割した予測単位を「サブブロック」と呼ぶ。サブブロックは、複数の画素によって構成されている。予測ユニットとサブブロックのサイズが等しい場合には、予測ユニット中のサブブロックは１つである。予測ユニットがサブブロックのサイズよりも大きい場合には、予測ユニットは、サブブロックに分割される。たとえば予測ユニットが8x8、サブブロックが4x4の場合には、予測ユニットは水平に２分割、垂直に２分割からなる、４つのサブブロックに分割される。
【００４７】
予測処理は、この予測ユニット（サブブロック）ごとに行ってもよい。
【００４８】
予測ツリーにおける分割の種類は、大まかにいえば、イントラ予測の場合と、インター予測の場合との２つがある。イントラ予測とは、同一ピクチャ内の予測であり、インター予測とは、互いに異なるピクチャ間（例えば、表示時刻間、レイヤ画像間）で行われる予測処理を指す。
【００４９】
イントラ予測の場合、分割方法は、2Nx2N（符号化ユニットと同一サイズ）と、NxNとがある。
【００５０】
また、インター予測の場合、分割方法は、符号化データのPU分割モード（part_mode）により符号化され、2Nx2N（符号化ユニットと同一サイズ）、2NxN、2NxnU、2NxnD、Nx2N、nLx2N、nRx2N、および、NxNなどがある。なお、2NxN、Nx2Nは1:1の対称分割を示し、
2NxnU、2NxnDおよびnLx2N、nRx2Nは、1:3、3:1の非対称分割を示す。CUに含まれるPUを順にPU0、PU1、PU2、PU3と表現する。
【００５１】
図２の（ａ）〜（ｈ）に、それぞれのPU分割モードにおけるパーティションの形状（PU分割の境界の位置）を具体的に図示している。図２の（ａ）は、2Nx2Nのパーティションを示し、（ｂ）、（ｃ）、（ｄ）は、それぞれ、2NxN、2NxnU、および、2NxnDのパーティション（横長パーティション）を示す。（ｅ）、（ｆ）、（ｇ）は、それぞれ、Nx2N、nLx2N、nRx2Nである場合のパーティション（縦長パーティション）を示し、（ｈ）は、NxNのパーティションを示す。なお、横長パーティションと縦長パーティションを総称して長方形パーティション、2Nx2N、NxNを総称して正方形パーティションと呼ぶ。
【００５２】
また、変換ツリーにおいては、符号化ユニットが１または複数の変換ユニットに分割され、各変換ユニットの位置とサイズとが規定される。別の表現でいえば、変換ユニットは、符号化ユニットを構成する１または複数の重複しない領域のことである。また、変換ツリーは、上述の分割より得られた１または複数の変換ユニットを含む。
【００５３】
変換ツリーにおける分割には、符号化ユニットと同一のサイズの領域を変換ユニットとして割り付けるものと、上述したCUの分割と同様、再帰的な４分木分割によるものがある。
【００５４】
変換処理は、この変換ユニットごとに行われる。
【００５５】
（画像復号装置の構成）
次に、本実施形態に係る画像復号装置３１の構成について説明する。図５は、本実施形態に係る画像復号装置３１の構成を示す概略図である。画像復号装置３１は、エントロピー復号部３０１、予測パラメータ復号部（予測画像復号装置）３０２、ループフィルタ３０５、参照ピクチャメモリ３０６、予測パラメータメモリ３０７、予測画像生成部（予測画像生成装置）３０８、逆量子化・逆DCT部３１１、及び加算部３１２を含んで構成される。
【００５６】
また、予測パラメータ復号部３０２は、インター予測パラメータ復号部３０３及びイントラ予測パラメータ復号部３０４を含んで構成される。予測画像生成部３０８は、インター予測画像生成部３０９及びイントラ予測画像生成部３１０を含んで構成される。
【００５７】
エントロピー復号部３０１は、外部から入力された符号化ストリームTeに対してエントロピー復号を行って、個々の符号（シンタックス要素）を分離し復号する。分離された符号には、予測画像を生成するための予測情報および、差分画像を生成するための残差情報などがある。
【００５８】
エントロピー復号部３０１は、分離した符号の一部を予測パラメータ復号部３０２に出力する。分離した符号の一部とは、例えば、予測モードpredMode、PU分割モードpart_mode、マージフラグmerge_flag、マージインデックスmerge_idx、インター予測識別子inter_pred_idc、参照ピクチャインデックスrefIdxLX、予測ベクトルインデックスmvp_LX_idx、差分ベクトルmvdLXである。どの符号を復号するかの制御は、予測パラメータ復号部３０２の指示に基づいて行われる。エントロピー復号部３０１は、量子化係数を逆量子化・逆DCT部３１１に出力する。この量子化係数は、符号化処理において、残差信号に対してDCT（Discrete Cosine Transform、離散コサイン変換）を行い量子化して得られる係数である。
【００５９】
インター予測パラメータ復号部３０３は、エントロピー復号部３０１から入力された符号に基づいて、予測パラメータメモリ３０７に記憶された予測パラメータを参照してインター予測パラメータを復号する。
【００６０】
インター予測パラメータ復号部３０３は、復号したインター予測パラメータを予測画像生成部３０８に出力し、また予測パラメータメモリ３０７に記憶する。インター予測パラメータ復号部３０３の詳細については後述する。
【００６１】
イントラ予測パラメータ復号部３０４は、エントロピー復号部３０１から入力された符号に基づいて、予測パラメータメモリ３０７に記憶された予測パラメータを参照してイントラ予測パラメータを復号する。イントラ予測パラメータとは、CUを１つのピクチャ内で予測する処理で用いるパラメータ、例えば、イントラ予測モードIntraPredModeである。イントラ予測パラメータ復号部３０４は、復号したイントラ予測パラメータを予測画像生成部３０８に出力し、また予測パラメータメモリ３０７に記憶する。
【００６２】
イントラ予測パラメータ復号部３０４は、輝度と色差で異なるイントラ予測モードを導出しても良い。この場合、イントラ予測パラメータ復号部３０４は、輝度の予測パラメータとして輝度予測モードIntraPredModeY、色差の予測パラメータとして、色差予測モードIntraPredModeCを復号する。輝度予測モードIntraPredModeYは、３５モードであり、プレーナ予測（０）、DC予測（１）、方向予測（２〜３４）が対応する。色差予測モードIntraPredModeCは、プレーナ予測（０）、DC予測（１）、方向予測（２〜３４）、LMモード（３５）の何れかを用いるものである。イントラ予測パラメータ復号部３０４は、IntraPredModeCは輝度モードと同じモードであるか否かを示すフラグを復号し、フラグが輝度モードと同じモードであることを示せば、IntraPredModeCにIntraPredModeYを割り当て、フラグが輝度モードと異なるモードであることを示せば、IntraPredModeCとして、プレーナ予測（０）、DC予測（１）、方向予測（２〜３４）、LMモード（３５）を復号しても良い。
【００６３】
ループフィルタ３０５は、加算部３１２が生成したCUの復号画像に対し、デブロッキングフィルタ、サンプル適応オフセット（SAO）、適応ループフィルタ（ALF）等のフィルタを施す。
【００６４】
参照ピクチャメモリ３０６は、加算部３１２が生成したCUの復号画像を、復号対象のピクチャ及びCU毎に予め定めた位置に記憶する。
【００６５】
予測パラメータメモリ３０７は、予測パラメータを、復号対象のピクチャ及び予測ユニット（もしくはサブブロック、固定サイズブロック、ピクセル）毎に予め定めた位置に記憶する。具体的には、予測パラメータメモリ３０７は、インター予測パラメータ復号部３０３が復号したインター予測パラメータ、イントラ予測パラメータ復号部３０４が復号したイントラ予測パラメータ及びエントロピー復号部３０１が分離した予測モードpredModeを記憶する。記憶されるインター予測パラメータには、例えば、予測リスト利用フラグpredFlagLX（インター予測識別子inter_pred_idc）、参照ピクチャインデックスrefIdxLX、動きベクトルmvLXがある。
【００６６】
予測画像生成部３０８には、エントロピー復号部３０１から入力された予測モードpredModeが入力され、また予測パラメータ復号部３０２から予測パラメータが入力される。また、予測画像生成部３０８は、参照ピクチャメモリ３０６から参照ピクチャを読み出す。予測画像生成部３０８は、予測モードpredModeが示す予測モードで、入力された予測パラメータと読み出した参照ピクチャを用いてPUの予測画像を生成する。
【００６７】
ここで、予測モードpredModeがインター予測モードを示す場合、インター予測画像生成部３０９は、インター予測パラメータ復号部３０３から入力されたインター予測パラメータと読み出した参照ピクチャを用いてインター予測によりPUの予測画像を生成する。
【００６８】
インター予測画像生成部３０９は、予測リスト利用フラグpredFlagLXが１である参照ピクチャリスト（L0リスト、もしくはL1リスト）に対し、参照ピクチャインデックスrefIdxLXで示される参照ピクチャから、復号対象PUを基準として動きベクトルmvLXが示す位置にある参照ピクチャブロックを参照ピクチャメモリ３０６から読み出す。インター予測画像生成部３０９は、読み出した参照ピクチャブロックをもとに予測を行ってPUの予測画像を生成する。インター予測画像生成部３０９は、生成したPUの予測画像を加算部３１２に出力する。
【００６９】
予測モードpredModeがイントラ予測モードを示す場合、イントラ予測画像生成部３１０は、イントラ予測パラメータ復号部３０４から入力されたイントラ予測パラメータと読み出した参照ピクチャを用いてイントラ予測を行う。具体的には、イントラ予測画像生成部３１０は、復号対象のピクチャであって、既に復号されたPUのうち、復号対象PUから予め定めた範囲にある隣接PUを参照ピクチャメモリ３０６から読み出す。予め定めた範囲とは、復号対象PUがいわゆるラスタースキャンの順序で順次移動する場合、例えば、左、左上、上、右上の隣接PUのうちのいずれかであり、イントラ予測モードによって異なる。ラスタースキャンの順序とは、各ピクチャにおいて、上端から下端まで各行について、順次左端から右端まで移動させる順序である。
【００７０】
イントラ予測画像生成部３１０は、読み出した隣接PUについてイントラ予測モードIntraPredModeが示す予測モードで予測を行ってPUの予測画像を生成する。イントラ予測画像生成部３１０は、生成したPUの予測画像を加算部３１２に出力する。
【００７１】
イントラ予測パラメータ復号部３０４において、輝度と色差で異なるイントラ予測モードを導出する場合、イントラ予測画像生成部３１０は、輝度予測モードIntraPredModeYに応じて、プレーナ予測（０）、DC予測（１）、方向予測（２〜３４）の何れかによって輝度のPUの予測画像を生成し、色差予測モードIntraPredModeCに応じて、プレーナ予測（０）、DC予測（１）、方向予測（２〜３４）、LMモード（３５）の何れかによって色差のPUの予測画像を生成する。
【００７２】
逆量子化・逆DCT部３１１は、エントロピー復号部３０１から入力された量子化係数を逆量子化してDCT係数を求める。逆量子化・逆DCT部３１１は、求めたDCT係数について逆DCT（Inverse Discrete Cosine Transform、逆離散コサイン変換）を行い、残差信号を算出する。逆量子化・逆DCT部３１１は、算出した残差信号を加算部３１２に出力する。
【００７３】
加算部３１２は、インター予測画像生成部３０９またはイントラ予測画像生成部３１０から入力されたPUの予測画像と逆量子化・逆DCT部３１１から入力された残差信号を画素毎に加算して、PUの復号画像を生成する。加算部３１２は、生成したPUの復号画像を参照ピクチャメモリ３０６に記憶し、生成したPUの復号画像をピクチャ毎に統合した復号画像Tdを外部に出力する。
【００７４】
（画像符号化装置の構成）
次に、本実施形態に係る画像符号化装置１１の構成について説明する。図４は、本実施形態に係る画像符号化装置１１の構成を示すブロック図である。画像符号化装置１１は、予測画像生成部１０１、減算部１０２、DCT・量子化部１０３、エントロピー符号化部１０４、逆量子化・逆DCT部１０５、加算部１０６、ループフィルタ１０７、予測パラメータメモリ（予測パラメータ記憶部、フレームメモリ）１０８、参照ピクチャメモリ（参照画像記憶部、フレームメモリ）１０９、符号化パラメータ決定部１１０、予測パラメータ符号化部１１１を含んで構成される。予測パラメータ符号化部１１１は、インター予測パラメータ符号化部１１２及びイントラ予測パラメータ符号化部１１３を含んで構成される。
【００７５】
予測画像生成部１０１は画像Ｔの各ピクチャについて、そのピクチャを分割した領域である符号化ユニットCU毎に予測ユニットPUの予測画像Ｐを生成する。ここで、予測画像生成部１０１は、予測パラメータ符号化部１１１から入力された予測パラメータに基づいて参照ピクチャメモリ１０９から復号済のブロックを読み出す。予測パラメータ符号化部１１１から入力された予測パラメータとは、例えばインター予測の場合、動きベクトルである。予測画像生成部１０１は、対象PUを起点として動きベクトルが示す参照画像上の位置にあるブロックを読み出す。またイントラ予測の場合、予測パラメータとは例えばイントラ予測モードである。イントラ予測モードで使用する隣接PUの画素値を参照ピクチャメモリ１０９から読み出し、PUの予測画像Pを生成する。予測画像生成部１０１は、読み出した参照ピクチャブロックについて複数の予測方式のうちの１つの予測方式を用いてPUの予測画像Ｐを生成する。予測画像生成部１０１は、生成したPUの予測画像Ｐを減算部１０２に出力する。
【００７６】
なお、予測画像生成部１０１は、既に説明した予測画像生成部３０８と同じ動作である。例えば、図６は、予測画像生成部１０１に含まれるインター予測画像生成部１０１１の構成を示す概略図である。インター予測画像生成部１０１１は、動き補償部１０１１１、重み予測部１０１１２を含んで構成される。動き補償部１０１１１および重み予測部１０１１２については、上述の動き補償部３０９１、重み予測部３０９４のそれぞれと同様の構成であるためここでの説明を省略する。
【００７７】
予測画像生成部１０１は、予測パラメータ符号化部から入力されたパラメータを用いて、参照ピクチャメモリから読み出した参照ブロックの画素値をもとにPUの予測画像Pを生成する。予測画像生成部１０１で生成した予測画像は減算部１０２、加算部１０６に出力される。
【００７８】
減算部１０２は、予測画像生成部１０１から入力されたPUの予測画像Ｐの信号値を、画像Ｔの対応するPUの画素値から減算して、残差信号を生成する。減算部１０２は、生成した残差信号をDCT・量子化部１０３に出力する。
【００７９】
DCT・量子化部１０３は、減算部１０２から入力された残差信号についてDCTを行い、DCT係数を算出する。DCT・量子化部１０３は、算出したDCT係数を量子化して量子化係数を求める。DCT・量子化部１０３は、求めた量子化係数をエントロピー符号化部１０４及び逆量子化・逆DCT部１０５に出力する。
【００８０】
エントロピー符号化部１０４には、DCT・量子化部１０３から量子化係数が入力され、予測パラメータ符号化部１１１から符号化パラメータが入力される。入力される符号化パラメータには、例えば、参照ピクチャインデックスrefIdxLX、予測ベクトルインデックスmvp_LX_idx、差分ベクトルmvdLX、予測モードpredMode、及びマージインデックスmerge_idx等の符号がある。
【００８１】
エントロピー符号化部１０４は、入力された量子化係数と符号化パラメータをエントロピー符号化して符号化ストリームTeを生成し、生成した符号化ストリームTeを外部に出力する。
【００８２】
逆量子化・逆DCT部１０５は、DCT・量子化部１０３から入力された量子化係数を逆量子化してDCT係数を求める。逆量子化・逆DCT部１０５は、求めたDCT係数について逆DCTを行い、残差信号を算出する。逆量子化・逆DCT部１０５は、算出した残差信号を加算部１０６に出力する。
【００８３】
加算部１０６は、予測画像生成部１０１から入力されたPUの予測画像Ｐの信号値と逆量子化・逆DCT部１０５から入力された残差信号の信号値を画素毎に加算して、復号画像を生成する。加算部１０６は、生成した復号画像を参照ピクチャメモリ１０９に記憶する。
【００８４】
ループフィルタ１０７は加算部１０６が生成した復号画像に対し、デブロッキングフィルタ、サンプル適応オフセット（SAO）、適応ループフィルタ（ALF）を施す。
【００８５】
予測パラメータメモリ１０８は、符号化パラメータ決定部１１０が生成した予測パラメータを、符号化対象のピクチャ及びCU毎に予め定めた位置に記憶する。
【００８６】
参照ピクチャメモリ１０９は、ループフィルタ１０７が生成した復号画像を、符号化対象のピクチャ及びCU毎に予め定めた位置に記憶する。
【００８７】
符号化パラメータ決定部１１０は、符号化パラメータの複数のセットのうち、１つのセットを選択する。符号化パラメータとは、上述した予測パラメータやこの予測パラメータに関連して生成される符号化の対象となるパラメータである。予測画像生成部１０１は、これらの符号化パラメータのセットの各々を用いてPUの予測画像Ｐを生成する。
【００８８】
符号化パラメータ決定部１１０は、複数のセットの各々について情報量の大きさと符号化誤差を示すコスト値を算出する。コスト値は、例えば、符号量と二乗誤差に係数λを乗じた値との和である。符号量は、量子化誤差と符号化パラメータをエントロピー符号化して得られる符号化ストリームTeの情報量である。二乗誤差は、減算部１０２において算出された残差信号の残差値の二乗値についての画素間の総和である。係数λは、予め設定されたゼロよりも大きい実数である。符号化パラメータ決定部１１０は、算出したコスト値が最小となる符号化パラメータのセットを選択する。これにより、エントロピー符号化部１０４は、選択した符号化パラメータのセットを符号化ストリームTeとして外部に出力し、選択されなかった符号化パラメータのセットを出力しない。符号化パラメータ決定部１１０は決定した符号化パラメータを予測パラメータメモリ１０８に記憶する。
【００８９】
予測パラメータ符号化部１１１は、符号化パラメータ決定部１１０から入力されたパラメータから、符号化するための形式を導出し、エントロピー符号化部１０４に出力する。符号化するための形式の導出とは、例えば動きベクトルと予測ベクトルから差分ベクトルを導出することである。また予測パラメータ符号化部１１１は、符号化パラメータ決定部１１０から入力されたパラメータから予測画像を生成するために必要なパラメータを導出し、予測画像生成部１０１に出力する。予測画像を生成するために必要なパラメータとは、例えばサブブロック単位の動きベクトルである。
【００９０】
インター予測パラメータ符号化部１１２は、符号化パラメータ決定部１１０から入力された予測パラメータに基づいて、差分ベクトルのようなインター予測パラメータを導出する。インター予測パラメータ符号化部１１２は、予測画像生成部１０１に出力する予測画像の生成に必要なパラメータを導出する構成として、インター予測パラメータ復号部３０３（図５等、参照）がインター予測パラメータを導出する構成と一部同一の構成を含む。インター予測パラメータ符号化部１１２の構成については、後述する。
【００９１】
イントラ予測パラメータ符号化部１１３は、符号化パラメータ決定部１１０から入力されたイントラ予測モードIntraPredModeから、符号化するための形式（例えばMPM_idx、rem_intra_luma_pred_mode等）を導出する。
【００９２】
（第２の実施形態）
（ブロック分割の種類）
はじめに、本実施形態に係る符号化ノード（CN:Coding Node）の分割について説明する。図７は、画像復号装置３１における符号化ノード（ＣＮ、ブロック）の分割を示す図である。本実施形態においては、画像復号装置３１は、符号化ツリーユニットまたはＣＮを４分木分割（QT分割）、２分木分割（BT分割）または３分木分割（TT分割）によって分割し、符号化処理の基本的な単位である符号化ユニット（CU:Coding Unit）に分割する。図７の（ａ）は、ブロックのQT分割を示している。また、図７の（ｂ）は、ブロックを水平方向（ＨＯＲ）にBT分割する例を示している。また、図７の（ｃ）は、ブロックを垂直方向（ＶＥＲ）にBT分割する例を示している。図７の（ｂ）および（ｃ）に示すように、BT分割はブロックの分割される辺を1対１に分割する。また、図７の（ｄ）は、ブロックを分割しない例を示している。図７の（ｅ）は、ブロックを水平方向（ＨＯＲ）にTT分割する例を示している。図７の（ｆ）は、ブロックを垂直方向（ＶＥＲ）にTT分割する例を示している。TT分割はブロックの分割される辺を1対２対１に分割する。
【００９３】
なお、本明細書では、分割に関して、「水平」および「垂直」という用語は、分割線の方向を指すものとする。したがって、「水平分割」「水平方向(ＨＯＲ)の分割」「水平に分割する」とは、水平な境界線による分割、すなわち、上と下の２つのブロックに分割することを意味する。また、「垂直分割」「垂直方向（ＶＥＲ）の分割」「垂直に分割する」とは、垂直な境界線による分割、すなわち、左と右の２つのブロックに分割することを意味する。
【００９４】
なお、本明細書では例示していないが別の用語法も存在する。すなわち、本明細書の水平分割を、あるブロックが垂直方向に並ぶ２つ以上のブロックに分割されるため、垂直に分割（split vertically）と呼ぶこともある。また、本明細書の垂直分割を、あるブロックが水平方向に並ぶ２つ以上のブロックに分割されるため水平に分割（split horizontally）と呼ぶこともある。上記、別の用語法における、垂直分割の記載が本明細書の水平分割を意味する（又はその逆）ことがあるので注意が必要である。この場合には、当該用語が意味するところにおいて適宜読み替える。
【００９５】
図８は、画像復号装置３１が行う分木タイプのシグナリングを示す図である。図８に示すように、画像復号装置３１は、CTUまたはCNに対して４分木（Ｑｕａｄ-ｔｒｅｅ）分割を繰り返すことによってＲＴ（ｒｅｇｉｏｎ-ｔｒｅｅ）分割を行う。その後、画像復号装置３１はPT（Partition Tree）分割（BT分割またはTT分割）のフラグがあると、ブロックを水平に分割するか、あるいは、垂直に分割するかを判断する。その後、画像復号装置３１は当該分割がBT分割であるか、あるいは、TT分割であるかを判断し、ブロックを分割する。
【００９６】
図５３及び図５４は、画像復号装置３１における符号化ノード（ＣＮ、ブロック）の分割の他の例を示す図である。本実施形態においては、画像復号装置３１は、符号化ツリーユニットまたはＣＮを、一例として、マルチ９分木分割（Multi Nine Tree分割（ＭＮＴ分割））、マルチ５分木分割（Multi Five Tree分割（ＭＦＴ分割））、方向性４分木分割（Derectional Quad Tree分割（ＤＱＴ分割））、方向性５分木分割（Directional Five Tree分割（ＤＦＴ分割））、又は、方向性非対称４分木分割（Directional Asymmetric Quad Tree（ＤＡＱＴ分割））によって分割することにより、符号化処理の基本的な単位である符号化ユニット（CU:Coding Unit）に分割する。
【００９７】
図５３の（ａ）は、ブロックに対するＭＮＴ分割を示している。また、図５３の（ｂ）は、ブロックに対するＭＦＴ分割の一例、図５３の（ｃ）はブロックに対するＭＦＴ分割の他の例を示している。また、図５３の（ｄ）は、ブロックに対するＤＱＴ分割の一例、図５３の（ｅ）は、ブロックに対するＤＱＴ分割の他の例を示している。また、図５３の（ｆ）は、ブロックに対するＤＦＴ分割の一例、図５３の（ｇ）は、ブロックに対するＤＦＴ分割の他の例を示している。
【００９８】
図５４の（ａ）はブロックに対するＤＡＱＴ分割の第１の例、図５４の（ｂ）はブロックに対するＤＡＱＴ分割の第２の例、図５４の（ｃ）はブロックに対するＤＡＱＴ分割の第３の例、図５４の（ｄ）はブロックに対するＤＡＱＴ分割の第４の例を示している。
【００９９】
（ＭＴ分割モード群とＰＴ分割モード群）
本実施形態では、上述した種々の分割モードを、ＭＴ分割モード群（ＭＴ分割）とＰＴ分割モード群（ＰＴ分割）とに分類する。
【０１００】
ここで、ＭＴ分割にはＱＴ分割が少なくとも含まれ、ＰＴ分割にはＢＴ分割が少なくとも含まれる。
【０１０１】
本実施形態では、パーティション数が４以上となる分割を、ＭＴ分割に分類し、パーティション数が３以下となる分割をＰＴ分割に分類する。
【０１０２】
より具体的には、本実施形態では、ＭＴ分割が、ＱＴ分割に加えて、
ＭＮＴ分割、ＭＦＴ分割、ＤＱＴ分割、ＤＦＴ分割、及び、ＤＡＱＴ分割
の少なくとも何れかを含んでおり、ＰＴ分割が、ＢＴ分割を含んでいる。またＰＴ分割はＴＴ分割を含んでいてよい。
【０１０３】
すなわち、本実施形態では、パーティション数が４以上の分割を２つ以上備えること、さらに、上記パーティション数が４つ以上の分割の一つはＱＴ分割である構成である。
【０１０４】
言い換えると、本発明の一態様に係る画像復号装置は、ピクチャを符号化ツリーユニット毎に復号する画像復号装置において、上記符号化ツリーユニットの符号化ノードを分割する分割部を備え、上記分割部は、対象ノードを、４つ以上のノードに分割する分割方法として、（対象ノードが正方形である場合に）、正方形のノードに分割する分割モードと、長方形のノードを含むノードに分割する分割モードを含む。また、上記分割部は、対象ノードを、長方形のノードを含む４つ以上のノードに分割する。
【０１０５】
なお、上記正方形のノードに分割するとは、直上位のノードが正方形である場合に、正方形のみのノードに分割されることである。例えばＱＴ分割がこの場合になる。また、正方形には方向性がないので、ＱＴ分割を方向性を持たない分割と呼ぶことがある。上記長方形のノードを含むノードに分割するとは、直上位のノードが正方形である場合に、長方形のノードを含むノードに分割されることである。分割されたノードに、長方形のノードが含まれていれば、正方形のノードが含まれていても構わない。例えば、ＭＮＴ分割、ＭＦＴ分割、ＤＱＴ分割、ＤＦＴ分割、及び、ＤＡＱＴ分割がこの例である。また、ＤＱＴ分割、ＤＦＴ分割、ＤＡＱＴ分割は長方形の長辺の向きがすべて等しいので、方向性を持つ分割と呼ぶ。
【０１０６】
画像復号装置３１は、ＭＴ分割を示すＭＴ情報、及びＰＴ分割を示すＰＴ情報を復号することによって、分割対象のＣＮに対して、何れの分割モードを適用すべきであるのかを特定する。
【０１０７】
（冗長な分割の例）
本実施形態のように、TT分割が可能な構成においては、分割の組合せによって得られるブロックの分割パターンが増加する。そのため、画像符号化装置１１における、ブロックの分割パターンの決定に要する時間が増加する。例えば、同じ分割パターンを得るために、複数の分割過程が生じ得る。図９は、異なる分割過程によって同じ分割パターンが得られる例を示している（冗長な分割の例）。図９に示すように、ブロック（例えば、ＣＴＵ）を水平方向にTT分割し、さらに、該TT分割により得られた中央ブロックを水平方向にBT分割して得られる分割パターンと、ブロックを水平方向にBT分割し、さらに、該BT分割により得られた２つのブロックを水平方向にBT分割して得られる分割パターンとは同じ分割パターンになる。
【０１０８】
本実施形態に係る、画像符号化装置１１および画像復号装置３１はブロックの冗長な分割を制限する。上記の構成によれば、画像符号化装置１１は同じ分割パターンを複数回評価する必要が無くなる。また、冗長な分割が禁止されるため、該分割に係るフラグなどの符号化データは不要となる。そのため、画像符号化装置１１の符号化効率が向上する。
【０１０９】
（画像復号装置の構成）
図１０に、本実施形態に係る画像復号装置３１の構成を示すブロック図を示す。本図では、図を簡略化するために、図１０に示したブロック図に含まれる一部の部材の図示を省略している。また、説明の便宜上、図５に示した部材と同じ機能を有する部材については、同じ符号を付記し、その説明を省略する。
【０１１０】
図１０に示すように、画像復号装置３１は、復号モジュール９、CN情報復号部１０（分割情報復号部、分割部）、予測画像生成部３０８、逆量子化・逆DCT部３１１、参照ピクチャメモリ３０６、加算部３１２、ループフィルタ３０５、ヘッダ復号部１９、及びCU復号部２０を備えている。CU復号部２０は、さらにPU情報復号部１２及びTT（Transform Tree）情報復号部１３を備えており、TT情報復号部１３は、さらにTU復号部２２を備えている。
【０１１１】
（復号モジュール）
以下、各モジュールの概略動作を説明する。復号モジュール９は、バイナリデータからシンタックス値を復号する復号処理を行う。復号モジュール９は、より具体的には、供給元から供給される符号化データ及びシンタックス種別に基づいて、CABAC等のエントロピー符号化方式により符号化されているシンタックス値を復号し、復号したシンタックス値を供給元に返す。
【０１１２】
以下に示す例では、符号化データ及びシンタックス種別の供給元は、CN情報復号部１０、CU復号部２０（PU情報復号部１２及びTT情報復号部１３）である。
【０１１３】
（ヘッダ復号部）
ヘッダ復号部１９は、画像符号化装置１１から入力された符号化データのVPS（video parameter set）、SPS、PPS、スライスヘッダを復号する。
【０１１４】
（CN情報復号部）
CN情報復号部１０は、復号モジュール９を用いて、画像符号化装置１１から入力された符号化データについて、符号化ツリーユニット（符号化ツリーユニット毎）及び符号化ノードの復号処理を行う。CN情報復号部１０は、具体的には、以下の手順により符号化データから、CTU情報及びCN情報を復号する。
【０１１５】
まず、CN情報復号部１０は、復号モジュール９を用いて、CTUに含まれるCTU情報からツリーユニットヘッダCTUHを復号する。次に、CN情報復号部１０は、CNに含まれるCN情報から、対象CNをQT分割するか否かを示すQT分割フラグ、対象CNをBT分割またはTT分割するか否かを示すPT分割フラグ、BT分割またはTT分割の分割方向を示す分割方向フラグ、PT分割の分割方法（BT分割またはTT分割）を示す分割モード選択フラグを復号し、QT分割フラグ及びPT分割フラグがさらなる分割を通知しなくなるまで対象CNを再帰的に分割し復号する。あるいは、QT分割フラグの代わりに、対象CNをMT分割するか否かを示すMT分割フラグ、対象CNをPT分割するか否かを示すPT分割フラグ、MT分割またはPT分割の分割方向を示す分割方向フラグ、を復号し、MT分割フラグ及びPT分割フラグがさらなる分割を通知しなくなるまで対象CNを再帰的に分割し復号する。最後に、CTU情報からツリーユニットフッタCTUFを復号する。
【０１１６】
ツリーユニットヘッダCTUH及びツリーユニットフッタCTUFには、対象符号化ツリーユニットの復号方法を決定するために画像復号装置３１が参照する符号化パラメータが含まれる。また、CN情報には、QT分割フラグ、PT分割フラグ、分割方向フラグ及びPT分割の分割方法（BT分割またはTT分割）を示す分割モード選択フラグ、MT分割の分割方法を示すMT分割モード選択フラグの他、対象CN及び下位または上位の符号化ノードで適用されるパラメータを含んでいてもよい。
【０１１７】
（CU復号部）
CU復号部２０は、PU情報復号部１２及びTT情報復号部１３から構成され、最下位の符号化ノードCN（すなわちCU）のPUI情報及びTTI情報を復号する。
【０１１８】
（PU情報復号部）
PU情報復号部１２では各ＰＵのＰＵ情報（マージフラグ（merge_flag）、マージインデックス（merge_idx）、予測動きベクトルインデックス（mvp_idx）、参照画像インデックス（ref_idx）、インター予測識別子（inter_pred_flag）、及び差分ベクトル（mvd）等）を、復号モジュール９を用いて復号する。
【０１１９】
（TT情報復号部）
TT情報復号部１３は、各TTI（TU分割フラグSP_TU（split_transform_flag）、CU残差フラグCBP_TU（cbf_cb、cbf_cr、cbf_luma）等、及びＴＵ）を、復号モジュール９を用いて復号する。
【０１２０】
また、TT情報復号部１３は、TU復号部２２を備えている。TU復号部２２は、TUに残差が含まれている場合に、QP更新情報（量子化補正値）を復号する。なお、QP更新情報は、量子化パラメータQPの予測値である量子化パラメータ予測値qPpredからの差分値を示す値である。またTU復号部２２は、量子化予測残差（residual_coding）を復号する。
【０１２１】
（QT情報復号処理）
CN情報復号部１０によるCN情報復号の動作について、図１１および図１２を参照して説明する。図１１は、本発明の一実施形態に係るCN情報復号部１０のQT情報復号処理を説明するフローチャートである。また、図１２は、本発明の一実施形態に係るQT情報のシンタックス表の構成例を示す図である。
【０１２２】
CN情報復号部１０によるCN情報復号Ｓ１４００では、QT情報復号と、BT情報またはTT情報（BT/TT情報）復号とを行う。以下では、CN情報復号部１０によるQT情報復号について順に説明する。
【０１２３】
まず、CN情報復号部１０は、符号化データからCN情報を復号し、再帰的に符号化ノード（CN:Coding Node）を復号する。具体的には、CN情報復号部１０は、QT情報を復号し、対象符号化ツリーcoding_quadtree（x0, y0, log2CbSize, cqtDepth）を復号する。なお、x0, y0は、対象符号化ノードの左上座標、log2CbSizeは符号化ノードのサイズであるCNサイズの２を底とした対数である対数CNサイズ（例えば、CNサイズが64, 128, 256であれば6, 7, 8）である。サイズXの２を底とした対数を「対数Xサイズ」と呼ぶ。cqtDepthは符号化ノードの階層を示すCN階層（QT深度）である。
【０１２４】
（Ｓ１４１１）CN情報復号部１０は、復号したCN情報にQT分割フラグがあるか否かを判定する。具体的には、CN情報復号部１０は、対数CNサイズlog2CbSizeが所定の最小CNサイズの対数値MinCbLog2SizeYより大きいか否かを判定する。対数CNサイズlog2CbSizeがMinCbLog2SizeYより大きい場合には、QT分割フラグがあると判定し、Ｓ１４２１に遷移する。それ以外の場合には、Ｓ１４２２に遷移する。
【０１２５】
（Ｓ１４２１）CN情報復号部１０は、対数CNサイズlog2CbSizeがMinCbLog2SizeYより大きいと判定された場合には、シンタックス要素であるQT分割フラグ（split_cu_flag）を復号する。
【０１２６】
（Ｓ１４２２）CN情報復号部１０は、それ以外の場合（対数CNサイズlog2CbSizeがMinCbLog2SizeY以下）、つまり、符号化データにQT分割フラグsplit_cu_flagが現れない場合には、符号化データからのQT分割フラグsplit_cu_flagの復号を省略し、QT分割フラグsplit_cu_flagを０として導出する。
【０１２７】
（Ｓ１４３１）CN情報復号部１０は、QT分割フラグsplit_cu_flagが０以外（＝１）である場合には、後述の（Ｓ１４４１）を実施し、一階層下に移行して（Ｓ１４１１）以降の処理を繰り返す。それ以外の場合（QT分割フラグsplit_cu_flagが０の場合）には、BT/TT情報復号処理に遷移する。
【０１２８】
（Ｓ１４４１）CN情報復号部１０は、QT分割を行う。具体的には、CN情報復号部１０は、CN階層cqtDepth + 1の位置（x0, y0）、（x1, y0）、（x0, y1）、（x1, y1）で、対数CNサイズlog2CbSize - 1の４つの符号化ノードCNを復号する。
【０１２９】
coding_quadtree（ x0, y0, log2CbSize - 1, cqtDepth + 1 ）
coding_quadtree（ x1, y0, log2CbSize - 1, cqtDepth + 1 ）
coding_quadtree（ x0, y1, log2CbSize - 1, cqtDepth + 1 ）
coding_quadtree（ x1, y1, log2CbSize - 1, cqtDepth + 1 ）
ここで、x0, y0は、対象符号化ノードの左上座標、x1, y1は、以下の式のように、（x0,y0）に、CNサイズ（1 <<log2CbSize）の1/2を加えて導出される。
【０１３０】
x1 = x0 + （ 1<<（ log2CbSize - 1 ） ）
y1 = y0 + （ 1<<（ log2CbSize -1 ） ）
なお、<<は左シフトを示す。1<<Nは2のN乗と同値である（以下同様）。同様に>>は右シフトを示す。
【０１３１】
そして、CN情報復号部１０は、符号化ノードの階層を示すCN階層cqtDepthに１を加算し、符号化ユニットサイズの対数値である対数CNサイズlog2CbSizeを１だけ減算（CNサイズを1/2）して更新する。
【０１３２】
cqtDepth = cqtDepth + １
log2CbSize = log2CbSize - １
CN情報復号部１０は、下位の符号化ノードにおいても、更新された左上座標、対数CNサイズ、CN階層を用いて、Ｓ１４１１から開始されるQT情報復号を継続する。
【０１３３】
（制限されている分割パターンの例）
ここで、本実施形態に係るCN情報復号部１０が制限するCNの分割パターンの例について、図１３〜図１５を用いて説明する。
【０１３４】
CN情報復号部１０は、対象ノードの分割の仕方を、当該対象ノードよりも一世代上位のノードである直上位ノードの分割の仕方を参照して制限する。
【０１３５】
なお、以降の説明において、分割対象となるブロック（CN）を分割対象ブロックまたは対象ブロックとよび、分割対象ブロックの直上位ブロックを上位ブロックとよぶ。また、下記の説明においては、上位ブロックを参照し、分割対象となるブロックの分割パターンを制限する例を示すが、CN情報復号部１０は分割対象ブロックを参照し、直下の下位ブロックの分割パターンを制限してもよい。図１３〜図１５は、CN情報復号部１０が制限している分割パターンの一例を示している。なお、図１３〜図１５における実線は上位の符号化ノードまたは符号化ツリーユニット（上位ブロック）を分割することによって生じた符号化ノード（ブロック）の境界を示している。また、〇印は、分割対象ブロックにおいて点線の直線が示す分割が可能であることを示している。また、×印は、分割対象ブロックにおいて点線の直線が示す分割が制限（禁止）されていることを示している。
【０１３６】
（制限されている分割パターン：Ａ-ａ1）
図１３の（ａ）および（ｂ）に示す例では、CN情報復号部１０は上位ブロックをTT分割することによって生じた中央の分割対象ブロックを、上位ブロックの分割方向と同じ方向にBT分割することを制限（禁止）する。
【０１３７】
換言すると、対象ブロックが、上位ブロックに対する三分木分割により得られた３つのブロックのうち中央のブロックである場合に、CN情報復号部１０は、対象ブロックを、上位ブロックに対する三分木分割と同じ方向に二分木分割することを制限する。
【０１３８】
（制限されている分割パターン：Ａ-ａ２）
また、図１３の（ｃ）および（ｄ）に示す例では、CN情報復号部１０は上位ブロックをBT分割することによって生じたブロックの両方を、上位ブロックの分割方向と同じ方向にBT分割することを制限（禁止）する。換言すると、上位ブロックの分割によって生じたブロックの一方に限っては、上位ブロックの分割方向と同じ方向にBT分割することが可能である。
【０１３９】
先に処理するブロックの処理の時点では上記制限が適用されることはない。そのため、CN情報復号部１０は、後に処理するブロックの処理の時点にて、先に処理されたブロックの分割方向を参照し、後に処理するブロックの分割が制限されているか否かを判定する。
【０１４０】
上記の制限について、次のように表現することもできる。対象ブロックが、上位対象ブロックに対する二分木分割により得られた２つのブロックの１つである場合であって、当該２つのブロックのうちの他のブロックが、上位ブロックに対する二分木分割と同じ方向に二分木分割された場合に、CN情報復号部１０は、対象ブロックを、上位ブロックに対する二分木分割と同じ方向に二分木分割することを制限する。
【０１４１】
（制限されている分割パターン：Ａ-ａ２’）
また、図１３の（ｅ）および（ｆ）に示す例では、CN情報復号部１０は上位ブロックをBT分割することによって生じたブロックの何れか１つを、上位ブロックの分割方向と同じ方向にBT分割することを制限（禁止）する。分割の制限を受けるブロックは、例えば、上位ブロックの分割によって生じた２つのブロックのうち、後に分割処理されるブロックとしてもよいが、特に限定はされない。
【０１４２】
換言すると、対象ブロックが、上位ブロックに対する二分木分割により得られた２つのブロックの１つである場合に、CN情報復号部１０は、対象ブロックを、上位ブロックに対する二分木分割と同じ方向に二分木分割することを制限する。
【０１４３】
（制限されている分割パターン：Ａ-ｂ1）
また、図１４の（ａ）および（ｂ）に示す例では、CN情報復号部１０は上位ブロックをTT分割することによって生じたブロックの全てを、上位ブロックと異なる方向にBT分割することを制限（禁止）する。換言すると、上位ブロックの分割によって生じた３つのブロックのうち、２つのブロックについては、上位ブロックの分割方向と異なる方向にBT分割することができる。本例においては、最後に分割処理される上位ブロックの分割によって生じたブロックの分割処理の時点にて、他の上位ブロックの分割によって生じたブロックの分割方向を参照し、最後に分割処理されるブロックの分割が制限されているか否かを判定する。
【０１４４】
本制限については、以下のように表現することもできる。対象ブロックが、上位ブロックに対する三分木分割により得られた３つのブロックの１つである場合であって、当該３つのブロックのうちの他の２つのブロックが、上位ブロックに対する三分木分割と異なる方向に二分木分割された場合に、CN情報復号部１０は、対象ブロックを、上位ブロックに対する三分木分割と異なる方向に二分木分割することを制限する。
【０１４５】
（制限されている分割パターン：Ａ-ｂ1’）
また、図１４の（ｃ）および（ｄ）に示す例では、CN情報復号部１０は上位ブロックをTT分割することによって生じたブロックの何れか１つのブロックを、上位ブロックの分割方向と異なる方向にBT分割することを制限（禁止）する。分割の制限を受けるブロックは、例えば、上位ブロックの分割によって生じたブロックのうち最後に分割処理されるブロックとしてもよいが、特に限定はされない。
【０１４６】
換言すると、対象ブロックが、上位ブロックに対する三分木分割により得られた３つのブロックの１つである場合に、CN情報復号部１０は、対象ブロックを、上位ブロックに対する三分木分割と異なる方向に二分木分割することを制限する。
【０１４７】
また、図１４の（ｅ）および（ｆ）に示す例では、CN情報復号部１０は上位ブロックをBT分割することによって生じたブロックの両方を、上位ブロックの分割方向と異なる方向にTT分割することを制限（禁止）する。換言すると、上位ブロックの分割によって生じた一方のブロックに限っては、上位ブロックの分割方向と異なる方向にTT分割することが可能である。
【０１４８】
本制限は以下のように表現することもできる。対象ブロックが、上位ブロックに対する二分木分割により得られた２つのブロックの１つである場合であって、当該２つのブロックのうちの他のブロックが、上位ブロックに対する二分木分割と異なる方向に三分木分割された場合に、CN情報復号部１０は、対象ブロックを、上位ブロックに対する二分木分割と異なる方向に三分木分割することを制限する。
【０１４９】
（制限される分割パターン：Ａ-ｂ２’）
また、図１４の（ｇ）および（ｈ）に示す例では、CN情報復号部１０は上位ブロックをBT分割することによって生じたブロックの何れか１つを、上位ブロックの分割方向と異なる方向にTT分割することを制限（禁止）する。分割の制限を受けるブロックは、例えば、上位ブロックの分割によって生じた２つのブロックのうち、後に分割処理されるブロックとしてもよいが、特に限定はされない。
【０１５０】
換言すると、対象ブロックが、上位ブロックに対する二分木分割により得られた２つのブロックの１つである場合に、CN情報復号部１０は、対象ブロックを、上位ブロックに対する二分木分割と異なる方向に三分木分割することを制限する。
【０１５１】
（制限される分割パターン：Ａ-ｃ）
また、図１５の（ａ）および（ｂ）に示す例では、CN情報復号部１０は上位ブロックをTT分割することによって生じたブロックの全てを、上位ブロックの分割方向と異なる方向にTT分割することを制限（禁止）する。換言すると、上位ブロックの分割によって生じた３つのブロックのうち、２つのブロックについては、上位ブロックの分割方向と異なる方向にTT分割することができる。
【０１５２】
なお、本例において、上位ブロックの分割によって生じたブロックの水平方向および垂直方向の両方のTT分割を制限（禁止）すると、９分割の分割パターンが作れなくなる。そのため、CN情報復号部１０は水平方向または垂直方向のいずれかのみで該分割を制限（禁止）してもよい。
【０１５３】
本制限は以下のように表現することもできる。対象ブロックが、上位ブロックに対する三分木分割により得られた３つのブロックの１つである場合であって、当該３つのブロックのうちの他の２つのブロックが、上位ブロックに対する三分木分割と異なる方向に三分木分割された場合に、CN情報復号部１０は、対象ブロックを、上位ブロックに対する三分木分割と異なる方向に三分木分割することを制限する。
【０１５４】
（制限される分割パターン：Ａ-ｃ’）
また、図１５の（ｃ）および（ｄ）に示す例では、CN情報復号部１０は上位ブロックをTT分割することによって生じたブロックの何れか１つのブロックを上位ブロックの分割方向と異なる方向にTT分割することを制限（禁止）する。分割の制限を受けるブロックは、例えば、上位ブロックの分割によって生じたブロックのうち、最後に分割処理されるブロックとしてもよいが、特に限定はされない。
【０１５５】
換言すると、対象ブロックが、上位ブロックに対する三分木分割により得られた３つのブロックの１つである場合に、CN情報復号部１０はは、対象ブロックを、上位ブロックに対する三分木分割と異なる方向に三分木分割することを制限する。
【０１５６】
（BT/TT情報復号処理の流れの概要）
次に、CN情報復号部１０によるBT/TT情報復号処理の概要について、図１６を参照して説明する。図１６は、CN情報復号部１０のBT/TT情報復号処理の流れの一例の概要を示すフローチャートである。
【０１５７】
上述のＳ１４３１にて、QT分割フラグsplit_cu_flagが０の場合に、CN情報復号部１０は対象ブロックがＰＴ分割できるか否かを対象ブロックのサイズ等から判定し、ＰＴ分割フラグの復号の要否を判定する（Ｓ１５０１：ＰＴ分割フラグ判定）。ＰＴ分割フラグの復号が「要」である場合（Ｓ１５０１でＹＥＳ）、CN情報復号部１０はＰＴ分割フラグを復号する（Ｓ１５０２）。続いて、CN情報復号部１０は復号したＰＴ分割フラグが０であるか否かを判定する（Ｓ１５０３）。ＰＴ分割フラグが０である場合（Ｓ１５０３でＮＯ）、処理は終了する。ＰＴ分割フラグが０以外である場合（Ｓ１５０３でＹＥＳ）、CN情報復号部１０は、分割対象ブロックの分割方向が設定されているブロックの分割の制限等によって一意で決まるか否かなどを判定し、分割方向フラグの復号の要否の判定を行う（Ｓ１５０４：分割方向フラグ判定）。分割方向フラグの復号が「要」である場合（分割方向が一意に決まらない場合等）（Ｓ１５０４でＹＥＳ）、CN情報復号部１０は分割方向フラグを復号し（Ｓ１５０５）、分割方向を決定し、処理はＳ１５０６に続く。分割方向フラグの復号が「不要」である場合（分割方向が一意で決まる場合等）（Ｓ１５０４でＮＯ）、CN情報復号部１０は分割方向フラグを復号せずに、処理はＳ１５０６に続く。Ｓ１５０６にて、CN情報復号部１０は、分割対象ブロックの分割モード（TT分割、BT分割）が設定されているブロックの分割の制限等によって分割モードが一意で決まるか否かなどを判定し、分割モード選択フラグの復号の要否の判定を行う（Ｓ１５０６：分割モード選択フラグ判定）。分割モード選択フラグの復号が「要」である場合（分割モードが一意で決まらない場合等）（Ｓ１５０６でＹＥＳ）、CN情報復号部１０は分割モード選択フラグを復号し（Ｓ１５０７）、分割モードを決定し、処理はＳ１５０８に続く。分割モード選択フラグの復号が「不要」である場合（分割モードが一意で決まる場合等）（Ｓ１５０６でＮＯ）、CN情報復号部１０は分割モード選択フラグを復号せずに、処理はＳ１５０８に続く。続いて、Ｓ１５０８にて、CN情報復号部１０は分割対象ブロックを決定した方向と決定した分割モードとによって分割する（Ｓ１５０８）。続いて、当該分割によって生じたブロックに対してBT/TT情報復号処理を繰り返し行うループ処理を行う（Ｓ１５０９、Ｓ１５１０、Ｓ１５１１）。当該ループ処理が終了すると処理は終了する。
【０１５８】
（BT/TT情報復号処理の詳細）
次に、BT/TT情報復号処理に含まれる各処理の詳細について、図１７から図３９を用いて説明する。
【０１５９】
（ＰＴ分割フラグ判定、ＰＴ分割フラグの復号、ＰＴ分割フラグによる分割の要否判定）
初めに、図１７を用いて、ＰＴ分割フラグ判定処理の詳細について説明する。図１７の（ａ）は、ＰＴ分割フラグ判定処理を示す疑似コードの一例を示す図であり、（ｂ）はＰＴ分割フラグの復号処理を示す疑似コードの一例を示す図である。図１７の（ａ）に示すように、CN情報復号部１０は、BT分割またはTT分割のいずれかで分割可能であれば、PT分割可能と判定し、PT分割フラグsplit_pt_flagの復号を「要」と判断する（TRUE）。続いて、図１７の（ｂ）に示すように、CN情報復号部１０は、PT分割フラグsplit_pt_flagを復号し、split_pt_flagからPT分割の要否を判断する。また、BT分割またはTT分割のいずれにおいても分割可能でなければ、CN情報復号部１０は、PT分割フラグsplit_pt_flagの復号は「不要」と判断する（FALSE）。BT分割可能判定およびTT分割可能判定については、詳細を後述する。なお、本処理において、設定されるBTAvailableおよびTTAvailableは、BT/TT分割情報復号処理における、他のサブルーチンからも呼び出され、参照可能としてもよい。
【０１６０】
（BT分割可能判定）
次に、図１７（ａ）のBT分割可能判定処理の詳細について、図１８を用いて説明する。図１８の（ａ）は、上述した制限されている分割パターンがない場合における、BT分割可能判定処理を示す疑似コードの一例を示す図である。図１８の（ａ）に示すようにCN情報復号部１０は、CUのサイズの最小値を示すminPTSize（単位サイズ）を導出する。CN情報復号部１０は、以下の条件１から条件３を用いて、BT分割可能判定を行う。
【０１６１】
条件１：分割の対象となるブロックの高さがminPTSize×２以上、または、分割の対象となるブロックの幅がminPTSize×２以上である（height >= minPTSize*2||width >= minPTSize*2）。
【０１６２】
条件２：分割対象ブロックの幅および高さがCUのサイズの最大値を示すmaxPTSize以下である（width <= maxPTSize && height <= maxPTSize）。
【０１６３】
条件３：分割対象ブロックの階層を示すcptDepthがmaxPTDepthより小さい（cptDepth<maxPTDepth）。なお、各ブロックにおけるDepthの値は、ブロックの面積比にもとづいてd = log2（ （maxPTSize^2）/（width*height） ）としてもよい。あるいは別の方法として、上位ブロックのDepthの値に1を加えたものでもよい。
【０１６４】
上記条件１〜３の全てを満たす場合、CN情報復号部１０はBT分割可能（TRUE）と判定する。また、上記条件１〜３の全てが満たされない場合、CN情報復号部１０は、BT分割はできない（FALSE）と判定する。
【０１６５】
次に、上述した制限されている分割パターンがある場合のBT分割可能判定処理について説明する。図１８の（ｂ）は、上述した制限されている分割パターンがある場合における、BT分割可能判定処理を示す疑似コードの一例を示す図である。図１８の（ｂ）の示すように、制限されている分割パターンがある場合、上記条件１〜３に加えて、BT分割可能判定_追加条件が満たされた場合、CN情報復号部１０はBT分割可能（TRUE）と判定する。BT分割可能判定_追加条件は、制限されている分割パターンによって異なる。BT分割可能判定_追加条件の詳細については後述する。
【０１６６】
（TT分割可能判定）
次に、TT分割可能判定処理の詳細について、図１９を用いて説明する。図１９の（ａ）は、上述した制限されている分割パターンがない場合における、TT分割可能判定処理を示す疑似コードの一例を示す図である。CN情報復号部１０は、CUのサイズの最小値を示すminPTSize（単位サイズ）を導出する。CN情報復号部１０は、以下の条件１から条件３を用いて、TT分割可能判定を行う。
【０１６７】
条件１：TT分割は分割対象ブロックの辺を1:2:1に分割する。そのため、分割の対象となるブロックの高さがminPTSize×４以上、または、分割の対象となるブロックの幅がminPTSize×４以上である（（height >= minPTSize*4||width >= minPTSize*4）。
【０１６８】
条件２：分割の対象となるブロックの幅および高さがCUのサイズの最大値を示すmaxPTSize以下である（width <= maxPTSize && height <= maxPTSize）。
【０１６９】
条件３：分割の対象となるブロックの階層を示すcptDepthがmaxPTDepthより小さい（cptDepth < maxPTDepth）。
【０１７０】
上記条件１〜３の全てを満たす場合、CN情報復号部１０はTT分割可能（TRUE）と判定する。また、上記条件１〜３の全てが満たされない場合、CN情報復号部１０は、TT分割はできない（FALSE）と判定する。
【０１７１】
次に、上述した制限されている分割パターンがある場合のTT分割可能判定処理について説明する。図１９の（ｂ）は、上述した制限されている分割パターンがある場合における、TT分割可能判定処理を示す疑似コードの一例を示す図である。図１９の（ｂ）の示すように、制限されている分割パターンがある場合、上記条件１〜３に加えて、TT分割可能判定_追加条件が満たされた場合、CN情報復号部１０はTT分割可能（TRUE）と判定する。TT分割可能判定_追加条件とは、制限されている分割パターンによって異なる。BT分割可能判定_追加条件の詳細については後述する。
【０１７２】
なお、CN情報復号部１０は、BT分割可能か否かの判定に用いた最小サイズ（=minPTSize*2）の値の２倍の値をminPTSize*4として用いて、TT分割可能か否かを判定してもよい。
【０１７３】
換言すると、CN情報復号部１０は対象ブロックを二分木分割することが可能か否かを判定するために参照した最小サイズの２倍のサイズを参照して、当該対象ブロックが三分木分割可能か否かを判定する。
【０１７４】
上記の構成によれば、TT分割によってできるブロックが、予測または変換が可能でないサイズになる場合、すなわちTT分割を使うことができない場合に、PT分割フラグや分割モード選択フラグの符号量を減少させることができる。そのため、符号化効率が向上する。さらにTT分割の判定において、BT分割の判定に用いた値の２倍のサイズを用いることにより、分割後のブロックの最小サイズをBT分割とTT分割とで同じサイズとすることができる。そのため、BT分割とTT分割とにおいて処理を共通化できる。
【０１７５】
（cptDepthの導出方法の例１）
また、上述のように、CN情報復号部１０は、BT分割可能判定およびTT分割可能判定にて、共通のデプス変数cptDepth（一時変数）を用いて、分割可能となるブロックの階層を制限する構成である。すなわち、CN情報復号部１０は、PT（BTまたはTT）分割可能か否かの判定に、共通デプスが閾値maxPTDepth未満であるか否かを用いて判定する。
【０１７６】
換言すると、CN情報復号部１０は対象ブロックの分割を、二分木分割及び三分木分割に共通のデプス変数を参照して制限する。上記構成によれば、分割可能となるブロックの階層を制限することにより、BT分割とTT分割の組み合わせを減少させることができる。そのため、符号化、復号の複雑度を低減することができる。すなわち、BT分割とTT分割との膨大な組合せのために、符号化、復号が複雑になるという問題点を解決することができる。cptDepthは、BT分割の分割デプスbtDepthとTT分割の分割デプスttDepthとの和で導出してもよい。すなわち、
cptDepth = btDepth + ttDepth
となる。
【０１７７】
cptDepthの導出としては、例えば、cptDepthの初期値を０に設定し、ブロックをBT分割またはTT分割した時に、上位ブロックの分割によって生じるブロックのcptDepthの値を{上位ブロックのcptDepthの値}+1としてもよい。そして、再帰的に一つ下の階層のブロックのCU情報復号処理を継続してもよい。
【０１７８】
BT分割の分割デプスbtDepthとTT分割の分割デプスttDepthとを導出する場合においても、同様に、btDepthの初期値を０に設定し、ブロックをBT分割した時に、上位ブロックの分割によって生じるブロックのbtDepthの値を{上位ブロックのbtDepthの値}+1としてもよい。また、ttDepthの初期値を０に設定し、ブロックをTT分割した時に、上位ブロックの分割によって生じるブロックのttDepthの値を{上位ブロックのbtDepthの値}+1としてもよい。
【０１７９】
（cptDepthの導出方法の例２）
他のcptDepthの導出方法について説明する。例えば、デプスcptDepthの初期値を０に設定し、ブロックをBT分割した時に、該分割によって生じるブロックのcptDepthの値をcptDepth+1とする。また、ブロックをTT分割した時に、該分割によって生じるブロックがTT分割の中央部であれば（partIdx==1）、cptDepthの値を{上位ブロックのcptDepthの値}+1とする。また、ブロックをTT分割した時に、該分割によって生じるブロックがTT分割の中央部以外であれば（partIdx==0 or partIdx==2）、cptDepthの値を{上位ブロックのcptDepthの値}+2としてもよい。そして、再帰的に一つ下の階層のブロックのCU情報復号処理を継続してもよい。
【０１８０】
BT分割の分割デプスbtDepthとTT分割の分割デプスttDepthとを導出する場合においても、同様に、btDepthの初期値を０に設定し、ブロックをBT分割した時に、上位ブロックの分割によって生じるブロックのbtDepthの値を{上位ブロックのbtDepthの値}+1としてもよい。また、ttDepthの初期値を０に設定し、ブロックをTT分割した時に、該分割によって生じるブロックがTT分割の中央部であれば（partIdx==1）、ttDepthの値を{上位ブロックのtttDepthの値}+1とする。また、ブロックをTT分割した時に、該分割によって生じるブロックがTT分割の中央部以外であれば（partIdx==0 or partIdx==2）、ttDepthの値を{上位ブロックのttDepthの値}+2としてもよい。
【０１８１】
（BT/TT分割可能判定（Ａ−ａ１の追加条件））
次に、図１３の（ａ）および（ｂ）に示した、制限されている分割パターン（Ａ-ａ1：CN情報復号部１０は上位ブロックをTT分割することによって生じた中央のブロックを、上位ブロックの分割方向と同じ方向にBT分割することを制限（禁止）する）に対するBT分割可能判定の追加条件について、図２０を用いて説明する。
【０１８２】
図２０から図２５はBT/TT分割可能判定の追加条件の例を示す図である。図２０に示すように、上位ブロックの分割モードがTT分割でない、または、分割対象ブロックがTT分割の中央ブロックでない（parentSplitMode != MODE_TT || partIdx != 1）場合、CN情報復号部１０はBT分割は可能（TRUE）と判定する。例えば、MODE_TT=1, MODE_BT=0としてもよい。
【０１８３】
また、上位ブロックの分割方向が水平かつ分割対象ブロックの幅がminPTSize×２よりも小さい（parentSplitDir == 0 && width < minPTSize*2）場合、または、上位ブロックの分割方向が垂直かつ分割対象ブロックの高さがminPTSize×２よりも小さい（parentSplitDir == 1 && height < minPTSize*2）場合、CN情報復号部１０はBT分割できないと判定する（FALSE）。
【０１８４】
なお、制限されている分割パターン（Ａ-ａ１）においては、TT分割可能判定_追加条件（）のサブルーチンは不要である。そのため、CN情報復号部１０はTT分割可能判定_追加条件を呼び出さない、または、TT分割可能判定_追加条件に対して、常にTRUEを返す構成としてもよい。
【０１８５】
（BT/TT分割可能判定（Ａ−ａ２の追加条件））
次に、図１３の（ｃ）および（ｆ）に示した、制限されている分割パターン（Ａ-ａ２：CN情報復号部１０は上位ブロックをBT分割することによって生じたブロックの両方を、上位ブロックの分割方向と同じ方向にBT分割することを制限（禁止）する（BT分割の最後に処理するブロックを上位ブロックの分割方向と同じ方向にBT分割することを禁止する））に対するBT分割可能判定の追加条件について、図２１を用いて説明する。
【０１８６】
図２１に示すように、上位ブロックの分割モードがBT分割でない、または、対象ブロックのpartIdxが１でない（parentSplitMode != MODE_BT || partIdx != 1）場合、CN情報復号部１０はBT分割は可能（TRUE）と判定する。
【０１８７】
また、分割対象ブロックに対する分割モードがBT分割であり、かつ、分割対象ブロックのpartIdxが１である（MODE_BT && partIdx == 1）場合は以下の通りである。
【０１８８】
上位ブロックの分割方向が水平方向の場合（parentSplitDir == 0）、CN情報復号部１０は同一の上位ブロックから分割されて生じたブロックにおいて、水平方向のBT分割が使われた回数を示すsiblingHorBTCountを導出する。上位ブロックから分割されて生じた他ブロックを水平方向にBT分割しており、かつ、分割対象ブロックの幅がminPTSize×２よりも小さい（siblingHorBTCount == 1 && width < minPTSize*2））場合、CN情報復号部１０は分割対象ブロックをBT分割できないと判定する（FALSE）。
【０１８９】
また、上位ブロックの分割方向が垂直方向の場合（parentSplitDir == 1）、CN情報復号部１０は同一の上位ブロックから分割されて生じたブロックにおいて、垂直方向のBT分割が使われた回数を示すsiblingVerBTCountを導出する。上位ブロックから分割されて生じた他ブロックを垂直方向にBT分割しており、かつ、分割対象ブロックの高さがminPTSize×２よりも小さい（siblingVerBTCount == 1 && height < minPTSize*2）場合、CN情報復号部１０は分割対象ブロックをBT分割できないと判定する（FALSE）。
【０１９０】
CN情報復号部１０は、分割対象ブロックが上述のBT分割できない条件を満たさない場合、BT分割できる（TRUE）と判定する。なお、制限されている分割パターン（Ａ−ａ２）においては、TT分割可能判定_追加条件（）のサブルーチンは不要である。
【０１９１】
また、制限されている分割パターン（Ａ−ａ２’：CN情報復号部１０は上位ブロックをBT分割することによって生じたブロックの何れか１つを、上位ブロックの分割方向と同じ方向にBT分割することを制限（禁止）する）におけるBT分割可能判定_追加条件は、制限されている分割パターン（Ａ−ａ２）のBT分割可能判定_追加条件の一部を変更することで実現される。具体的には、CN情報復号部１０はsiblingHorBTCount/siblingVerBTCountを導出しない。また、CN情報復号部１０はsiblingHorBTCount/siblingVerBTCountを用いる条件について判定しない（TRUEとする）。また、分割が制限されるブロックを分割処理が最後となるブロック以外とする場合は、追加条件におけるpartIdxの値を制限の対象となるブロックを表す値に変更することによって実現することができる。
【０１９２】
（BT/TT分割可能判定（Ａ−ｂ１の追加条件））
次に、図１４の（ａ）から（ｄ）に示した、制限されている分割パターン（Ａ-ｂ1：CN情報復号部１０は上位ブロックをTT分割することによって生じたブロックの全てを、上位ブロックと異なる方向にBT分割することを制限（禁止）する）に対するBT分割可能判定の追加条件について、図２２を用いて説明する。本制限においては、CN情報復号部１０はTT分割することによって生じたブロックのうち、最後に分割処理されるブロックに対して制限を行う。
【０１９３】
図２２に示すように、上位ブロックの分割モードがTT分割でない、または、対象ブロックのpartIdxが２でない（parentSplitMode != MODE_TT || partIdx != 2）場合、CN情報復号部１０はBT分割は可能（TRUE）と判定する。
【０１９４】
また、上位ブロックの分割モードがTT分割であり、かつ、分割対象ブロックのpartIdxが２である（MODE_TT && partIdx == 2）場合は以下の通りである。
【０１９５】
上位ブロックの分割方向が水平方向の場合（parentSplitDir == 0）、CN情報復号部１０はsiblingVerBTCountを導出する。上位ブロックから分割されて生じた他２つのブロックを垂直方向にBT分割しており（つまり、垂直方向のBT分割は制限されて不可能である）、かつ、分割対象ブロックの高さがminPTSize×２よりも小さい（siblingVerBTCount == 2 && height < minPTSize*2）ために水平方向のBT分割も不可能である場合、CN情報復号部１０は分割対象ブロックをBT分割できないと判定する（FALSE）。
【０１９６】
また、上位ブロックの分割方向が垂直方向の場合（parentSplitDir == 1）、CN情報復号部１０はsiblingHorBTCountを導出する。上位ブロックから分割されて生じた他２つのブロックを水平方向にBT分割しており（つまり、水平方向のBT分割は制限されて不可能である）、かつ、分割対象ブロックの幅がminPTSize×２よりも小さい（siblingHorBTCount == 2 && width < minPTSize*2）ために垂直方向のBT分割も不可能である場合、CN情報復号部１０は分割対象ブロックをBT分割できないと判定する（FALSE）。
【０１９７】
CN情報復号部１０は、分割対象ブロックが上述のBT分割できない条件を満たさない場合、BT分割できる（TRUE）と判定する。なお、制限されている分割パターン（Ａ−ｂ1）においては、TT分割可能判定_追加条件（）のサブルーチンは不要である。
【０１９８】
また、制限されている分割パターン（Ａ−ｂ１’：CN情報復号部１０は上位ブロックをTT分割することによって生じたブロックの何れか１つのブロックを、上位ブロックの分割方向と異なる方向にBT分割することを制限（禁止）する）におけるBT分割可能判定_追加条件は、制限されている分割パターン（Ａ−ｂ１）のBT分割可能判定_追加条件の一部を変更することで実現される。具体的には、CN情報復号部１０はsiblingHorBTCount/siblingVerBTCountを導出しない。また、CN情報復号部１０はsiblingHorBTCount/siblingVerBTCountを用いる条件について判定しない（TRUEとする）。また、分割が制限されるブロックを分割処理が最後となるブロック以外とする場合は、追加条件におけるpartIdxの値を変更することによって実現することができる。
【０１９９】
（BT/TT分割可能判定（Ａ−ｂ２の追加条件））
次に、図１４の（ｅ）から（ｈ）に示した、制限されている分割パターン（Ａ-ｂ２：CN情報復号部１０は上位ブロックをBT分割することによって生じたブロックの両方を、上位ブロックの分割方向と異なる方向にTT分割することを制限（禁止）する）に対するTT分割可能判定の追加条件について、図２４を用いて説明する。本制限においては、CN情報復号部１０はBT分割することによって生じたブロックのうち、最後に分割処理されるブロックに対して制限を行う。
【０２００】
図２４に示すように、上位ブロックの分割モードがBT分割でない、または、対象ブロックのpartIdxが1でない場合、（parentSplitMode != MODE_BT || partIdx != 1）場合、CN情報復号部１０はTT分割は可能（TRUE）と判定する。
【０２０１】
また、上位ブロックの分割モードがBT分割であり、かつ、分割対象ブロックのpartIdxが１である（MODE_BT && partIdx == 1）場合は以下の通りである。
【０２０２】
上位ブロックの分割方向が水平方向の場合（parentSplitDir == 0）、CN情報復号部１０は同一の上位ブロックから分割されて生じたブロックにおいて、垂直方向のTT分割が使われた回数を示すsiblingVerTTCountを導出する。上位ブロックの分割により生じた他のブロックを垂直方向にTT分割しており（つまり、分割対象ブロックにおける垂直方向のTT分割は制約されて不可能である）、かつ、分割対象ブロックの高さがminPTSize×４よりも小さい（siblingVerTTCount == 1 && height < minPTSize*4）ために水平方向のTT分割も不可能である場合、CN情報復号部１０は分割対象ブロックをTT分割できないと判定する（FALSE）。
【０２０３】
また、上位ブロックの分割方向が垂直方向の場合（parentSplitDir == 1）、CN情報復号部１０は同一の上位ブロックから分割されて生じたブロックにおいて、水平方向のTT分割が使われた回数を示すsiblingHorTTCountを導出する。上位ブロックの分割により生じた他のブロックを水平方向にTT分割しており（つまり、分割対象ブロックにおける水平方向のTT分割は制約されて不可能である）、かつ、分割対象ブロックの幅がminPTSize×４よりも小さい（siblingHorTTCount == 1 && width < minPTSize*4）ために垂直方向のTT分割も不可能である場合、CN情報復号部１０は分割対象ブロックをTT分割できないと判定する（FALSE）。
【０２０４】
CN情報復号部１０は、分割対象ブロックが上述のTT分割できない条件を満たさない場合、TT分割できる（TRUE）と判定する。なお、制限されている分割パターン（Ａ−ｂ２）においては、BT分割可能判定_追加条件（）のサブルーチンは不要である。
【０２０５】
また、制限されている分割パターン（Ａ−ｂ２’：CN情報復号部１０は上位ブロックをBT分割することによって生じたブロックの何れか１つを、上位ブロックの分割方向と異なる方向にTT分割することを制限（禁止）する。）におけるTT分割可能判定_追加条件は、制限されている分割パターン（Ａ−ｂ２）のTT分割可能判定_追加条件の一部を変更することで実現される。具体的には、CN情報復号部１０はsiblingHorBTCount/siblingVerBTCountを導出しない。また、CN情報復号部１０はsiblingHorBTCount/siblingVerBTCountを用いる条件について判定しない（TRUEとする）。また、分割が制限されるブロックを分割処理が最後となるブロック以外とする場合は、追加条件におけるpartIdxの値を制約の対象となるブロックを表す値に変更することによって実現することができる。
【０２０６】
（BT/TT分割可能判定（Ａ−ｃの追加条件））
次に、図１５の（ａ）から（ｄ）に示した、制限されている分割パターン（Ａ-ｃ：CN情報復号部１０は上位ブロックをTT分割することによって生じたブロックの全てを、上位ブロックの分割方向と異なる方向にTT分割することを制限（禁止）する。）に対するTT分割可能判定の追加条件について、図２５を用いて説明する。本制限においては、CN情報復号部１０は上位ブロックをTT分割することによって生じたブロックのうち、最後に分割処理されるブロックに対して制限を行う。
【０２０７】
図２５に示すように、上位ブロックの分割モードがTT分割でない、上位ブロックの分割方向が水平方向でない、または、partIdxが２でない（parentSplitMode != MODE_TT || parentSplitDir != 0 || partIdx != 2）場合、CN情報復号部１０はTT分割は可能（TRUE）と判定する。
【０２０８】
また、上位ブロックの分割モードがTT分割であり、該分割の方向が水平方向であり、かつ、分割対象ブロックのpartIdxが２である場合は以下の通りである。
【０２０９】
CN情報復号部１０はsiblingVerTTCountを導出する。上位ブロックの分割により生じた他の２つのブロックを垂直方向にTT分割しており（つまり、分割対象ブロックにおける垂直方向のTT分割は制約により不可能である）、かつ、分割対象ブロックの高さがminPTSize×４よりも小さい（siblingVerTTCount == 2 && height < minPTSize*4）ために水平方向のTT分割も不可能である場合、CN情報復号部１０は分割対象ブロックをTT分割できないと判定する（FALSE）。
【０２１０】
なお、前述のように、この場合は、上位ブロックの分割モードがTT分割であり、該分割の方向が垂直方向である場合については制限しないようにすれば、TT分割を2階層用いて9分割となる分割のパターンを利用できる。
【０２１１】
CN情報復号部１０は、分割対象ブロックが上述のTT分割できない条件を満たさない場合、TT分割できる（TRUE）と判定する。なお、制限されている分割パターン（Ａ−ｃ）においては、BT分割可能判定_追加条件（）のサブルーチンは不要である。
【０２１２】
また、制限されている分割パターン（Ａ−ｃ’：CN情報復号部１０は上位ブロックをTT分割することによって生じたブロックの何れか１つのブロックを上位ブロックの分割方向と異なる方向にTT分割することを制限（禁止）する。）におけるTT分割可能判定_追加条件は、制限されている分割パターン（Ａ−ｃ）のTT分割可能判定_追加条件の一部を変更することで実現される。具体的には、CN情報復号部１０はsiblingVerBTCountを導出しない。また、CN情報復号部１０はsiblingVerBTCountを用いる条件について判定しない（TRUEとする）。また、分割が制限されるブロックを分割処理が最後となるブロック以外とする場合は、追加条件におけるpartIdxの値を制約の対象となるブロックを表す値に変更することによって実現することができる。
【０２１３】
図２３は、CN情報復号部１０によるTT分割可能判定処理を示す、別の疑似コードである。
【０２１４】
図２３に示すように、上位ブロックの分割モードparentSplitModeがTT分割でない、または、対象ブロックの分割インデックスpartIdxが２でない場合（if（parentSplitMode != MODE_TT || partIdx != 2））、CN情報復号部１０はTT分割は可能（TRUE）と判定する。
【０２１５】
また、分割対象ブロックに対する分割モードがTT分割であり、かつ、分割対象ブロックのpartIdxが２である（MODE_TT && partIdx == 2）場合は以下の通りである。
【０２１６】
上位ブロックの分割方向parentSplitDirが水平方向の場合（if（parentSplitDir == HOR））、CN情報復号部１０は同一の上位ブロックから分割されて生じたブロックにおいて、垂直方向のTT分割が使われた回数を示すsiblingVerTTCountを導出する。上位ブロックの分割により生じた他の２つのブロックを垂直方向にTT分割しており、かつ、分割対象ブロックの高さがminPTSize×４よりも小さい（siblingVerTTCount == 2 && height < minPTSize*4）場合、CN情報復号部１０は分割対象ブロックをTT分割できないと判定する（FALSE）。
【０２１７】
換言すると、上位ブロックが水平方向にTT分割されている場合、分割対象の最初の２つのブロック（partIdx=0, 1のブロック）がともに垂直方向にTT分割されていると、最後のブロック（partIdx=2のブロック）は垂直方向にTT分割することを制限する。この時、さらに水平方向にTT分割可能な高さもない場合には、TT分割自体ができないと判定する。
【０２１８】
また、上位ブロックの分割方向が垂直方向の場合（if（parentSplitDir == VER））、CN情報復号部１０は同一の上位ブロックから分割されて生じたブロックにおいて、水平方向のTT分割が使われた回数を示すsiblingHorTTCountを導出する。上位ブロックの分割により生じた他の２つのブロックを水平方向にTT分割しており、かつ、分割対象ブロックの高さがminPTSize×４よりも小さい（siblingHorTTCount == 2 && width < minPTSize*4）場合、CN情報復号部１０は分割対象ブロックをTT分割できないと判定する（FALSE）。
【０２１９】
換言すると、上位ブロックが垂直方向にTT分割されている場合、分割対象の他の２つのブロックがともに水平方向にTT分割されていると、partIdx=2のブロックは水平方向にTT分割することを制限する。さらに、垂直方向にTT分割可能な幅もない場合には、TT分割できないと判定する。
【０２２０】
なお、FALSEの条件に該当しない場合は、TRUEを返す。
【０２２１】
続いて、図２６を参照して、CN情報復号部１０によるブロック分割の制限の他の例について説明する。図２６の例では、CN情報復号部１０は、上位ブロックの分割モードがTT分割である場合で、対象ブロックが中央のブロック（partIdx == 1）の場合に、上位のブロックと異なる方向のTT分割で分割することを制限する。還元するとTT分割によって、ＭＦＴ分割と同じ分割が生じることを禁止する。つまり、MT情報復号処理例２においてCN情報復号部１０は、対象ノードが、対象ノードよりも一世代上位のノードである直上位ノードに対するTT分割により得られた３つのノードの１つである場合であって、当該３つのノードのうちの中央のノード（partIdx == 1）は、対象ノードを、直上位ノードに対するTT分割と異なる方向にTT分割することを制限する。例えば、TT分割後のTT分割を禁止し、特にTT分割の中央ブロックにおけるTT分割を禁止する。
【０２２２】
図２６に示すように、CN情報復号部１０は、上位ブロックの分割モードがTT分割でない、または、対象ブロックのpartIdxが１でない場合（if（parentSplitMode != MODE_TT || partIdx != 1））、CN情報復号部１０はTT分割は可能（TRUE）と判定する。
【０２２３】
そうでない場合、つまり、分割対象ブロックに対する分割モードがTT分割であり、かつ、分割対象ブロックのpartIdxが１である（MODE_TT && partIdx == 1）場合は以下の通りである。
【０２２４】
CN情報復号部１０は、上位ブロックの分割方向が水平方向(HOR)、かつ分割の対象となるブロックの高さがminPTSize×４よりも小さい、または上位ブロックの分割方向parentSplitDirが垂直方向（VER）、かつ分割の対象となるブロックの幅がminPTSize×４よりも小さい（parentSplitDir == HOR && height < minPTSize*4） || （parentSplitDir == VER && width < minPTSize*4）場合、CN情報復号部１０は分割対象ブロックをTT分割できないと判定する（FALSE）。
【０２２５】
換言すると、CN情報復号部１０は、TT分割を禁止されない方の辺がTT分割できる長さ未満の場合、TT分割できないと判定する。
【０２２６】
なお、FALSEの条件に該当しない場合は、TRUEを返す。
【０２２７】
（分割方向フラグ判定）
次に、分割方向フラグ判定処理の詳細について、図２７を用いて説明する。図２７の（ａ）は、上述した制限されている分割パターンがない場合における分割方向フラグ判定処理を示す疑似コードの一例を示す図である。図２７の（ａ）に示すように、CN情報復号部１０は、CUのサイズの最小値を示すminPTSize（単位サイズ）を導出する。分割対象ブロックの幅が最小サイズである（width == minPTSize）場合、当該ブロックを垂直分割することはできない。そのため、分割対象ブロックの分割方向が水平方向であることを示すsplit_dir_flag[x0][y0]を設定する（split_dir_flag[x0][y0] = 0）。そして、分割方向フラグの復号は不要と判定する（FALSE）。ここで、(x0,y0)は分割対象ブロックの左上座標とする。
【０２２８】
また、分割対象ブロックの高さが最小サイズである（height == minPTSize）場合、当該ブロックを水平分割することはできない。そのため、CN情報復号部１０は、分割方向が垂直方向であることを示すsplit_dir_flag[x0][y0]を設定する。（ split_dir_flag[x0][y0] = 1）。そして、CN情報復号部１０は、分割方向フラグの復号は不要と判定する（FALSE）。
【０２２９】
また、分割対象ブロックの幅および高さの両方が最小サイズではない場合、水平と垂直とのいずれの方向にも分割が可能であるため、CN情報復号部１０は、分割方向フラグの復号が必要と判定する（TRUE）。
【０２３０】
次に、上述した制限されている分割パターンがある場合の分割方向フラグ判定処理について説明する。図２７の（ｂ）は、上述した制限されている分割パターンがある場合における、分割方向フラグ判定処理を示す疑似コードの一例を示す図である。図２７の（ｂ）に示すように、上述した制限されている分割パターンによって異なる追加条件によって、CN情報復号部１０は分割方向が確定する、あるいは、分割方向フラグの復号が必要であると判定する。分割パターンによって異なる追加条件については、図２８から図３１を用いて、後述する。
【０２３１】
CN情報復号部１０は分割方向フラグの復号が必要であると判定すると、分割方向フラグを復号する。図２７の（ｃ）は分割方向フラグの復号処理を示す疑似コードの一例を示す図である。
【０２３２】
次に、分割方向フラグ判定処理の詳細について、説明する。図２８から図３１は、制限されている分割パターンに対する分割方向フラグ判定の追加条件を示す疑似コードの一例を示す図である。
【０２３３】
（分割方向フラグ判定（Ａ−ａ１の追加条件））
初めに、図１３の（ａ）および（ｂ）に示した、制限されている分割パターン（Ａ-ａ1：CN情報復号部１０は上位ブロックをTT分割することによって生じた中央のブロックを、上位ブロックの分割方向と同じ方向にBT分割することを制限（禁止）する）に対する分割方向フラグ判定の追加条件について、図２８を用いて説明する。
【０２３４】
図２８に示すように、CN情報復号部１０はhorSplitAvailableおよびverSplitAvailableの初期値をTRUEにセットする。
【０２３５】
上位ブロックの分割がTT分割ではない、または、分割対象ブロックがTT分割により生じた中央ブロックではない（parentSplitMode != MODE_TT || partIdx != 1）場合、CN情報復号部１０は分割方向フラグの復号が必要であると判定する。
【０２３６】
上位ブロックの分割がTT分割であり、かつ、分割対象ブロックがTT分割により生じた中央ブロック（parentSplitMode == MODE_TT && partIdx == 1）の場合、（Ａ−ａ１）の制限により、分割対象ブロックの水平方向におけるBT分割は禁止される。かつ、分割対象ブロックの高さがminPTSize*4よりも小さい（height < minPTSize*4）場合、水平方向のTT分割も不可能であるため、水平方向については、BT分割およびTT分割がともに使用できない。したがって、分割対象ブロックの水平方向の分割は不可（horSplitAvailable = FALSE）と判定する。
【０２３７】
同様に、上位ブロックが垂直方向にTT分割の場合、分割対象ブロックの垂直方向におけるBT分割は禁止される。かつ、分割ブロックの幅がminPTSize*4よりも小さい（width < minPTSize*4）場合は垂直方向のTT分割も不可能であるため、垂直方向については、BT分割およびTT分割がともに使用できない。したがって、分割対象ブロックの垂直分割は不可となる（verSplitAvailable = FALSE）。
【０２３８】
（後処理）
CN情報復号部１０はhorSplitAvailableかつverSplitAvailableである場合、分割方向フラグｓplit_dir_flagの復号が必要と判定する。horSplitAvailableおよびverSplitAvailableのうち、一方がTRUEの場合、CN情報復号部１０はsplit_dir_flagを設定し、split_dir_flagの復号が不要（FALSE）と判定する。
【０２３９】
（分割方向フラグ判定（Ａ−ａ２の追加条件））
次に、図１３の（ｃ）および（ｄ）に示した、制限されている分割パターン（Ａ-ａ２：CN情報復号部１０は上位ブロックをBT分割することによって生じたブロックの両方を、上位ブロックの分割方向と同じ方向にBT分割することを制限（禁止）する）に対する分割方向フラグ判定の追加条件について、図２９を用いて説明する。
【０２４０】
図２９に示すように、CN情報復号部１０はhorSplitAvailableおよびverSplitAvailableの初期値をTRUEにセットする。
【０２４１】
上位ブロックの分割がBT分割ではない、または、分割対象ブロックが上位ブロックの分割により生じたブロックのうちの最後に分割処理されるブロックではない（parentSplitMode != MODE_BT || partIdx != 1）場合、CN情報復号部１０は分割方向フラグの復号が必要であると判定する。
【０２４２】
上位ブロックの分割が水平方向のBT分割であり、かつ、分割対象ブロックのpartIdx == 1（parentSplitMode == MODE_BT && partIdx == 1 && parentSplitDir == 0）の場合、CN情報復号部１０は、siblingHorBTCountを導出する。partIdx=0に対応するブロックが水平方向のBT分割によって分割された場合、分割対象ブロックの水平方向のBT分割は禁止される。かつ、分割対象ブロックの高さがminPTSize*4よりも小さい（siblingVerBTCount == 1 && height < minPTSize*4）場合、水平方向のTT分割も不可能となるため、水平方向についてはBT分割とTT分割のいずれも不可能である。したがって、分割対象ブロックの水平方向の分割は不可（horSplitAvailable = FALSE）と判定する。
【０２４３】
上位ブロックの分割が垂直方向のBT分割であり、かつ、分割対象ブロックのpartIDx == 1（parentSplitMode == MODE_BT && partIdx == 1 && parentSplitDir == 1）場合、CN情報復号部１０は、siblingVerBTCountを導出する。partIdx=0に対応するブロックが垂直方向のBT分割によって分割された場合、分割対象ブロックの垂直方向のBT分割は禁止される。かつ、分割ブロックの幅がminPTSize*4よりも小さい（siblingVerBTCount == 1 && width < minPTSize*4）場合、垂直方向のTT分割も不可能となるため、垂直方向についてはBT分割とTT分割のいずれも不可能である。したがって、分割対象ブロックの垂直分割は不可となる（verSplitAvailable = FALSE）。その後のCN情報復号部１０の処理は、上述の（後処理）と同様であるため、ここでの説明を省略する。
復号部１０の処理は、上述の（後処理）と同様であるため、ここでの説明を省略する。
【０２４４】
（分割方向フラグ判定（Ａ−ｂ１の追加条件））
次に、図１４の（ａ）から（ｄ）に示した、制限されている分割パターン（Ａ-ｂ1：CN情報復号部１０は上位ブロックをTT分割することによって生じたブロックの全てを、上位ブロックと異なる方向にBT分割することを制限（禁止）する）に対する分割方向フラグ判定の追加条件について、図３０を用いて説明する。
【０２４５】
図３０に示すように、CN情報復号部１０はhorSplitAvailableおよびverSplitAvailableの初期値をTRUEにセットする。
【０２４６】
上位ブロックの分割がTT分割ではない、または、分割対象ブロックが上位ブロックの分割により生じたブロックのうちの最後に分割処理されるブロックではない（parentSplitMode != MODE_TT || partIdx != 2）場合、CN情報復号部１０は分割方向フラグの復号が必要であると判定する。
【０２４７】
上位ブロックの分割が水平方向のTT分割であり、かつ、分割対象ブロックのpartIdx == 2（parentSplitMode == MODE_TT && partIdx == 2 && parentSplitDir == 0）の場合、CN情報復号部１０は、siblingVerBTCountを導出する。上位ブロックの分割により生じた他の２つのブロックが垂直方向のBT分割によって分割された場合、分割対象ブロックの垂直方向のBT分割は禁止される。かつ、分割対象ブロックの幅がminPTSize*4よりも小さい（siblingVerBTCount == 2 && width < minPTSize*4）場合、分割対象ブロックの垂直方向の分割は不可（verSplitAvailable = FALSE）と判定する。
【０２４８】
上位ブロックの分割が垂直方向のTT分割であり、かつ、分割対象ブロックのpartIdx == 2（parentSplitMode == MODE_TT && partIdx == 2 && parentSplitDir == 1）の場合、CN情報復号部１０は、siblingHorBTCountを導出する。上位ブロックの分割により生じた他の２つのブロックが水平方向のBT分割によって分割された場合、分割対象ブロックの水平方向のBT分割は禁止される。かつ、分割ブロックの高さがminPTSize*4よりも小さいtAvailable = FALSE）。その後のCN情報復号部１０の処（siblingHorBTCount == 2 && height  < minPTSize*4））場合、CN情報復号部１０は、分割対象ブロックの水平分割は不可とする（horSpli理は、上述の（後処理）と同様であるため、ここでの説明を省略する。
【０２４９】
（分割方向フラグ判定（Ａ−ｂ２およびＡ−ｃの追加条件））
図１４の（ｅ）から（ｈ）に示した、制限されている分割パターン（Ａ-ｂ２：CN情報復号部１０は上位ブロックをBT分割することによって生じたブロックの両方を、上位ブロックの分割方向と異なる方向にTT分割することを制限（禁止）する。）、および、図１５の（ａ）から（ｄ）に示した、制限されている分割パターン（Ａ-ｃ：CN情報復号部１０は上位ブロックをTT分割することによって生じたブロックの全てを、上位ブロックの分割方向と異なる方向にTT分割することを制限（禁止）する。）に対するTT分割可能判定の追加条件においては、CN情報復号部１０は、図３１に示すように何もせずTRUEを返す。このサブルーチンが呼ばれるのは、分割対象ブロックの幅および高さの両方がともにminPTSizeでない場合である。したがって、分割対象ブロックのTT分割が制限されたとしても、BT分割は依然として可能であるため、分割方向の選択肢が狭まることはない。なお、Ａ−ｂ２’およびＡ−ｃ’における分割方向フラグ判定の追加条件も同様である。
【０２５０】
図３２に、分割方向フラグ判定処理を示す別の疑似コードの一例を示す。
【０２５１】
TT分割の中央のブロックでない場合は、分割方向の制約の対象外である。上位ブロックの分割モードがTT分割でない、またはpartIdxが１でない場合（if（parentSplitMode != MODE_TT || partIdx != 1））、CN情報復号部１０はTT分割は可能（TRUE）と判定する。
【０２５２】
TT分割の中央のブロックである場合は、上位ブロックと同じ方向にしか分割できないように制限する。具体的には、CN情報復号部１０は、TT分割の中央のブロックの分割方向は上位ブロックと同じ方向である。上位ブロックの分割モードがTT分割であり、かつpartIdxが１である場合（if（parentSplitMode == MODE_TT && partIdx == 1））、CN情報復号部１０は分割対象ブロックの分割方向を、上位ブロックの分割方向と同じ方向に設定する（split_dir_flag[x0][y0] = parentSplitDir）。
【０２５３】
（分割モード選択フラグ判定）
次に、分割モード選択フラグ判定処理の詳細について、図３３を用いて説明する。図３３の（ａ）は、分割モード選択フラグ処理を示す疑似コードの一例を示す図である。図３３に示すように、CN情報復号部１０は、BTAvailableおよびTTAvailableを導出する。BTAvailableおよびTTAvailableは、PT分割フラグ判定処理において、導出されているため、本処理においてはそれらを参照して再利用してもよい。また、BTAvailableおよびTTAvailableの値をこのサブルーチン以降で変更することは、PT分割フラグ判定の結果に影響を及ぼすため、許されない。
【０２５４】
BTAvailableかつTTAvailableの場合、CN情報復号部１０は、分割モード選択フラグ判定_追加条件にて、分割モード選択フラグの復号の要否の判定を行う。BT分割およびTT分割のいずれか一方だけが可能な場合、CN情報復号部１０は、分割モード選択フラグの値を設定して、復号は不要と判定する。
【０２５５】
なお、分割モード選択フラグ判定処理および分割モード選択フラグ復号処理は、PT分割フラグ判定処理にのみ依存する。そのため、PT分割フラグの値が真でYES側に分岐した後、分割方向フラグ判定処理の前に分割モード選択フラグ判定処理および分割モード選択フラグ復号処理を実行してもよい。
【０２５６】
また、CN情報復号部１０は、TT分割可能の判定において、所定の閾値Th_TT（ =minPTSize*4 ）によって最小値判定して導出されるTT分割可能と、BT分割可能の判定において、所定の閾値Th_BT （ =minPTSize*2）によって最小値判定して導出されるBT分割可能とのいずれかが真の場合（PT分割フラグ判定）、BT分割とTT分割とを示すPT分割フラグ（共通フラグ）を復号する。
【０２５７】
また、CN情報復号部１０は、BT分割可能およびTT分割可能の両者が真の場合（分割モード選択フラグ判定）に、BT分割およびTT分割のいずれかを示す分割モード選択フラグを復号する。CN情報復号部１０は、分割モード選択フラグがpresentでない場合には、TT分割可能を分割モード選択フラグの値にする。
【０２５８】
換言すると、CN情報復号部１０は、対象ブロックに対する二分木分割、及び対象ブロックに対する三分木分割の何れか一方が可能であると判定した場合に、二分木分割と三分木分割とを示す共通のフラグを復号する。
【０２５９】
また、CN情報復号部１０は、対象ブロックに対する二分木分割、及び対象ブロックに対する三分木分割の双方が可能であると判定した場合に、二分木分割と三分木分割との何れかを示す分割モード選択フラグを復号する。
【０２６０】
上記の構成によれば、TT分割によってできるブロックが、予測または変換が可能でないサイズになる場合、すなわちTT分割を使うことができない場合に、PT分割フラグや分割モード選択フラグを復号しないため、それらのフラグの符号量を減少させることができる。
【０２６１】
（第４の実施形態）
上述した図１８および図１９では、CN情報復号部１０は、対象ブロックの分割を、二分木分割及び三分木分割に共通のデプス変数を参照して制限したが、二分木分割の分割デプス変数btDepth及び三分木分割の分割デプス変数ttDepthを個別に導出し、対象ブロックの分割を制限してもよい。
【０２６２】
（BT/TT情報復号処理の詳細）
BT/TT情報復号処理に含まれる各処理の詳細について、図３４から図３８を用いて説明する。
【０２６３】
まず、二分木分割の分割デプス変数btDepth及び三分木分割の分割デプス変数ttDepthを個別に制限する場合の各処理の詳細について、図３４〜３５を用いて説明する。
【０２６４】
（判定例１）
（PT分割フラグ判定）
初めに、図３４の（ａ）を用いて、ＰＴ分割フラグ判定処理の詳細について説明する。図３４の（ａ）は、ＰＴ分割フラグ判定処理を示す疑似コードの一例を示す図である。図３４の（ａ）に示すように、CN情報復号部１０は、BT分割またはTT分割のいずれかで分割可能であれば、PT分割可能と判定し、PT分割フラグsplit_pt_flagの復号を「要」と判断する（TRUE）。
【０２６５】
（BT分割可能判定）
次に、BT分割可能判定処理の詳細について、図３４の（ｂ）を用いて説明する。図３４の（ｂ）は、上記で図１３〜図１５を用いて説明した制限されている分割パターンがない場合における、BT分割可能判定処理を示す疑似コードの一例を示す図である。CN情報復号部１０は、以下の条件１から条件３を用いて、BT分割可能判定を行う。
【０２６６】
条件１：分割の対象となるブロックの高さがCUのサイズの最小値を示すminPTSize（単位サイズ）×２以上、または、分割の対象となるブロックの幅がminPTSize×２以上である（height >= minPTSize*2 || width >= minPTSize*2）。
【０２６７】
条件２：分割対象ブロックの幅および高さがCUのサイズの最大値を示すmaxPTSize以下である（width <= maxPTSize && height <= maxPTSize）。
【０２６８】
条件３：分割対象ブロックの階層を示すbtDepthがmaxBTDepthより小さい（btDepth<maxBTDepth）。
【０２６９】
上記条件１〜３の全てを満たす場合、CN情報復号部１０はBT分割可能（TRUE）と判定する。また、上記条件１〜３の全てが満たされない場合、CN情報復号部１０は、BT分割はできない（FALSE）と判定する。
【０２７０】
（TT分割可能判定）
次に、TT分割可能判定処理の詳細について、図３４の（ｃ）を用いて説明する。図３４の（ｃ）は、上記で図１３〜図１５を用いて説明した制限されている分割パターンがない場合における、TT分割可能判定処理を示す疑似コードの一例を示す図である。CN情報復号部１０は、以下の条件１から条件３を用いて、TT分割可能判定を行う。
【０２７１】
条件１：分割の対象となるブロックの高さがCUのサイズの最小値を示すminPTSize（単位サイズ）×４以上、または、分割の対象となるブロックの幅がminPTSize×４以上である（height >= minPTSize*4 || width >= minPTSize*4）。
【０２７２】
条件２：分割対象ブロックの幅および高さがCUのサイズの最大値を示すmaxPTSize以下である（width <= maxPTSize && height <= maxPTSize）。
【０２７３】
条件３：分割対象ブロックの階層を示すttDepthがmaxTTDepthより小さい（ttDepth<maxTTDepth）。
【０２７４】
上記条件１〜３の全てを満たす場合、CN情報復号部１０はTT分割可能（TRUE）と判定する。また、上記条件１〜３の全てが満たされない場合、CN情報復号部１０は、TT分割はできない（FALSE）と判定する。
【０２７５】
図３４の（ｄ）に示す判定は、図３４の（ａ）〜（ｃ）に示す判定と同じである。図３４の（ａ）〜（ｃ）に示す３個の判定をまとめると、図３４の（ｄ）に示す判定になる。
【０２７６】
（分割モード選択フラグ判定）
次に、分割モード選択フラグ判定処理の詳細について、図３５を用いて説明する。図３５の（ａ）は、分割モード選択フラグ判定処理を示す疑似コードの一例を示す図である。BTAvailableおよびTTAvailableは、PT分割フラグ判定処理において、導出されているため、本処理においてはそれらを参照して再利用してもよい。また、BTAvailableおよびTTAvailableの値をこのサブルーチン以降で変更することは、PT分割フラグ判定の結果に影響を及ぼすため、許されない。
【０２７７】
BTAvailableかつTTAvailableの場合、CN情報復号部１０は、TRUEと判定する。
【０２７８】
また、図３５の（ｂ）は、ＰＴ分割モード選択フラグ判定処理を示す疑似コードの一例を示す図である。CN情報復号部１０は、以下の条件１から条件３を用いて、PT分割モード選択フラグ判定を行う。
【０２７９】
条件１：分割の対象となるブロックの高さがCUのサイズの最小値を示すminPTSize（単位サイズ）×４以上、または、分割の対象となるブロックの幅がminPTSize×４以上である（height >= minPTSize*4 || width >= minPTSize*4）。
【０２８０】
条件２：分割対象ブロックの幅および高さがCUのサイズの最大値を示すmaxPTSize以下である（width <= maxPTSize && height <= maxPTSize）。
【０２８１】
条件３：分割対象ブロックの階層を示すbtDepthがmaxBTDepthより小さく、分割対象ブロックの階層を示すttDepthがmaxTTDepthより小さい（btDepth < maxBTDepth && ttDepth < maxTTDepth）。
【０２８２】
上記条件１〜３の全てを満たす場合、CN情報復号部１０はTRUEと判定する。また、上記条件１〜３の全てが満たされない場合、CN情報復号部１０は、FALSEと判定する。
【０２８３】
さらに、二分木分割の分割デプス変数btDepth及び三分木分割の分割デプス変数ttDepthを個別に制限する場合において、最大分割デプスmaxBTDepth、maxTTDepthの設定を以下のように設定してもよい。最大分割デプスの制限例を３種類挙げる。
【０２８４】
（最大分割デプスの制限例ａ）
最大二分木分割デプスmaxBTDepthおよび最大三分木分割デプスmaxTTDepthに所定の値（上限回数）を設定することにより、二分木分割の回数、三分木分割の回数を独立して制限することができる、。例えば、二分木分割の回数を２回に制限する場合にはmaxBTDepthに２を設定すればよい。また、三分木分割の回数を１回に制限する場合にはmaxTTDepthに１を設定すればよい。つまり、
maxBTDepth = 2, maxTTDepth = 1
とする。
【０２８５】
また、以下のように他の上限回数を設定してもよい。
【０２８６】
maxBTDepth = 4, maxTTDepth = 2
二分木分割と三分木分割を比較すると同じ処理時間をかけた場合の効率に差がある。上記のように各最大分割デプスを個別に設定することにより、二分木分割を深くして三分木分割を浅くするような効率の高い場合を用いることができる。
【０２８７】
（最大分割デプスの制限例ｂ）
最大二分木分割デプスmaxBTDepthおよび最大三分木分割デプスmaxTTDepthの関係を設定することにより、二分木分割の回数と三分木分割の回数との関係を保つことができる。例えば、三分木分割の回数を二分木分割の回数よりも少なくしたい場合には、maxBTDepth > maxTTDepthと設定すればよい。
【０２８８】
なお、maxBTDepth >= maxTTDepthと設定してもよいし、maxBTDepth >= maxTTDepth*2と設定してもよい。
【０２８９】
二分木分割と三分木分割を比較すると、二分木分割を深くして三分木分割を浅くしたほうが符号化効率が高い。上記によれば、二分木分割に関わる最大二分木分割デプスmaxBTDepthが小さく、三分木分割に関わる最大三分木分割デプスmaxTTDepthが大きくなるような不効率な場合を避けることができる。
【０２９０】
（最大分割デプスの制限例ｃ）
最大二分木分割デプスmaxBTDepthと最大三分木分割デプスmaxTTDepthの和の上限を設定することにより、三分木分割を有効にするか（有効にする場合には、どの程度の最大三分木デプスまで有効にするのか）に応じて二分木分割の上限回数を制限することができる。
【０２９１】
maxBTDepth + maxTTDepth < sumMaxPTDepth
例えば、最大二分木分割デプスと最大三分木分割デプスの和を３以下（sumMaxPTDepth = 3）に制限する（maxBTDepth + maxTTDepth <= 3）と、三分木分割が有効ではない場合（maxTTDepth = 0）には、二分木分割の上限回数maxTTDepthを３に設定し、三分木分割が有効ではある場合（maxTTDepth > 0）には、二分木分割の上限回数maxTTDepthを３よりも小さな値に設定することができる。つまり
maxBTDepth = 3、maxTTDepth = 0  （三分木分割が有効ではない場合）
maxBTDepth = 2、maxTTDepth = 2  （三分木分割が有効である場合）
と設定することができる。この場合、最大の二分木分割デプスが２以下に制限されるので、三分木分割が存在する場合には、二分木分割が３回連続することを禁止することができる。三分木分割を有効にする場合に、さらに二分木分割の上限回数を小さく設定することができるので、二分木分割と三分木分割の両者が数多く使われるような複雑度の高い組み合わせを避けることができるので、二分木分割が続くことを禁止することは、動画像の符号化／復号の複雑度の低減に繋がる。一方、三分木分割がない場合には、maxBTDepth = 3、maxTTDepth = 0と設定することができ、二分木分割を３回連続させることができる。
【０２９２】
TT分割フラグは発生頻度が高い。判定例１は、二分木分割の分割デプス変数btDepth及び三分木分割の分割デプス変数ttDepthを個別に制限することにより、TT分割フラグの発生を抑制し、TT分割フラグの符号化を抑制することができる。
【０２９３】
（判定例２）
次に、二分木分割の分割デプス変数btDepthと三分木分割の分割デプス変数ttDepthとを合わせた変数を制限する場合の各処理の詳細について説明する。
【０２９４】
判定例２のPT分割フラグ判定は、上記判定例１と同じ判定を行う。
【０２９５】
判定例２のBT分割可能判定は、上記判定例１と条件３が異なる。判定例２では以下の条件３を用いてBT分割可能判定を行う。
【０２９６】
BT分割可能判定の条件３：分割対象ブロックの階層を示す(btDepth + ttDepth)がmaxPTDepthより小さい（(btDepth + ttDepth) < maxPTDepth）。
【０２９７】
判定例２のTT分割可能判定は、上記判定例１と条件３が異なる。判定例２では以下の条件３を用いてTT分割可能判定を行う。
【０２９８】
TT分割可能判定の条件３：分割対象ブロックの階層を示す(btDepth + ttDepth)がmaxPTDepthより小さい（(btDepth + ttDepth) < maxPTDepth）。
【０２９９】
判定例２の分割モード選択フラグ判定は、上記判定例１と条件３が異なる。判定例２では以下の条件３を用いて分割モード選択フラグ判定を行う。
【０３００】
分割モード選択フラグ判定の条件３：分割対象ブロックの階層を示す(btDepth+ttDepth)がmaxPTDepthより小さい（btDepth+ttDepth）<maxPTDepth。
【０３０１】
なお、cptDepthの導出方法の例１、cptDepthの導出方法の例２ですでに説明したように、btDepth + ttDepthを一つの一時変数cptDepthで表現してもよい。
【０３０２】
（判定例３）
次に、二分木分割の分割デプス変数btDepth及び三分木分割の分割デプス変数ttDepthを個別に制限し、かつ、二分木分割の分割デプス変数btDepthと三分木分割の分割デプス変数ttDepthとを合わせた変数を制限する場合の各処理の詳細について、図３６〜３７を用いて説明する。
【０３０３】
なお判定例３においても、cptDepthの導出方法の例１、cptDepthの導出方法の例２ですでに説明したように、btDepth + ttDepthを一つの一時変数cptDepthで表現してもよい。
【０３０４】
判定例３のPT分割フラグ判定は、図３６に（ａ）に示すように、上記判定例１と同様BT分割可能判定と、TT分割可能判定の和（ＯＲ）から導出することができる。BT分割可能判定とTT分割可能判定は、図３６に（ｂ）および（ｃ）のとおりであり、その和であるPT分割フラグ判定は、図３６（ｄ）の通りに記載することができる。すなわち、（分割対象ブロックの階層を示すbtDepthがmaxBTDepthより小さい、もしくは、ttDepthがmaxTTDepth）かつ、(btDepth + ttDepth) < maxPTDepthの場合に、PT分割フラグが存在する（TRUE）と判定し、BT分割もしくはTT分割を行うか否かを示すフラグであるPT分割フラグを復号する。なお、図３６（ｄ）に示すように、階層に関する制限のほか、対象ブロックのwidthとheightに関する制限がさらに加わっていてもよい。
【０３０５】
判定例３のBT分割可能判定は、図３６の（ｂ）に示すように、上記判定例１と条件３が異なる。判定例３では以下の条件３を用いてBT分割可能判定を行う。
【０３０６】
BT分割可能判定の条件３：分割対象ブロックの階層を示すbtDepthがmaxBTDepthより小さく、分割対象ブロックの階層を示す(btDepth + ttDepth)がmaxPTDepthより小さい（btDepth < maxBTDepth && (btDepth + ttDepth) < maxPTDepth）。
【０３０７】
判定例３のTT分割可能判定は、図３６の（ｃ）に示すように、上記判定例１と条件３が異なる。判定例３では以下の条件３を用いてTT分割可能判定を行う。
【０３０８】
TT分割可能判定の条件３：分割対象ブロックの階層を示すttDepthがmaxTTDepthより小さく、分割対象ブロックの階層を示す(btDepth + ttDepth)がmaxPTDepthより小さい（ttDepth < maxTTDepth && (btDepth + ttDepth) < maxPTDepth）。
【０３０９】
さらに図３７の（ａ）に示すように、判定例３の分割モード選択フラグ判定は、上記判定例１と同様BT分割可能判定と、TT分割可能判定の積（ＡＮＤ）から導出することができる。BT分割可能判定とTT分割可能判定は、図３６の（ｂ）および（ｃ）のとおりであり、その積である分割モード選択フラグ判定は、図３７の（ｂ）の通りに記載することができる。すなわち、分割対象ブロックの階層を示すbtDepthがmaxBTDepthより小さい、かつ、ttDepthがmaxTTDepth、かつ、(btDepth + ttDepth) < maxPTDepthの場合に、分割モード選択フラグが存在する（TRUE）と判定し、BT分割のTT分割のいずれかを示すフラグである分割モード選択フラグを復号する。なお、図３７の（ｂ）に示すように、階層に関する制限のほか、対象ブロックのwidthとheightに関する制限がさらに加わっていてもよい。
【０３１０】
さらに説明すると、判定例３の分割モード選択フラグ判定は、上記判定例１の条件に対し条件４が異なる。判定例３では以下の条件４を用いて分割モード選択フラグ判定を行う。
【０３１１】
分割モード選択フラグ判定の条件４：分割対象ブロックの階層を示す(btDepth + ttDepth)がmaxPTDepthより小さい（(btDepth + ttDepth) < maxPTDepth）。
【０３１２】
判定例１の条件１〜３および上記条件４の全てを満たす場合、CN情報復号部１０はTRUEと判定する。また、上記条件１〜４の全てが満たされない場合、CN情報復号部１０は、FALSEと判定する。
【０３１３】
例えば、二分木分割も三分木分割も３回以下に制限し（それぞれbtDepth < 3、ttDepth < 3であれば分割できる）、さらに二分木分割と三分木分割とを足した回数も３回以下に制限する（（btDepth + ttDepth） < 3であれば足りる）ことができる。また、二分木分割と三分木分割とを足した回数は３回以下に制限し（btDepth+ttDepth < 3であれば分割できる）、三分木分割は２回以下に制限する（BT分割とTT分割はそれぞれbtDepth < 3、ttDepth < 2であれば使用できる）こともできる。
【０３１４】
判定例３は、二分木分割の分割デプス変数btDepth及び三分木分割の分割デプス変数ttDepthを個別に制限し、かつ、二分木分割の分割デプス変数btDepthと三分木分割の分割デプス変数ttDepthとを合わせた変数を制限することにより、冗長制御することができ、特に三分木分割するときに必要以上に二分木分割が増えることを抑制することができる。
【０３１５】
（判定例４）
次に、三分木分割の後の二分木分割を制限する分割モード選択フラグ判定処理の詳細について説明する。図３８の（ａ）は、三分木分割の後の二分木分割を制限する分割モード選択フラグ判定処理を示す疑似コードの一例を示す図である。図３８の（ａ）に示すように、CN情報復号部１０は、すでにTT分割を行っていれば、BT分割できないと判定する。すなわち、TT分割の分割デプスttDepthが０より大きい（０以外）の場合には、BT分割できないと判定する。またCN情報復号部１０は、分割モード選択フラグ判定において、BT分割およびTT分割が分割可能であれば、分割モード選択フラグを復号すると判定する（TRUE）。
【０３１６】
（判定例５）
次に、二分木分割の後の三分木分割を制限する分割モード選択フラグ判定処理の詳細について説明する。図３８の（ｂ）は、二分木分割の後の三分木分割を制限する分割モード選択フラグ判定処理を示す疑似コードの一例を示す図である。図３８の（ｂ）に示すように、CN情報復号部１０は、BT分割であれば、TT分割できないと判定する。すなわち、BT分割の分割デプスbtDepthが０より大きい（０以外）の場合には、TT分割できないと判定する。またCN情報復号部１０は、分割モード選択フラグ判定において、BT分割およびTT分割が分割可能であれば、分割モード選択フラグを復号すると判定する（TRUE）。
【０３１７】
上記判定例４および判定例５は、制御が簡単でありながら、動画像の符号化／復号の複雑度の低減の効果が明らかである。
【０３１８】
（BB/TT分割処理）
次に、CN情報復号部１０のBB/TT分割処理について、図３９を用いて説明する。図３９の（ａ）および（ｂ）は、BB/TT分割処理を示す疑似コードの一例を示す図である。図３９の（ａ）および（ｂ）に示すように、CN情報復号部１０は、分割方向フラグと分割モード選択フラグとに基づいて、分割対象ブロックを分割する。また、CN情報復号部１０は分割対象のブロックが、上位ブロックのどのような分割でできたかという情報（parent…）も設定する。partIdxはブロックのインデクスであり、ループする毎に設定される。parent…の代わりに、各ブロックについて制限の有無あるいは制限適用の可否などの情報を呼び出し側で予め導出して設定する。
【０３１９】
（第３の実施形態）
（利用機会の少ない分割パターン）
本実施形態に係る画像復号装置３１は、特に限定がない場合は、第２の実施形態と同様の構成である。よって、画像復号装置３１は第２の実施形態の画像復号装置３１と同様に、TT分割が可能な構成である。そのため、分割の組合せによって得られるブロックの分割パターンが増加する。よって、画像符号化装置１１における、ブロックの分割パターンの決定に要する時間が増加する。本実施形態に係る画像復号装置３１は、利用機会の少ない分割パターンを制限（禁止）する。例えば、特定の分割パターンと同一ではないが類似する分割パターンにおいて、当該類似する分割パターンの符号化効率と特定の分割パターンの符号化効率とに大きな違いがないと考えられる場合、当該類似する分割パターンを禁止する。
【０３２０】
利用機会の少ない分割パターンの例について、図４０を用いて説明する。図４０は、利用機会の少ない分割パターンの例を示す図である。図４０には、ブロック（ＣＮ）を水平方向にTT分割し、さらに、該TT分割により得られたブロックを水平方向にTT分割して得られる分割パターン１と、ブロックを水平方向にTT分割し、さらに、該TT分割により得られたブロックを水平方向にBT分割して得られる分割パターン２とが示されている。分割パターン１における、２回のTT分割によって生じたブロックは細長過ぎる形状であり、利用機会が少ない。したがって、画像復号装置３１は分割パターン１を制限（禁止）する。
【０３２１】
上記の構成によれば、画像符号化装置１１は利用機会の少ない分割パターンを評価する必要が無くなる。また、利用機会が少ない分割パターンが禁止されるため、該分割に係るフラグなどの符号化データは不要となる。そのため、画像符号化装置１１の符号化効率が向上する。
【０３２２】
（制限されている分割パターン）
ここで、本実施形態に係るCN情報復号部１０が制限するCNの分割パターンの例について、図４１を用いて説明する。図４１の（ａ）から（ｃ）は、CN情報復号部１０が制限している分割パターンの一例を示している。図４１の（ａ）から（ｃ）における実線は上位の符号化ノードまたは符号化ツリーユニット（上位ブロック）を分割することによって生じた符号化ノード（ブロック）の境界を示している。また、〇印は、分割対象ブロックにおいて点線で示す分割が可能であることを示している。また、×印は、分割対象ブロックにおいて点線で示す分割が制限（禁止）されていることを示している。
【０３２３】
（制限されている分割パターン：Ｂ-ｄ）
例えば、CN情報復号部１０は上位ブロックをTT分割することによって生じた分割対象ブロックを、上位ブロックの分割方向と同じ方向に分割することを制限（禁止）する。
【０３２４】
換言すると、対象ブロックが、上位ブロックに対する三分木分割により得られた３つのブロックの１つである場合に、CN情報復号部１０は、上記対象ブロックを、上位ブロックに対する三分木分割と同じ方向に分割することを制限する。
【０３２５】
（制限されている分割パターン：Ｂ-ｄ1）
また、図４１の（ａ）に示す例では、CN情報復号部１０は上位ブロックをTT分割することによって生じたブロックのうちの中央ブロックを、上位ブロックの分割方向と同じ方向に分割することを制限（禁止）する。
【０３２６】
換言すると、対象ブロックが、上位ブロックに対する三分木分割により得られた３つのノードのうち中央のブロックである場合に、CN情報復号部１０は、対象ブロックを、上位ブロックに対する三分木分割と同じ方向に分割することを制限する。
【０３２７】
（制限されている分割パターン：Ｂ-ｄ1’）
また、図４１の（ｂ）に示す例では、CN情報復号部１０は上位ブロックをTT分割することによって生じたブロックのうちの中央ブロックを、上位ブロックの分割方向と異なる方向のTT分割以外で分割することを制限（禁止）する。
【０３２８】
換言すると、対象ブロックが、上位ブロックに対する三分木分割により得られた３つのブロックのうち中央のブロックである場合に、CN情報復号部１０は、対象ブロックを、上位ブロックに対する三分木分割と異なる方向の三分木分割以外で分割することを制限する。
【０３２９】
（制限されている分割パターン：Ｂ-ｄ２）
また、図４１の（ｃ）に示す例では、CN情報復号部１０は上位ブロックをTT分割することによって生じたブロックのうちの中央ブロック以外のブロックを、上位ブロックと同じ方向に分割することを制限（禁止）する。
【０３３０】
換言すると、対象ブロックが、上位ブロックに対する三分木分割により得られた３つのブロックのうち中央のブロック以外のブロックである場合に、CN情報復号部１０は、上記対象ブロックを、上位ブロックに対する三分木分割と同じ方向に分割することを制限する。
【０３３１】
（制限されている分割パターン：Ｂ-ｄ３）
また、図示しない別の例としては、CN情報復号部１０は上位ブロックをTT分割することによって生じたブロックを、上位ブロックの分割方向と同じ方向にTT分割することを制限（禁止）する。
【０３３２】
また、上記対象ノードが、上記直上位ノードに対する三分木分割により得られた３つのノードの１つである場合に、上記分割部は、上記対象ノードを、上記直上位ノードに対する三分木分割と同じ方向に三分木分割することを制限する。
【０３３３】
（BT/TT情報復号処理の詳細）
次に、本実施形態に係る制限されている分割パターンに対する分割方向フラグ判定の追加条件について、図４２から図４６を用いて説明する。図４２から図４６は、制限されている分割パターンにおける分割方向フラグ判定の追加条件を示す疑似コードの一例を示す図である。
【０３３４】
（分割方向フラグ判定）
（分割方向フラグ判定（Ｂ−ｄの追加条件））
制限されている分割パターン（Ｂ-ｄ：CN情報復号部１０は上位ブロックをTT分割することによって生じた分割対象ブロックを、上位ブロックの分割方向と同じ方向に分割することを制限（禁止）する）に対する分割方向フラグ判定の追加条件について、図４２を用いて説明する。
【０３３５】
図４２に示すように、上位ブロックがTT分割されている場合（parentSplitMode == MODE_TT）、CN情報復号部１０は、分割対象ブロックを上位ブロックの分割方向と同じ方向に分割する禁止する。そのため、分割対象ブロックの分割方向を、上位ブロックの分割方向と異なる方向に設定し、分割方向フラグの復号を不要と判断する（FALSE）。
上位ブロックの分割方向（parentSplitDir）は0または1である。そのため、図４２に示すように、１からparentSplitDirを引くことにより、上位ブロックとは異なる方向を導出することができる。
【０３３６】
なお、本制限されている分割パターンにおいては、第２の実施形態で説明した「BT/TT分割可能判定」における追加条件は、特にない。以下に記載の制限されている分割パターンにおいては、特に追加条件の記載がないものに関しては、追加条件は、特に設定されていないものとする。
【０３３７】
（分割方向フラグ判定（Ｂ−ｄ１の追加条件））
次に、制限されている分割パターン（Ｂ-ｄ１：CN情報復号部１０は上位ブロックをTT分割することによって生じたブロックのうちの中央ブロックを、上位ブロックの分割方向と同じ方向に分割することを制限（禁止）する）に対する分割方向フラグ判定の追加条件について、図４３を用いて説明する。上位ブロックがTT分割され、かつ、分割対象ブロックが当該TT分割により生じたブロックのうち、中央ブロックである（parentSplitMode == MODE_TT && partIdx == 1）場合、分割対象ブロックの分割方向を、上位ブロックの分割方向と異なる方向に設定し、分割方向フラグの復号を不要と判断する（FALSE）。
【０３３８】
（分割方向フラグ判定（Ｂ−ｄ２の追加条件））
次に、制限されている分割パターン（Ｂ-ｄ２：CN情報復号部１０は上位ブロックをTT分割することによって生じたブロックのうちの中央ブロック以外のブロックを、上位ブロックと同じ方向に分割することを制限（禁止）する）に対する分割方向フラグ判定の追加条件について、図４４を用いて説明する。上位ブロックがTT分割され、かつ、分割対象ブロックが当該TT分割により生じたブロックのうち、中央ブロック以外のブロックである（parentSplitMode == MODE_TT && partIdx！= 1）場合、分割対象ブロックの分割方向を、上位ブロックの分割方向と異なる方向に設定し、分割方向フラグの復号を不要と判断する（FALSE）。
【０３３９】
（分割方向フラグ判定（Ｂ−ｄ１’の追加条件））
次に、制限されている分割パターン（Ｂ-ｄ１’：CN情報復号部１０は上位ブロックをTT分割することによって生じたブロックのうちの中央ブロックを、上位ブロックの分割方向と異なる方向のTT分割以外で分割することを制限（禁止）する）に対する分割方向フラグ判定の追加条件について、図４５を用いて説明する。図４５の（ａ）に示すように、ブロックがTT分割され、かつ、分割対象ブロックが当該TT分割により生じたブロックのうち、中央ブロックである（parentSplitMode == MODE_TT && partIdx== 1）場合、分割対象ブロックの分割方向を、上位ブロックの分割方向と異なる方向に設定し、分割方向フラグの復号を不要と判断する（FALSE）。
【０３４０】
なお、本制限されている分割パターンにおいては、第２の実施形態で説明した「BT/TT分割可能判定」における追加条件がある。該追加条件について、図４５の（ｂ）を用いて説明する。図４５の（ｂ）は、上述した制限されている分割パターンがある場合における、BT分割可能判定処理を示す疑似コードの一例を示す図である。
【０３４１】
図４５の（ｂ）に示すように、上位ブロックの分割モードがTT分割であり、かつ、対象ブロックがTT分割により生じたブロックの中央ブロックである（parentSplitMode == MODE_TT && partIdx == 1）場合、CN情報復号部１０はBT分割を不可（FALSE）と判定する。図４５の（ｃ）は、本制限における可能な分割を示す図である。図４５の（ｃ）に示すように、CN情報復号部１０はTT分割により生じた中央ブロックのBT分割を制限する。また、当該ブロックの分割方向を上位ブロックの分割方向と同じ方向を制限する。
【０３４２】
（分割方向フラグ判定（Ｂ-ｄ３の追加条件））
次に、制限されている分割パターン（Ｂ-ｄ３：CN情報復号部１０は上位ブロックをTT分割することによって生じたブロックを、上位ブロックの分割方向と同じ方向にTT分割することを制限（禁止）する）に対するCN情報復号部１０の処理の流れについて、説明する。
【０３４３】
図５０は、本制限を行うCN情報復号部１０の処理の流れの一例の概要を示す図である。図５０に示すように、第２の実施形態で説明したCN情報復号部１０の処理の流れの一例（図１６を参照）と本処理の流れとにおいて異なる点は、本処理においては、分割モードの決定（分割モード選択フラグ判定Ｓ１５０６、分割モード選択フラグ判定Ｓ１５０７）を、分割方向の決定（分割方向フラグ判定Ｓ１５０４、分割方向フラグ復号Ｓ１５０５）よりも先に行う点である。
【０３４４】
次に、分割方向フラグ判定の追加条件について、図４６を用いて説明する。図４６の（ａ）に示すように、上位ブロックがTT分割され、かつ、分割対象ブロックをTT分割する（parentSplitMode == MODE_TT && split_sel_flag[x0][y0] == MODE_TT）場合、分割対象ブロックの分割方向を、上位ブロックの分割方向と異なる方向に設定し、分割方向フラグの復号を不要と判断する（FALSE）。
【０３４５】
図４６の（ｂ）は、本制限における可能な分割を示す図である。図４６の（ｂ）に示すように、CN情報復号部１０は対象ブロックの分割がTT分割に選択されたときのみ、分割方向は上位ブロックの分割方向と異なる方向のみに限定される。
【０３４６】
（他の制限されている分割パターン）
次に、本実施形態に係るCN情報復号部１０が制限するCNの分割パターンの他の例について、図４７を用いて説明する。図４７の（ａ）から（ｌ）は、CN情報復号部１０が制限している分割パターンの一例を示している。
【０３４７】
（制限されている分割パターン：Ｂ-ｅ）
図４７の（ａ）から（ｄ）、（ｇ）から（ｌ）に示す例では、CN情報復号部１０は上位ブロックをTT分割することによって生じたブロックのうち、（ａ）から（ｄ）に示すような長方形の分割対象ブロックを、図中の点線のように、上位ブロックの分割方向と同じ方向に分割することを制限（禁止）する。
【０３４８】
換言すると、分割対象ブロックの形状が（ｇ）から（ｌ）に示すような正方形である場合、CN情報復号部１０は、対象ブロックの分割の仕方を制限しない。
【０３４９】
なお、図４７の（ｅ）および（ｆ）に示すように、分割対象のブロックが正方形であっても、第２の実施形態にて説明した冗長な分割パターンの分割をCN情報復号部１０は制限（禁止）してもよい。
【０３５０】
（分割方向フラグ判定（Ｂ−ｅの追加条件））
次に、制限されている分割パターン（Ｂ-ｅ）に対する分割方向フラグ判定の追加条件について、図４８を用いて説明する。図４８は、制限されている分割パターン（Ｂ-ｅ）に対する分割方向フラグ判定の追加条件を示す疑似コードの一例を示す図である。
【０３５１】
図４８に示すように、上位ブロックがTT分割され、かつ、分割対象ブロックの幅と高さとが異なる（parentSplitMode == MODE_TT && width != height）場合、CN情報復号部１０は分割対象ブロックの分割方向を、上位ブロックの分割方向と異なる方向に設定し（split_dir_flag[x0][y0] = 1 - parentSplitDir）、分割方向フラグの復号を不要と判断する（FALSE）。
【０３５２】
（他の制限されている分割パターン：アスペクト比TT分割制限）
次に、本実施形態に係るCN情報復号部１０が制限するCNの分割パターンのさらに他の例について、図４９を用いて説明する。図４９の（ａ）および（ｂ）は、CN情報復号部１０が制限している分割パターンの一例を示している。
図４９の（ａ）および（ｂ）に示す例では、対象ブロックが、アスペクト比が所定の値以上となるような矩形状である場合に、CN情報復号部１０は、対象ブロックを、対象ブロックの長手方向に沿って境界が生じる３分木分割にて分割することを制限する。
【０３５３】
本明細書における、ブロックのアスペクト比とは、該ブロックの幅と高さとがwidth、heightである場合に幅と高さとの比の最大値を意味する。すなわち、max(width/height, height/width)である。アスペクト比TT分割制限とは、TT分割によって、widthとheightの比が所定の値以上、例えば、1:8(4×32、8×64)、8:1(32×4、64×8)になることを禁止する。言い換えると、対象ブロックがある程度以上横長の場合には水平分割することを禁止し、対象ブロックがある程度以上縦長の場合には垂直分割することを禁止する。
【０３５４】
例えば、図４９の（ａ）においては、対象ブロックが横長のために、CN情報復号部１０が水平分割を禁止する例を示している。また、図４９の（ｂ）においては、対象ブロックが縦長のために、CN情報復号部１０が垂直分割を禁止する例を示している。
【０３５５】
（分割モード選択フラグ判定（アスペクト比TT分割制限の追加条件））
次に、分割モード選択フラグ判定（アスペクト比TT分割制限）の追加条件について、図５１を用いて説明する。図５１は、制限されている分割パターンにおける分割方向フラグ判定の追加条件を示す疑似コードの一例を示す図である。図５１に示すように、分割対象ブロックの幅の値が分割対象ブロックの高さの値のM倍よりも大きく、かつ、分割対象ブロックの分割方向が水平方向である（width > M*height && split_dir_flag[x0][y0] == 0）場合、分割対象ブロックの分割をBT分割に設定し（split_sel_flag[x0][y0] = MODE_BT）、分割モード選択フラグの復号を不要と判断する（FALSE）。
【０３５６】
また、分割対象ブロックの高さの値が分割対象ブロックの幅の値のM倍よりも大きく、かつ、分割対象ブロックの分割方向が垂直方向である（ height > M*width && split_dir_flag[x0][y0] == 1）場合、分割対象ブロックの分割をBT分割に設定し（split_sel_flag[x0][y0] = MODE_BT）、分割モード選択フラグの復号を不要と判断する（FALSE）。
【０３５７】
なお、TT分割が制限されるケースがあるが、ここでは、PT分割フラグ判定の結果に影響を与えないため、TTAVailableの値は設定しない。また、TTAvailableの値が変わることもない。このサブルーチンはBTAVailable/TTAVailableともにTRUEの場合のみ呼ばれ、上記の条件に該当して短辺方向がBT分割のみに制限される場合でも、長辺方向では依然としてTT分割が可能である。そのため、TTAvailableの値には影響しない。
【０３５８】
（分割方向フラグ判定（アスペクト比TT分割制限の追加条件））
また、本制限されている分割パターン（アスペクト比TT分割制限）に対するCN情報復号部１０の処理の流れは、図５０に示す制限されている分割パターン（Ｂ-ｄ３）と同様としてもよい。図５０に示す処理の流れについては上述したため、ここでの説明を省略する。図５０に示す処理の流れにおける、分割方向フラグ判定（アスペクト比TT分割制限）の追加条件について、図５２を用いて説明する。図５２は、制限されている分割パターンにおける分割方向フラグ判定の追加条件を示す疑似コードの一例を示す図である。図５２に示すように、分割対象ブロックの幅の値が分割対象ブロックの高さの値のM倍よりも大きく、かつ、分割対象ブロックの分割がTT分割である（width > M*height && split_sel_flag[x0][y0] == MODE_TT）場合、分割対象ブロックの分割方向を垂直方向に設定し（split_dir_flag[x0][y0] = 1）、分割方向フラグの復号を不要と判断する（FALSE）。
【０３５９】
また、分割対象ブロックの高さの値が分割対象ブロックの幅の値のM倍よりも大きく、かつ、分割対象ブロックの分割がTT分割である（height > M*width && split_sel_flag[x0][y0] == MODE_TT）場合、分割対象ブロックのの分割方向を水平方向に設定し（split_dir_flag[x0][y0] = 0）、分割方向フラグの復号を不要と判断する（FALSE）。
【０３６０】
（MT情報復号処理）
CN情報復号部１０によるCN情報復号の各動作例について、図５５〜図６６を参照して説明する。
【０３６１】
（MT情報復号処理例１）
図５５は、本発明の一実施形態に係るCN情報復号部１０のMT情報復号処理の第１の例を説明するフローチャートである。図５５は、MT分割が、MNT分割及びQT分割を含んでいる場合のMT復号処理を説明するフローチャートである。
【０３６２】
（Ｓ１１０１）
CN情報復号部１０は、まず、Ｓ１１０１において、MT分割フラグを復号するのか否かを判定する（MT分割フラグ判定）。CN情報復号部１０が、MT分割フラグを復号すると判定した場合（MT分割フラグ判定がY/TRUE）、ステップＳ１１０２に進み、MT分割フラグを復号しないと判定した場合（MT分割フラグ判定がN/FALSE）、MT情報復号処理を終了する。
【０３６３】
（Ｓ１１０２）
Ｓ１１０２において、CN情報復号部１０は、MT分割フラグmt_split_flagの復号を行う。ここで、mt_split_flag＝０は、対象ブロックを分割しないことを示し、mt_split_flag＝１は、対象ブロックを分割することを示す。
【０３６４】
（Ｓ１１０３）
続いて、CN情報復号部１０は、MT分割フラグmt_split_flagに関する判別式
MT分割フラグ != 0    （式１１０１）
の真偽を判定する。（式１１０１）が真である場合、ステップＳ１１０４に進み、（式１１０１）が偽である場合、MT情報復号処理を終了する。
【０３６５】
（Ｓ１１０４）
Ｓ１１０４において、CN情報復号部１０は、MT分割モード選択フラグを復号するのか否かを判定する（MT分割モード選択フラグ判定）。CN情報復号部１０が、MT分割モード選択フラグを復号すると判定した場合（MT分割モード選択フラグ判定がYES/TRUE）、ステップＳ１１０５に進む。CN情報復号部１０が、MT分割モード選択フラグを復号しないと判定した場合（MT分割分割モード選択フラグ判定がNO/FALSE）、mt_sel_flag = 0 にセットして、ステップＳ１１０６に進む。
【０３６６】
（Ｓ１１０５）
Ｓ１１０５において、CN情報復号部１０は、MT分割モード選択フラグmt_sel_flagを復号する。ここで、mt_sel_flag＝０は、対象ブロックをQT分割することを示し、mt_sel_flag＝１は、対象ブロックをMNT分割することを示す。
【０３６７】
（Ｓ１１０６）
Ｓ１１０６において、CN情報復号部１０は、分割対象ブロックを、MT分割モード選択フラグmt_sel_flagの示す分割モードによって分割する。
【０３６８】
より具体的には、MT分割モード選択フラグmt_sel_flagがMNT分割を示す場合、CN情報復号部１０は、図５３（ａ）に示すように、対象ブロック（対象ノード）を、水平方向に１：２：１、垂直方向に１：２：１に分割することによって、９つのノード（ブロック）に分割する。すなわち、対象ノードを、第１の方向に１：２：１、上記第１の方向に垂直な（直交する）第２の方向に１：２：１に分割することによって、９つのノードに分割する。
【０３６９】
一方、MT分割モード選択フラグmt_sel_flagがQT分割を示す場合、CN情報復号部１０は、図７（ａ）に示すように、対象ブロックを４分木分割する。
【０３７０】
なお、MNT分割が示す分割の仕方は、互いに分割方向が直行する２回のTT分割を、連続して対象ノードに適用することによっても実現され得る。しかしながら、上記の例では、mt_sel_flagがMNT分割を示す場合、CN情報復号部１０は一回の分割処理によって、対象ノードを４つ以上（ここでは９つ）のノードに分割している。したがって、分割深度（分割回数）の増大を抑えつつ、複雑な分割を実現することができる。
【０３７１】
（Ｓ１１０７〜Ｓ１１０９）
続いて、当該分割によって生じたブロックに対してMT情報復号処理を繰り返し行うループ処理を行う（Ｓ１１０７、Ｓ１１０８、Ｓ１１０９）。当該ループ処理が終了すると処理は終了する。
【０３７２】
図５６を用いて、MT分割フラグ判定、MT分割モード選択フラグ判定の詳細について説明する。図５６の（ａ）は、MT分割フラグ判定処理を示す疑似コードの一例を示す図であり、図５６の（ｂ）は、MT分割モード選択フラグ判定処理を示す疑似コードの一例を示す図である。
【０３７３】
（MT分割フラグ判定）
CN情報復号部１０は、以下の条件１から条件３を用いて、MT分割フラグ判定を行う。
【０３７４】
条件１：分割の対象となるブロックの高さheightがminPTSize×２以上、または、分割の対象となるブロックの幅widthがminPTSize×２以上（height >= minPTSize*2 || width >= minPTSize*2）。ここでminPTSizeはPT分割時のブロックサイズの最小値である。
【０３７５】
条件２：分割対象ブロックの幅および高さがブロックサイズの最大値を示すmaxMTSize以下（width <= maxMTSize && height <= maxMTSize）。ここでmaxMTSizeはMT分割時のブロックサイズの最大値である。
【０３７６】
条件３：分割対象ブロックの階層を示すqtDepthがmaxQTDepthより小さい、または分割対象ブロックの階層を示すmntDepthがmaxMNTDepthより小さい（qtDepth < maxQTDepth || mntDepth < maxMNTDepth）。ここでmaxQTSizeはQT分割時の深度（階層）の最大値であり、maxMNTSizeはMNT分割時の深度（階層）の最大値である。
【０３７７】
上記条件１〜３の全てを満たす場合、CN情報復号部１０はMT分割可能（TRUE）と判定する。また、上記条件１〜３のいずれかが満たされない場合、CN情報復号部１０は、MT分割はできない（FALSE）と判定する。
【０３７８】
（MT分割モード選択フラグ判定）
CN情報復号部１０は、以下の条件１から条件３を用いて、MT分割モード選択フラグ判定を行う。
【０３７９】
条件１：分割の対象となるブロックの高さおよび幅がminPTSize×４以上（height >= minPTSize*4 && width >= minPTSize*4）。
【０３８０】
条件２：分割対象ブロックの幅および高さがブロックサイズの最大値を示すmaxMTSize以下（width <= maxPTSize && height <= maxPTSize）。
【０３８１】
条件３：分割の対象となるブロックの階層を示すqtDepthがmaxQTDepthより小さく、かつ分割の対象となるブロックの階層を示すmntDepthがmaxMNTDepthより小さい（qtDepth < maxQTDepth && mntDepth < maxMNTDepth）。
【０３８２】
上記条件１〜３の全てを満たす場合、CN情報復号部１０は、MT分割モード選択フラグの復号は必要（TRUE）と判定する。また、上記条件１〜３のいずれかが満たされない場合、CN情報復号部１０は、MT分割モード選択フラグの復号は不要（FALSE）と判定する。
【０３８３】
（MT情報復号処理例２）
図５７は、本発明の一実施形態に係るCN情報復号部１０のMT情報復号処理の第２の例を説明するフローチャートである。本例では、MT分割する場合に、分割方向が水平方向か垂直方向かを識別するフラグ（MT分割方向フラグmt_dir_flag）の復号処理をする点で、上記MT情報復号処理例１と異なる。
【０３８４】
Ｓ１４０１〜Ｓ１４０５は、上記MT情報復号処理例１のＳ１１０１〜Ｓ１１０５に対応し、Ｓ１４０９〜Ｓ１４１１は、上記MT情報復号処理例１のＳ１１０７〜Ｓ１１０９に対応する。
【０３８５】
Ｓ１４０４において、CN情報復号部１０が、MT分割モード選択フラグを復号しないと判定した場合、またはＳ１４０５に続きＳ１４０６に進む。
【０３８６】
（Ｓ１４０６）
CN情報復号部１０は、Ｓ１４０６において、MT分割方向フラグを復号するのか否かを判定する。CN情報復号部１０が、MT分割方向フラグを復号すると判定した場合、Ｓ１４０７に進み、MT分割方向フラグを復号しないと判定した場合、Ｓ１４０８に進む。
【０３８７】
（Ｓ１４０７）
Ｓ１４０７において、CN情報復号部１０は、MT分割方向フラグmt_dir_flagの復号を行う。ここで、mt_dir_flag ＝ 0は、対象ブロック（対象ノード）の分割方向が水平方向であることを示し、mt_dir_flag ＝ 1は、対象ブロック（対象ノード）の分割方向が垂直方向であることを示す。
【０３８８】
なお、MT分割モード選択フラグmt_sel_flagの復号処理（Ｓ１４０４およびＳ１４０５）とMT分割方向フラグmt_dir_flagの復号処理（Ｓ１４０６およびＳ１４０７）との順番は逆でもよい。
【０３８９】
（Ｓ１４０８）
Ｓ１４０８において、CN情報復号部１０は、分割対象ブロックを、MT分割方向フラグmt_dir_flagとMT分割モード選択フラグmt_sel_flagに基づいて分割する。
【０３９０】
より具体的には、CN情報復号部１０は、MT分割方向フラグが０（mt_dir_flag = 0）であり、MT分割モード選択フラグが１（mt_sel_flag = 1）である場合には、図５３の（ｂ）に示すように、対象ブロック（対象ノード）を、水平方向に１：２：１の３つのノードに分割し、当該３つのノードのうち中央のノードを、垂直方向に１：２：１に分割することによって、５つのノード（ブロック）に分割する。
【０３９１】
また、CN情報復号部１０は、MT分割方向フラグが１（mt_dir_flag = 1）であり、MT分割モード選択フラグが１（mt_sel_flag = 1）である場合には、図５３（ｃ）に示すように、対象ブロック（対象ノード）を、垂直方向に１：２：１の３つのノードに分割し、当該３つのノードのうち中央のノードを、水平方向に１：２：１に分割することによって、５つのノード（ブロック）に分割する。
【０３９２】
続いて、図５８を用いて、MT情報復号処理例２のMT分割フラグ判定、MT分割モード選択フラグ判定、MT分割方向フラグ判定の詳細について説明する。図５８の（ａ）は、MT分割フラグ判定処理を示す疑似コードの一例を示す図であり、図５８の（ｂ）は、MT分割モード選択フラグ判定処理を示す疑似コードの一例を示す図であり、図５８の（ｃ）は、MT分割方向フラグ判定処理を示す疑似コードの一例を示す図である。
【０３９３】
（MT分割フラグ判定）
MT情報復号処理例２のＭＴ分割フラグ判定は、条件３がMT情報復号処理例１と異なる。MT情報復号処理例２のＭＴ分割フラグ判定の条件３は以下の通りである。
【０３９４】
条件３：分割対象ブロックの階層を示すqtDepthがmaxQTDepthより小さい、または分割対象ブロックの階層を示すmftDepthがmaxMFTDepthより小さい（qtDepth < maxQTDepth || mftDepth < maxMFTDepth）。ここでmaxMFTDepthはMFT分割時の深度（階層）の最大値である。
【０３９５】
（MT分割モード選択フラグ判定）
MT情報復号処理例２のＭＴ分割モード選択フラグ判定は、条件３がMT情報復号処理例１と異なる。MT情報復号処理例２のＭＴ分割モード選択フラグ判定の条件３は以下の通りである。
【０３９６】
条件３：分割の対象となるブロックの階層を示すqtDepthがmaxQTDepthより小さく、かつ分割の対象となるブロックの階層を示すmftDepthがmaxMFTDepthより小さい（qtDepth < maxQTDepth && mftDepth < maxMFTDepth）。
【０３９７】
（MT分割方向フラグ判定）
CN情報復号部１０は、以下の条件１から条件４を用いて、MT分割方向フラグ判定を行う。
【０３９８】
条件１：MT分割モード選択フラグがMFT分割を示す（mt_sel_flag == MODE_MFT）。
【０３９９】
条件２：分割の対象となるブロックの高さおよび幅がminPTSize×４以上（height >= minPTSize*4 && width >= minPTSize*4）。
【０４００】
条件３：分割対象ブロックの幅および高さがブロックサイズの最大値を示すmaxMTSize以下（width <= maxPTSize && height <= maxPTSize）。
【０４０１】
条件４：分割の対象となるブロックの階層を示すqtDepthがmaxQTDepthより小さく、かつ分割の対象となるブロックの階層を示すmftDepthがmaxMFTDepthより小さい（qtDepth < maxQTDepth && mftDepth < maxMFTDepth）。
【０４０２】
上記条件１〜４の全てを満たす場合、CN情報復号部１０は、MT分割方向フラグの復号は必要（TRUE）と判定する。また、上記条件１〜４のいずれが満たされない場合、CN情報復号部１０は、MT分割方向フラグの復号は不要（FALSE）と判定する。
【０４０３】
また、MT情報復号処理例２においてCN情報復号部１０は、対象ノードよりも上位のノードに対して、BT分割およびTT分割の少なくとも何れかによりノードの分割を行った場合、対象ノードに対して、５つのノードに分割する分割タイプ（MFT）とQT分割とを含む第１の分割タイプ群での分割を行わない。例えば、一度PT分割（BT分割、TT分割）を行った後は、MT分割（QT分割、MFT分割）を行わない。
【０４０４】
図５９は、MT分割フラグmt_split_flag、MT分割モード選択フラグmt_sel_flag、およびMT分割方向フラグmt_dir_flagの各々の値と形状の関係を示す表である。
【０４０５】
MT分割フラグが１であり（mt_split_flag == 1）、MT分割モード選択フラグが０である（mt_sel_flag == 0）場合、CN情報復号部１０は、図７の（ａ）に示すQTとなるよう分割する。
【０４０６】
MT分割フラグが１であり（mt_split_flag == 1）、MT分割モード選択フラグがMT分割を示す１であり（mt_sel_flag == 1）、MT分割方向フラグが０である（mt_dir_flag == 0）場合、CN情報復号部１０は、図５３の（ｂ）に示すMFT HOR（図５９では「MFTH」と略記）となるよう分割する。
【０４０７】
MT分割フラグが１であり（mt_split_flag == 1）、MT分割モード選択フラグがMT分割を示す１であり（mt_sel_flag == 1）、MT分割方向フラグが１である（mt_dir_flag == 1）場合、CN情報復号部１０は、図５３の（ｃ）に示すMFT VER（図５９では「MFTV」と略記）となるよう分割する。
【０４０８】
つまり、MT分割フラグが、５つのノードに分割する分割タイプ（MFT）とQT分割とを含む第１の分割タイプ群での分割を行うことを示しており（mt_split_flag == 1）、かつ、MT分割モード選択フラグが、５つのノードに分割する分割タイプでの分割（MFT）を行うことを示している（mt_sel_flag == 1）場合に、CN情報復号部１０は、MT分割方向フラグmt_dir_flagが示す方向を第１の方向として、対象ノードを５つのノードに分割する。
【０４０９】
（MT情報復号処理例３）
MT情報復号処理例３のCN情報復号部１０のMT情報復号処理のフローは、MT情報復号処理例２と同様である。
【０４１０】
図６０を用いて、MT情報復号処理例３のMT分割フラグ判定、MT分割モード選択フラグ判定、MT分割方向フラグ判定の詳細について説明する。図６０の（ａ）は、MT分割フラグ判定処理を示す疑似コードの一例を示す図であり、図６０の（ｂ）は、MT分割モード選択フラグ判定処理を示す疑似コードの一例を示す図であり、図６０の（ｃ）は、MT分割方向フラグ判定処理を示す疑似コードの一例を示す図である。
【０４１１】
（MT分割フラグ判定）
MT情報復号処理例３のMT分割フラグ判定は、条件３がMT情報復号処理例１と異なる。MT情報復号処理例３のMT分割フラグ判定の条件３は以下の通りである。
【０４１２】
条件３：分割対象ブロックの階層を示すqtDepthがmaxQTDepthより小さい、または分割対象ブロックの階層を示すdqtDepthがmaxDQTDepthより小さい（qtDepth < maxQTDepth || dqtDepth < maxDQTDepth）。
【０４１３】
（MT分割モード選択フラグ判定）
MT情報復号処理例３のＭＴ分割モード選択フラグ判定は、条件３がMT情報復号処理例１と異なる。MT情報復号処理例３のＭＴ分割モード選択フラグ判定の条件３は以下の通りである。
【０４１４】
条件３：分割の対象となるブロックの階層を示すqtDepthがmaxQTDepthより小さく、かつ分割の対象となるブロックの階層を示すdqtDepthがmaxDQTDepthより小さい（qtDepth < maxQTDepth && dqtDepth < maxDQTDepth）。ここでmaxDQTDepthはDQT分割時の深度（階層）の最大値である。
【０４１５】
（MT分割方向フラグ判定）
MT情報復号処理例３のＭＴ分割方向フラグ判定は、条件１，２，４がMT情報復号処理例２と異なる。MT情報復号処理例３のＭＴ分割方向フラグ判定の条件１，２，４は以下の通りである。
【０４１６】
条件１：MT分割モード選択フラグがDQT分割を示す（mt_sel_flag == MODE_DQT）。
【０４１７】
条件２：分割の対象となるブロックの高さがminPTSize×４以上、または分割の対象となるブロックの幅がminPTSize×４以上（height >= minPTSize*4 || width >= minPTSize*4）。
【０４１８】
条件４：分割の対象となるブロックの階層を示すqtDepthがmaxQTDepthより小さく、かつ分割の対象となるブロックの階層を示すdqtDepthがmaxDQTDepthより小さい（qtDepth < maxQTDepth && dqtDepth < maxDQTDepth）。
【０４１９】
また、MT情報復号処理例３においては、CN情報復号部１０は、対象ノードよりも上位のノードに対して、４つのノードに分割する分割タイプ（DQT）によりノードの分割を行った場合、対象ノードに対して、長方形のノードを含む４つ以上のノードに分割する分割タイプでの分割を行わない。例えば、一回でもDQT分割を行った後は、MT分割（QT分割）を行わない。
【０４２０】
図６１は、MT分割フラグmt_split_flag、MT分割モード選択フラグmt_sel_flag、およびMT分割方向フラグmt_dir_flagの各々の値と形状の関係を示す表である。
【０４２１】
MT分割フラグが１であり（mt_split_flag == 1）、MT分割モード選択フラグが０である（mt_sel_flag == 0）場合、CN情報復号部１０は、図７の（ａ）に示すQTとなるよう分割する。
【０４２２】
MT分割フラグが１であり（mt_split_flag == 1）、MT分割モード選択フラグがDQT分割を示す１であり（mt_sel_flag == 1）、MT分割方向フラグが０である（mt_dir_flag == 0）場合、CN情報復号部１０は、図５３の（ｅ）に示すDQT HOR（図６１では「DQTH」と略記）となるよう分割する。
【０４２３】
MT分割フラグが１であり（mt_split_flag == 1）、MT分割モード選択フラグがDQT分割を示す１であり（mt_sel_flag == 1）、MT分割方向フラグが１である（mt_dir_flag == 1）場合、CN情報復号部１０は、図５３の（ｄ）に示すDQT VER（図６１では「DQTV」と略記）となるよう分割する。
【０４２４】
つまり、MT分割フラグが、４つのノードに分割する分割タイプ（DQT）とQT分割とを含む第１の分割タイプ群での分割を行うことを示しており（mt_split_flag == 1）、かつ、MT分割モード選択フラグが、４つのノードに分割する分割タイプ（DQT）での分割を行うことを示している場合に、CN情報復号部１０は、MT分割方向フラグが示す方向を第１の方向として、対象ノードを４つのノードに分割する。
【０４２５】
（MT情報復号処理例４）
MT情報復号処理例４のCN情報復号部１０のMT情報復号処理のフローは、MT情報復号処理例２と同様である。
【０４２６】
図６２を用いて、MT情報復号処理例４のMT分割フラグ判定、MT分割モード選択フラグ判定、MT分割方向フラグ判定の詳細について説明する。図６２の（ａ）は、MT分割フラグ判定処理を示す疑似コードの一例を示す図であり、図６２の（ｂ）は、MT分割モード選択フラグ判定処理を示す疑似コードの一例を示す図であり、図６２の（ｃ）は、MT分割方向フラグ判定処理を示す疑似コードの一例を示す図である。
【０４２７】
（MT分割フラグ判定）
MT情報復号処理例４のＭＴ分割フラグ判定は、条件３がMT情報復号処理例１と異なる。MT情報復号処理例４のＭＴ分割フラグ判定の条件３は以下の通りである。
【０４２８】
条件３：分割対象ブロックの階層を示すqtDepthがmaxQTDepthより小さい、または分割対象ブロックの階層を示すdftDepthがmaxDFTDepthより小さい（qtDepth < maxQTDepth || dftDepth < maxDFTDepth）。ここでmaxDFTDepthはDFT分割時の深度（階層）の最大値である。
【０４２９】
（MT分割モード選択フラグ判定）
MT情報復号処理例４のＭＴ分割モード選択フラグ判定は、条件１，３がMT情報復号処理例１と異なる。MT情報復号処理例４のＭＴ分割モード選択フラグ判定の条件１，３は以下の通りである。
【０４３０】
条件１：分割の対象となるブロックの高さがminPTSize×８以上、または分割の対象となるブロックの幅がminPTSize×８以上（height >= minPTSize*8 && width >= minPTSize*8）。
【０４３１】
条件３：分割の対象となるブロックの階層を示すqtDepthがmaxQTDepthより小さく、かつ分割の対象となるブロックの階層を示すdftDepthがmaxDFTDepthより小さい（qtDepth < maxQTDepth && dftDepth < maxDFTDepth）。
【０４３２】
（MT分割方向フラグ判定）
MT情報復号処理例４のＭＴ分割方向フラグ判定は、条件２，４がMT情報復号処理例３と異なる。MT情報復号処理例４のＭＴ分割方向フラグ判定の条件２，４は以下の通りである。
【０４３３】
条件２：分割の対象となるブロックの高さがminPTSize×８以上、または分割の対象となるブロックの幅がminPTSize×８以上（height >= minPTSize*8 || width >= minPTSize*8）。
【０４３４】
条件４：分割の対象となるブロックの階層を示すqtDepthがmaxQTDepthより小さく、かつ分割の対象となるブロックの階層を示すdftDepthがmaxDFTDepthより小さい（qtDepth < maxQTDepth && dftDepth < maxDFTDepth）。
【０４３５】
また、MT情報復号処理例４においてCN情報復号部１０は、対象ノードよりも上位のノードに対して、５つのノードに分割する分割タイプ（DFT）によりノードの分割を行った場合、対象ノードに対して、長方形のノードを含む４つ以上のノードに分割する分割タイプでの分割を行わない。例えば、一度PT分割（DFT分割）を行った後は、MT分割（QT分割）を行わない。
【０４３６】
図６３は、MT分割フラグmt_split_flag、MT分割モード選択フラグmt_sel_flag、およびMT分割方向フラグmt_dir_flagの各々の値と形状の関係を示す表である。
【０４３７】
MT分割フラグが１であり（mt_split_flag == 1）、MT分割モード選択フラグが０である（mt_sel_flag == 0）場合、CN情報復号部１０は、図７の（ａ）に示すQTとなるよう分割する。
【０４３８】
MT分割フラグが１であり（mt_split_flag == 1）、MT分割モード選択フラグがDQT分割を示す１であり（mt_sel_flag == 1）、MT分割方向フラグが０である（mt_dir_flag == 0）場合、CN情報復号部１０は、図５３の（ｇ）に示すDFT HOR（図６３では「DFTH」と略記）となるよう分割する。
【０４３９】
MT分割フラグが１であり（mt_split_flag == 1）、MT分割モード選択フラグがDQT分割を示す１であり（mt_sel_flag == 1）、MT分割方向フラグが１である（mt_dir_flag == 1）場合、CN情報復号部１０は、図５３の（ｆ）に示すDFT VER（図６３では「DFTV」と略記）となるよう分割する。
【０４４０】
つまり、MT分割フラグが、５つのノードに分割する分割タイプ（DFT）とQT分割とを含む第１の分割タイプ群での分割を行うことを示しており（mt_split_flag == 1）、かつ、MT分割モード選択フラグが、５つのノードに分割する分割タイプ（DFT）での分割を行うことを示している（mt_sel_flag == 1）場合に、CN情報復号部１０は、MT分割方向フラグが示す方向を第１の方向として、対象ノードを５つのノードに分割する。
【０４４１】
（MT情報復号処理例５）
図６４は、本発明の一実施形態に係るCN情報復号部１０のMT情報復号処理を説明するフローチャートである。本実施形態では、MT分割する場合に、非対称のパターンを識別するフラグ（MT非対称フラグmt_amt_flag）の復号処理をする点で、上記MT情報復号処理例２と異なる。
【０４４２】
Ｓ２２０１〜Ｓ１４０７は、上記MT情報復号処理例２のＳ１４０１〜Ｓ１４０７に対応し、Ｓ２２１１〜Ｓ２０１３は、上記MT情報復号処理例２のＳ１４０９〜Ｓ１４１１に対応する。
【０４４３】
Ｓ２２０６において、CN情報復号部１０が、MT分割方向フラグを復号すると判定した場合、またはＳ２２０７に続きＳ２２０８に進む。
【０４４４】
（Ｓ２２０８）
CN情報復号部１０は、Ｓ２２０８において、MT非対称フラグを復号するのか否かを判定する。CN情報復号部１０が、MT非対称フラグを復号すると判定した場合、Ｓ２２０９に進み、MT分割MMTフラグを復号しないと判定した場合、Ｓ２２１０に進む。
【０４４５】
（Ｓ２２０９）
Ｓ２２０９において、CN情報復号部１０は、MT非対称フラグmt_amt_flagの復号を行う。ここで、mt_amt_flag＝０は、対象ブロック（対象ノード）の分割方向が水平方向である場合には上から順に１：４：２：１になるように分割し、対象ブロック（対象ノード）の分割方向が垂直方向である場合には左から順に１：４：２：１になるように分割することを示し、mt_amt_flag＝１は、対象ブロック（対象ノード）の分割方向が水平方向である場合には上から順に１：２：４：１になるように分割し、対象ブロック（対象ノード）の分割方向が垂直方向である場合には左から順に１：２：４：１になるように分割することを示す。
【０４４６】
（Ｓ２２１０）
Ｓ２２１０において、CN情報復号部１０は、分割対象ブロックを、MT分割モード選択フラグmt_sel_flag、MT分割方向フラグmt_dir_flag、およびMT非対称フラグmt_amt_flagに基づいて分割を行う。
【０４４７】
続いて、図６５を用いて、MT情報復号処理例５のMT分割フラグ判定、MT分割モード選択フラグ判定、MT分割方向フラグ判定の詳細について説明する。図６５の（ａ）は、MT分割フラグ判定処理を示す疑似コードの一例を示す図であり、図６５の（ｂ）は、MT分割モード選択フラグ判定処理を示す疑似コードの一例を示す図であり、図６５の（ｃ）は、MT分割方向フラグ判定処理を示す疑似コードの一例を示す図である。
【０４４８】
（MT分割フラグ判定）
MT情報復号処理例５のＭＴ分割フラグ判定は、条件３がMT情報復号処理例１と異なる。MT情報復号処理例５のＭＴ分割フラグ判定の条件３は以下の通りである。
【０４４９】
条件３：分割対象ブロックの階層を示すqtDepthがmaxQTDepthより小さい、または分割対象ブロックの階層を示すdaqtDepthがmaxDAQTDepthより小さい（qtDepth < maxQTDepth || daqtDepth < maxDAQTDepth）。ここでmaxDAQTDepthはDAQT分割時の深度（階層）の最大値である。
【０４５０】
（MT分割モード選択フラグ判定）
MT情報復号処理例５のMT分割モード選択フラグ判定は、条件３がMT情報復号処理例４と異なる。MT情報復号処理例５のＭＴ分割モード選択フラグ判定の条件３は以下の通りである。
【０４５１】
条件３：分割の対象となるブロックの階層を示すqtDepthがmaxQTDepthより小さく、かつ分割の対象となるブロックの階層を示すdaqtDepthがmaxDAQTDepthより小さい（qtDepth < maxQTDepth && daqtDepth < maxDAQTDepth）。
【０４５２】
（MT分割方向フラグ判定）
MT情報復号処理例５のＭＴ分割方向フラグ判定は、条件１と４がMT情報復号処理例４と異なる。MT情報復号処理例５のＭＴ分割方向フラグ判定の条件４は以下の通りである。
【０４５３】
条件４：分割の対象となるブロックの階層を示すqtDepthがmaxQTDepthより小さく、かつ分割の対象となるブロックの階層を示すdaqtDepthがmaxDAQTDepthより小さい（qtDepth < maxQTDepth && daqtDepth < maxDAQTDepth）。
【０４５４】
また、MT情報復号処理例５においてCN情報復号部１０は、対象ノードよりも上位のノードに対して、４つのノードに分割する分割タイプ（DAQT）によりノードの分割を行った場合、対象ノードに対して、長方形のノードを含む４つ以上のノードに分割する分割タイプでの分割を行わない。例えば、一回でもDAQT分割を行った後は、MT分割（QT分割）を行わない。
【０４５５】
図６６は、MT分割フラグmt_split_flag、MT分割モード選択フラグmt_sel_flag、MT分割方向フラグmt_dir_flag、およびMT非対称フラグmt_amt_flagの各々の値と形状の関係を示す表である。
【０４５６】
MT分割フラグが１であり（mt_split_flag == 1）、MT分割モード選択フラグが０である（mt_sel_flag == 0）場合、CN情報復号部１０は、図７の（ａ）に示すQTとなるよう分割する。
【０４５７】
MT分割フラグが１であり（mt_split_flag == 1）、MT分割モード選択フラグがMT分割を示す１であり（mt_sel_flag == 1）、MT分割方向フラグが０であり（mt_dir_flag == 0）、MT非対称フラグが０である（mt_amt_flag == 0）場合、CN情報復号部１０は、図５４の（ｃ）に示すDAQT HOR 0（図６６では「DAQTH0」と略記）となるよう分割する。
【０４５８】
MT分割フラグが１であり（mt_split_flag == 1）、MT分割モード選択フラグがMT分割を示す１であり（mt_sel_flag == 1）、MT分割方向フラグが０であり（mt_dir_flag == 0）、MT非対称フラグが１である（mt_amt_flag == 1）場合、CN情報復号部１０は、図５４の（ｄ）に示すDAQT HOR 1（図６６では「DAQTH1」と略記）となるよう分割する。
【０４５９】
MT分割フラグが１であり（mt_split_flag == 1）、MT分割モード選択フラグがMT分割を示す１であり（mt_sel_flag == 1）、MT分割方向フラグが１であり（mt_dir_flag == 1）、MT非対称フラグが０である（mt_amt_flag == 0）場合、CN情報復号部１０は、図５４の（ａ）に示すDAQT VER 0（図６６では「DAQTV0」と略記）となるよう分割する。
【０４６０】
MT分割フラグが１であり（mt_split_flag == 1）、MT分割モード選択フラグがMT分割を示す１であり（mt_sel_flag == 1）、MT分割方向フラグが１であり（mt_dir_flag == 1）、MT非対称フラグが１である（mt_amt_flag == 1）場合、CN情報復号部１０は、図５４の（ｂ）に示すDAQT VER 1（図６６では「DAQTV1」と略記）となるよう分割する。
【０４６１】
つまり、MT分割フラグが、非対称かつ方向性を持つ４つのノードに分割する分割タイプ（DAQT）と、方向性を持たない４つのノードに分割するQT分割とを含む第１の分割タイプ群での分割を行うことを示しており（mt_sel_flag == 1）、かつ、非対象かつ方向性を持つ分割を行うことを示している（mt_sel_flag == 1）場合に、CN情報復号部１０は、MT分割方向フラグが示す方向を第１の方向とし、MT非対称フラグmt_amt_flag（上記第４のフラグ）が示す１：４：２：１の比、または１：２：４：１の比に従い、対象ノードを４つのノードに分割する。
【０４６２】
（第３の実施形態）
（ＭＴ分割モード群とＰＴ分割モード群）
本実施形態においても、上述した種々の分割モードを、ＭＴ分割モード群（ＭＴ分割）とＰＴ分割モード群（ＰＴ分割）とに分類する。ここで、ＭＴ分割にはＱＴ分割が少なくとも含まれ、ＰＴ分割にはＢＴ分割が少なくとも含まれる。
【０４６３】
本実施形態では、方向性を持たない分割を、ＭＴ分割に分類し、方向性を持つ分割をＰＴ分割に分類する。
【０４６４】
より具体的には、本実施形態では、ＭＴ分割は、ＱＴ分割を備え、ＰＴ分割が、ＢＴ分割に加えて、
ＤＱＴ分割、ＤＦＴ分割、及び、ＤＡＱＴ分割
を含んでいる。またＰＴ分割はＴＴ分割を含んでいてよい。
【０４６５】
第３の実施形態は、分割モード群として、第１のモード群（ＭＴ分割）と第２のモード群（ＰＴ分割）を有し、第２のモード群として、（直上位のノードが正方形である場合において）、少なくとも、長方形の２つのノードに分割するBT分割と長方形のノードを含む４つ以上のノードに分割する分割を含む。
【０４６６】
（PT情報復号処理）
（PT情報復号処理例１）
図６７は、本発明の一実施形態に係るCN情報復号部１０のPT情報復号処理を説明するフローチャートである。PT分割が、BT分割、TT分割、およびDQT分割を含んでいる場合のPT情報復号処理を説明するフローチャートである。PT復号処理は、MT情報復号処理の後段で行われる。
【０４６７】
（Ｓ２７０１）
CN情報復号部１０は、まず、Ｓ２７０１において、PT分割フラグを復号するのか否かを判定する。CN情報復号部１０が、PT分割フラグを復号すると判定した場合、ステップＳ２７０２に進み、PT分割フラグを復号しないと判定した場合、PT情報復号処理を終了する。
【０４６８】
（Ｓ２７０２）
Ｓ２７０２において、CN情報復号部１０は、PT分割フラグpt_split_flagの復号を行う。ここで、pt_split_flag ＝ 0は、対象ブロック分割しないことを示し、pt_split_flag ＝ 1は、対象ブロック分割することを示す。
【０４６９】
（Ｓ２７０３）
続いて、CN情報復号部１０は、PT分割フラグpt_split_flagに関する判別式
PT分割フラグ != 0    （式２７０１）
の真偽を判定する。（式２７０１）が真である場合、ステップＳ２７０４に進み、（式２７０１）が偽である場合、PT情報復号処理を終了する。
【０４７０】
（Ｓ２７０４）
Ｓ２７０４において、CN情報復号部１０は、PT分割方向フラグを復号するのか否かを判定する（PT分割フラグ判定）。CN情報復号部１０が、PT分割方向フラグを復号すると判定した場合（PT分割フラグ判定がY/TRUE）、ステップＳ２７０５に進み、PT分割方向フラグを復号しないと判定した場合（PT分割フラグ判定がN/FALSE）、ステップＳ２７０６に進む。
【０４７１】
（Ｓ２７０５）
Ｓ２７０５において、CN情報復号部１０は、PT分割方向フラグpt_dir_flagを復号する。ここで、pt_dir_flag ＝ 0は、対象ブロックを水平方向に分割することを示し、pt_dir_flag ＝ 1は、対象ブロックを垂直方向に分割することを示す。
【０４７２】
（Ｓ２７０６）
Ｓ２７０６において、CN情報復号部１０は、PT分割モード選択フラグを復号するのか否かを判定する（PT分割モード選択フラグ判定）。CN情報復号部１０が、PT分割モード選択フラグを復号すると判定した場合（PT分割モード選択フラグ判定がY/TRUE）、ステップＳ２７０７に進み、PT分割モード選択フラグを復号しないと判定した場合（PT分割モード選択フラグ判定がN/FALSE）、ステップＳ２７０８に進む。
【０４７３】
（Ｓ２７０７）
Ｓ２７０７において、CN情報復号部１０は、PT分割モード選択フラグpt_sel_flagを復号する。ここで、pt_sel_flag ＝ 0は、対象ブロックをBT分割することを示し、pt_sel_flag ＝ 1は、対象ブロックをTT分割することを示す。
【０４７４】
（Ｓ２７０８）
Ｓ２７０８において、CN情報復号部１０は、分割対象ブロックを、PT分割方向フラグpt_dir_flagの示す分割方向、およびPT分割モード選択フラグpt_sel_flagの示す分割モードによって分割する。
【０４７５】
（Ｓ２７０９〜Ｓ２７１１）
続いて、当該分割によって生じたブロックに対してPT情報復号処理を繰り返し行うループ処理を行う（Ｓ２７０９、Ｓ２７１０、Ｓ２７１１）。当該ループ処理が終了すると処理は終了する。
【０４７６】
図６８を用いて、PT情報復号処理例１のPT分割フラグ判定、PT分割モード選択フラグ判定、PT分割方向フラグ判定の詳細について説明する。図６８の（ａ）は、PT分割フラグ判定処理を示す疑似コードの一例を示す図であり、図６８の（ｂ）は、PT分割モード選択フラグ判定処理を示す疑似コードの一例を示す図であり、図６８の（ｃ）は、PT分割方向フラグ判定処理を示す疑似コードの一例を示す図である。
【０４７７】
（PT分割フラグ判定）
CN情報復号部１０は、以下の条件１から条件３を用いて、PT分割フラグ判定を行う。
【０４７８】
条件１：分割の対象となるブロックの高さがminPTSize×２以上、または、分割の対象となるブロックの幅がminPTSize×２以上（height >= minPTSize*2 || width >= minPTSize*2）。
【０４７９】
条件２：分割対象ブロックの幅および高さがPTサイズの最大値を示すmaxMTSize以下（width <= maxPTSize && height <= maxPTSize）。
【０４８０】
条件３：分割対象ブロックの階層を示すptDepthがmaxPTDepthより小さい、または分割対象ブロックの階層を示すdqtDepthがmaxDQTDepthより小さい（ptDepth < maxPTDepth || dqtDepth < maxDQTDepth）。
【０４８１】
上記条件１〜３の全てを満たす場合、CN情報復号部１０はPT分割フラグが存在する（TRUE）と判定する。また、上記条件１〜３のいずれかが満たされない場合、CN情報復号部１０は、PT分割はできない（FALSE）と判定する。
【０４８２】
（PT分割モード選択フラグ判定）
CN情報復号部１０は、以下の条件１から条件３を用いて、PT分割モード選択フラグ判定を行う。
【０４８３】
条件１：分割の対象となるブロックの高さがminPTSize×４以上、または分割の対象となるブロックの幅がminPTSize×４以上（height >= minPTSize*4 || width >= minPTSize*4）。
【０４８４】
条件２：分割対象ブロックの幅および高さがMTサイズの最大値を示すmaxMTSize以下（width <= maxMTSize && height <= maxMTSize）。
【０４８５】
条件３：分割の対象となるブロックの階層を示すptDepthがmaxPTDepthより小さく、かつ分割の対象となるブロックの階層を示すdqtDepthがmaxDQTDepthより小さい（ptDepth < maxPTDepth && dqtDepth < maxDQTDepth）。
【０４８６】
上記条件１〜３の全てを満たす場合、CN情報復号部１０は、PT分割モード選択フラグの復号は必要（TRUE）と判定する。また、上記条件１〜３の全てが満たされない場合、CN情報復号部１０は、PT分割モード選択フラグの復号は不要（FALSE）と判定する。
【０４８７】
（PT分割方向フラグ判定）
CN情報復号部１０は、以下の条件１から条件４を用いて、PT分割方向フラグ判定を行う。
【０４８８】
条件１：PT分割モード選択フラグがDQT分割を示す（pt_sel_flag == MODE_DQT）。
【０４８９】
条件２：分割の対象となるブロックの高さがminPTSize×４以上、または分割の対象となるブロックの幅がminPTSize×４以上（height >= minPTSize*4 || width >= minPTSize*4）。
【０４９０】
条件３：分割対象ブロックの幅および高さがMTサイズの最大値を示すmaxMTSize以下（width <= maxMTSize && height <= maxMTSize）。
【０４９１】
条件４：分割の対象となるブロックの階層を示すptDepthがmaxPTDepthより小さく、かつ分割の対象となるブロックの階層を示すdqtDepthがmaxDQTDepthより小さい（ptDepth < maxPTDepth && dqtDepth < maxDQTDepth）。
【０４９２】
上記条件１〜４の全てを満たす場合、CN情報復号部１０は、PT分割方向フラグの復号は必要（TRUE）と判定する。また、上記条件１〜４のいずれかが満たされない場合、CN情報復号部１０は、PT分割方向フラグの復号は不要（FALSE）と判定する。
【０４９３】
PT情報復号処理例１においては、一回でもPT分割（DQT分割）を行った後は、MT分割（QT分割）を制限（禁止）する。また、TT分割の中心ブロックのBT分割を制限（禁止）する。また、BT分割のブロックでの同じ方向のBT分割を制限（禁止）する。
【０４９４】
図６９は、PT分割フラグpt_split_flag、PT分割方向フラグpt_dir_flag、およびPT分割モード選択フラグpt_sel_flagの各々の値と形状の関係を示す表である。
【０４９５】
PT分割フラグが１であり（pt_split_flag == 1）、PT分割方向フラグが０であり（pt_dir_flag == 0）、PT分割モード選択フラグが０である（pt_sel_flag == 0）場合、CN情報復号部１０は、図７の（ｂ）に示すBT HOR（図６９では「BTH」と略記）となるよう分割する。
【０４９６】
PT分割フラグが１であり（pt_split_flag == 1）、PT分割方向フラグが０であり（pt_dir_flag == 0）、PT分割モード選択フラグが１である（pt_sel_flag == 1）場合、CN情報復号部１０は、図７の（ｅ）に示すTT HOR（図６９では「TTH」と略記）となるよう分割する。
【０４９７】
PT分割フラグが１であり（pt_split_flag == 1）、PT分割方向フラグが０であり（pt_dir_flag == 0）、PT分割モード選択フラグが２である（pt_sel_flag == 2）場合、CN情報復号部１０は、図５３の（ｅ）に示すDQT HOR（図６９では「DQTH」と略記）となるよう分割する。
【０４９８】
PT分割フラグが１であり（pt_split_flag == 1）、PT分割方向フラグが１であり（pt_dir_flag == 1）、PT分割モード選択フラグが０である（pt_sel_flag == 0）場合、CN情報復号部１０は、図７の（ｃ）に示すBT VER（図６９では「BTV」と略記）となるよう分割する。
【０４９９】
PT分割フラグが１であり（pt_split_flag == 1）、PT分割方向フラグが１であり（pt_dir_flag == 0）、PT分割モード選択フラグが１である（pt_sel_flag == 1）場合、CN情報復号部１０は、図７の（ｆ）に示すTT VER（図６９では「TTV」と略記）となるよう分割する。
【０５００】
PT分割フラグが１であり（pt_split_flag == 1）、PT分割方向フラグが１であり（pt_dir_flag == 0）、PT分割モード選択フラグが２である（pt_sel_flag == 2）場合、CN情報復号部１０は、図５３の（ｄ）に示すDQT VER（図６９では「DQTV」と略記）となるよう分割する。
【０５０１】
（PT情報復号処理例２）
図７０を用いて、PT分割フラグ判定、PT分割モード選択フラグ判定、PT分割方向フラグ判定の詳細について説明する。図７０の（ａ）は、PT分割フラグ判定処理を示す疑似コードの一例を示す図であり、図７０の（ｂ）は、PT分割モード選択フラグ判定処理を示す疑似コードの一例を示す図であり、図７０の（ｃ）は、PT分割方向フラグ判定処理を示す疑似コードの一例を示す図である。
【０５０２】
（PT分割フラグ判定）
PT情報復号処理例２のPT分割フラグ判定は、条件３がPT情報復号処理例１と異なる。PT情報復号処理例２のPT分割フラグ判定の条件３は以下の通りである。
【０５０３】
条件３：分割対象ブロックの階層を示すptDepthがmaxPTDepthより小さい、または分割対象ブロックの階層を示すdftDepthがmaxDFTDepthより小さい（ptDepth < maxPTDepth || dftDepth < maxDFTDepth）。
【０５０４】
（PT分割モード選択フラグ判定）
PT情報復号処理例２のPT分割モード選択フラグ判定は、条件１，３がPT情報復号処理例１と異なる。PT情報復号処理例２のPT分割モード選択フラグ判定の条件１，３は以下の通りである。
【０５０５】
条件１：分割の対象となるブロックの高さがminPTSize×８以上、または分割の対象となるブロックの幅がminPTSize×８以上（height >= minPTSize*8 || width >= minPTSize*8）。
【０５０６】
条件３：分割の対象となるブロックの階層を示すptDepthがmaxPTDepthより小さく、かつ分割の対象となるブロックの階層を示すdftDepthがmaxDFTDepthより小さい（ptDepth < maxPTDepth && dftDepth < maxDFTDepth）。
【０５０７】
（PT分割方向フラグ判定）
PT情報復号処理例２のPT分割方向フラグ判定は、条件１，２，４がPT情報復号処理例１と異なる。PT情報復号処理例２のPT分割方向フラグ判定の条件１，２，４は以下の通りである。
【０５０８】
条件１：PT分割モード選択フラグがDFT分割を示す（pt_sel_flag == MODE_DFT）。
【０５０９】
条件２：分割の対象となるブロックの高さがminPTSize×８以上、または分割の対象となるブロックの幅がminPTSize×８以上（height >= minPTSize*8 || width >= minPTSize*8）。
【０５１０】
条件４：分割の対象となるブロックの階層を示すptDepthがmaxPTDepthより小さく、かつ分割の対象となるブロックの階層を示すdftDepthがmaxDFTDepthより小さい（ptDepth < maxPTDepth && dftDepth < maxDFTDepth）。
【０５１１】
PT情報復号処理例２においては、一回でもPT分割（DFT分割）を行った後は、MT分割（QT分割）を制限（禁止）する。
【０５１２】
図７１は、PT分割フラグpt_split_flag、PT分割方向フラグpt_dir_flag、およびPT分割モード選択フラグpt_sel_flagの各々の値と形状の関係を示す表である。
【０５１３】
PT分割フラグが１であり（pt_split_flag == 1）、PT分割方向フラグが０であり（pt_dir_flag == 0）、PT分割モード選択フラグが０である（pt_sel_flag == 0）場合、CN情報復号部１０は、図７の（ｂ）に示すBT HOR（図７１では「BTH」と略記）となるよう分割する。
【０５１４】
PT分割フラグが１であり（pt_split_flag == 1）、PT分割方向フラグが０であり（pt_dir_flag == 0）、PT分割モード選択フラグが１である（pt_sel_flag == 1）場合、CN情報復号部１０は、図７の（ｅ）に示すTT HOR（図７１では「TTH」と略記）となるよう分割する。
【０５１５】
PT分割フラグが１であり（pt_split_flag == 1）、PT分割方向フラグが０であり（pt_dir_flag == 0）、PT分割モード選択フラグが２である（pt_sel_flag == 2）場合、CN情報復号部１０は、図５３の（ｇ）に示すDFT HOR（図７１では「DFTH」と略記）となるよう分割する。
【０５１６】
PT分割フラグが１であり（pt_split_flag == 1）、PT分割方向フラグが１であり（pt_dir_flag == 1）、PT分割モード選択フラグが０である（pt_sel_flag == 0）場合、CN情報復号部１０は、図７の（ｃ）に示すBT VER（図７１では「BTV」と略記）となるよう分割する。
【０５１７】
PT分割フラグが１であり（pt_split_flag == 1）、PT分割方向フラグが１であり（pt_dir_flag == 0）、PT分割モード選択フラグが１である（pt_sel_flag == 1）場合、CN情報復号部１０は、図７の（ｆ）に示すTT VER（図７１では「TTV」と略記）となるよう分割する。
【０５１８】
PT分割フラグが１であり（pt_split_flag == 1）、PT分割方向フラグが１であり（pt_dir_flag == 0）、PT分割モード選択フラグが２である（pt_sel_flag == 2）場合、CN情報復号部１０は、図５３の（ｆ）に示すDFT VER（図７１では「DFTV」と略記）となるよう分割する。
【０５１９】
（PT情報復号処理例３）
図７２は、本発明の一実施形態に係るCN情報復号部１０のPT情報復号処理を説明するフローチャートである。本実施形態では、PT分割である場合に、非対称のパターンを識別するフラグ（PT非対称フラグpt_amt_flag）の復号処理をする点で、上記PT情報復号処理例１と異なる。
【０５２０】
Ｓ３２０１〜Ｓ３２０７は、上記PT情報復号処理例１のＳ２７０１〜Ｓ２７０７に対応し、Ｓ３２１０〜Ｓ３２１３は、上記PT情報復号処理例１のＳ２７０８〜Ｓ２７１１に対応する。
【０５２１】
Ｓ３２０６において、CN情報復号部１０が、PT分割モード選択フラグを復号すると判定した場合、またはＳ３２０７に続きＳ３２０８に進む。
【０５２２】
（Ｓ３２０８）
CN情報復号部１０は、Ｓ３２０８において、PT非対称フラグを復号するのか否かを判定する。CN情報復号部１０が、PT非対称フラグを復号すると判定した場合、Ｓ３２０９に進み、PT非対称フラグを復号しないと判定した場合、Ｓ３２１０に進む。
【０５２３】
（Ｓ３２０９）
Ｓ３２０９において、CN情報復号部１０は、PT非対称フラグpt_amt_flagの復号を行う。ここで、pt_amt_flag＝０は、対象ブロック（対象ノード）の分割方向が水平方向である場合には上から順に１：４：２：１になるように分割し、対象ブロック（対象ノード）の分割方向が垂直方向である場合には左から順に１：４：２：１になるように分割することを示し、mt_amt_flag＝１は、対象ブロック（対象ノード）の分割方向が水平方向である場合には上から順に１：２：４：１になるように分割し、対象ブロック（対象ノード）の分割方向が垂直方向である場合には左から順に１：２：４：１になるように分割することを示す。
【０５２４】
図７３を用いて、PT分割フラグ判定、PT分割モード選択フラグ判定、PT分割方向フラグ判定の詳細について説明する。図７３の（ａ）は、PT分割フラグ判定処理を示す疑似コードの一例を示す図であり、図７３の（ｂ）は、PT分割モード選択フラグ判定処理を示す疑似コードの一例を示す図であり、図７３の（ｃ）は、PT分割方向フラグ判定処理を示す疑似コードの一例を示す図である。
【０５２５】
（PT分割フラグ判定）
PT情報復号処理例３のPT分割フラグ判定は、条件３がPT情報復号処理例１と異なる。PT情報復号処理例３のPT分割フラグ判定の条件３は以下の通りである。
【０５２６】
条件３：分割対象ブロックの階層を示すptDepthがmaxPTDepthより小さい、または分割対象ブロックの階層を示すdaptDepthがmaxDAQTDepthより小さい（ptDepth < maxPTDepth || daqtDepth < maxDAQTDepth）。
【０５２７】
（PT分割モード選択フラグ判定）
PT情報復号処理例３のPT分割モード選択フラグ判定は、条件３がPT情報復号処理例２と異なる。PT情報復号処理例３のPT分割モード選択フラグ判定の条件３は以下の通りである。
【０５２８】
条件３：分割の対象となるブロックの階層を示すptDepthがmaxPTDepthより小さく、かつ分割の対象となるブロックの階層を示すdaqtDepthがmaxDAQTDepthより小さい（ptDepth < maxPTDepth && daqtDepth < maxDAQTDepth）。
【０５２９】
（PT分割方向フラグ判定）
PT情報復号処理例３のPT分割方向フラグ判定は、条件１，４がPT情報復号処理例２と異なる。PT情報復号処理例３のPT分割方向フラグ判定の条件１，４は以下の通りである。
【０５３０】
条件１：PT分割モード選択フラグがDAQT分割を示す（pt_sel_flag == MODE_DAQT）。
【０５３１】
条件４：分割の対象となるブロックの階層を示すptDepthがmaxPTDepthより小さく、かつ分割の対象となるブロックの階層を示すdftDepthがmaxDFTDepthより小さい（ptDepth < maxPTDepth && daqtDepth < maxDAQTDepth）。
【０５３２】
PT情報復号処理例３においては、一回でもPT分割（DAQT分割）を行った後は、MT分割（QT分割）を制限（禁止）する。
【０５３３】
図７４は、PT分割フラグpt_split_flag、PT分割方向フラグpt_dir_flag、PT分割モード選択フラグpt_sel_flag、およびPT非対称フラグpt_amt_flagの各々の値と形状の関係を示す表である。
【０５３４】
PT分割フラグが１であり（pt_split_flag == 1）、PT分割方向フラグが０であり（pt_dir_flag == 0）、PT分割モード選択フラグが０である（pt_sel_flag == 0）場合、CN情報復号部１０は、図７の（ｂ）に示すBT HOR（図７４では「BTH」と略記）となるよう分割する。
【０５３５】
PT分割フラグが１であり（pt_split_flag == 1）、PT分割方向フラグが０であり（pt_dir_flag == 0）、PT分割モード選択フラグが１である（pt_sel_flag == 1）場合、CN情報復号部１０は、図７の（ｅ）に示すTT HOR（図７４では「TTH」と略記）となるよう分割する。
【０５３６】
PT分割フラグが１であり（pt_split_flag == 1）、PT分割方向フラグが０であり（pt_dir_flag == 0）、PT分割モード選択フラグが２であり（pt_sel_flag == 2）、PT非対称フラグが０である（pt_amt_flag == 0）場合、CN情報復号部１０は、図５４の（ｃ）に示すDAQT HOR 0（図７４では「DAQTH0」と略記）となるよう分割する。
【０５３７】
PT分割フラグが１であり（pt_split_flag == 1）、PT分割方向フラグが０であり（pt_dir_flag == 0）、PT分割モード選択フラグが２であり（pt_sel_flag == 2）、PT非対称フラグが１である（pt_amt_flag == 1）場合、CN情報復号部１０は、図５４の（ｄ）に示すDAQT HOR 1（図７４では「DAQTH1」と略記）となるよう分割する。
【０５３８】
PT分割フラグが１であり（pt_split_flag == 1）、PT分割方向フラグが１であり（pt_dir_flag == 1）、PT分割モード選択フラグが０である（pt_sel_flag == 0）場合、CN情報復号部１０は、図７の（ｃ）に示すBT VER（図７４では「BTV」と略記）となるよう分割する。
【０５３９】
PT分割フラグが１であり（pt_split_flag == 1）、PT分割方向フラグが１であり（pt_dir_flag == 1）、PT分割モード選択フラグが１である（pt_sel_flag == 1）場合、CN情報復号部１０は、図７の（ｆ）に示すTT VER（図７４では「TTV」と略記）となるよう分割する。
【０５４０】
PT分割フラグが１であり（pt_split_flag == 1）、PT分割方向フラグが１であり（pt_dir_flag == 1）、PT分割モード選択フラグが２であり（pt_sel_flag == 2）、PT非対称フラグが０である（pt_amt_flag == 0）場合、CN情報復号部１０は、図５４の（ａ）に示すDAQT VER 0（図７４では「DAQTV0」と略記）となるよう分割する。
【０５４１】
PT分割フラグが１であり（pt_split_flag == 1）、PT分割方向フラグが１であり（pt_dir_flag == 1）、PT分割モード選択フラグが２であり（pt_sel_flag == 2）、PT非対称フラグが１である（pt_amt_flag == 1）場合、CN情報復号部１０は、図５４の（ｂ）に示すDAQT VER 1（図７４では「DAQTV1」と略記）となるよう分割する。
【０５４２】
（ソフトウェアによる実現例）
なお、上述した実施形態における画像符号化装置１１、画像復号装置３１の一部、例えば、エントロピー復号部３０１、予測パラメータ復号部３０２、ループフィルタ３０５、予測画像生成部３０８、逆量子化・逆DCT部３１１、加算部３１２、予測画像生成部１０１、減算部１０２、DCT・量子化部１０３、エントロピー符号化部１０４、逆量子化・逆DCT部１０５、ループフィルタ１０７、符号化パラメータ決定部１１０、予測パラメータ符号化部１１１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、画像符号化装置１１、画像復号装置３１のいずれかに内蔵されたコンピュータシステムであって、OSや周辺機器等のハードウェアを含むものとする。また、「コンピュータ読み取り可能な記録媒体」とは、フレキシブルディスク、光磁気ディスク、ROM、CD-ROM等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０５４３】
また、上述した実施形態における画像符号化装置１１、画像復号装置３１の一部、または全部を、LSI（Large Scale Integration）等の集積回路として実現しても良い。画像符号化装置１１、画像復号装置３１の各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０５４４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０５４５】
〔応用例〕
上述した画像符号化装置１１及び画像復号装置３１は、動画像の送信、受信、記録、再生を行う各種装置に搭載して利用することができる。なお、動画像は、カメラ等により撮像された自然動画像であってもよいし、コンピュータ等により生成された人工動画像（CGおよびGUIを含む）であってもよい。
【０５４６】
まず、上述した画像符号化装置１１及び画像復号装置３１を、動画像の送信及び受信に利用できることを、図７５を参照して説明する。
【０５４７】
図７５の（ａ）は、画像符号化装置１１を搭載した送信装置PROD_Aの構成を示したブロック図である。図７５の（ａ）に示すように、送信装置PROD_Aは、動画像を符号化することによって符号化データを得る符号化部PROD_A1と、符号化部PROD_A1が得た符号化データで搬送波を変調することによって変調信号を得る変調部PROD_A2と、変調部PROD_A2が得た変調信号を送信する送信部PROD_A3と、を備えている。上述した画像符号化装置１１は、この符号化部PROD_A1として利用される。
【０５４８】
送信装置PROD_Aは、符号化部PROD_A1に入力する動画像の供給源として、動画像を撮像するカメラPROD_A4、動画像を記録した記録媒体PROD_A5、動画像を外部から入力するための入力端子PROD_A6、及び、画像を生成または加工する画像処理部Ａ７を更に備えていてもよい。図７５の（ａ）においては、これら全てを送信装置PROD_Aが備えた構成を例示しているが、一部を省略しても構わない。
【０５４９】
なお、記録媒体PROD_A5は、符号化されていない動画像を記録したものであってもよいし、伝送用の符号化方式とは異なる記録用の符号化方式で符号化された動画像を記録したものであってもよい。後者の場合、記録媒体PROD_A5と符号化部PROD_A1との間に、記録媒体PROD_A5から読み出した符号化データを記録用の符号化方式に従って復号する復号部（不図示）を介在させるとよい。
【０５５０】
図７５の（ｂ）は、画像復号装置３１を搭載した受信装置PROD_Bの構成を示したブロック図である。図７５の（ｂ）に示すように、受信装置PROD_Bは、変調信号を受信する受信部PROD_B1と、受信部PROD_B1が受信した変調信号を復調することによって符号化データを得る復調部PROD_B2と、復調部PROD_B2が得た符号化データを復号することによって動画像を得る復号部PROD_B3と、を備えている。上述した画像復号装置３１は、この復号部PROD_B3として利用される。
【０５５１】
受信装置PROD_Bは、復号部PROD_B3が出力する動画像の供給先として、動画像を表示するディスプレイPROD_B4、動画像を記録するための記録媒体PROD_B5、及び、動画像を外部に出力するための出力端子PROD_B6を更に備えていてもよい。図７５の（ｂ）においては、これら全てを受信装置PROD_Bが備えた構成を例示しているが、一部を省略しても構わない。
【０５５２】
なお、記録媒体PROD_B5は、符号化されていない動画像を記録するためのものであってもよいし、伝送用の符号化方式とは異なる記録用の符号化方式で符号化されたものであってもよい。後者の場合、復号部PROD_B3と記録媒体PROD_B5との間に、復号部PROD_B3から取得した動画像を記録用の符号化方式に従って符号化する符号化部（不図示）を介在させるとよい。
【０５５３】
なお、変調信号を伝送する伝送媒体は、無線であってもよいし、有線であってもよい。また、変調信号を伝送する伝送態様は、放送（ここでは、送信先が予め特定されていない送信態様を指す）であってもよいし、通信（ここでは、送信先が予め特定されている送信態様を指す）であってもよい。すなわち、変調信号の伝送は、無線放送、有線放送、無線通信、及び有線通信の何れによって実現してもよい。
【０５５４】
例えば、地上デジタル放送の放送局（放送設備など）／受信局（テレビジョン受像機など）は、変調信号を無線放送で送受信する送信装置PROD_A／受信装置PROD_Bの一例である。また、ケーブルテレビ放送の放送局（放送設備など）／受信局（テレビジョン受像機など）は、変調信号を有線放送で送受信する送信装置PROD_A／受信装置PROD_Bの一例である。
【０５５５】
また、インターネットを用いたVOD（Video On Demand）サービスや動画共有サービスなどのサーバ（ワークステーションなど）／クライアント（テレビジョン受像機、パーソナルコンピュータ、スマートフォンなど）は、変調信号を通信で送受信する送信装置PROD_A／受信装置PROD_Bの一例である（通常、ＬＡＮにおいては伝送媒体として無線または有線の何れかが用いられ、ＷＡＮにおいては伝送媒体として有線が用いられる）。ここで、パーソナルコンピュータには、デスクトップ型PC、ラップトップ型PC、及びタブレット型PCが含まれる。また、スマートフォンには、多機能携帯電話端末も含まれる。
【０５５６】
なお、動画共有サービスのクライアントは、サーバからダウンロードした符号化データを復号してディスプレイに表示する機能に加え、カメラで撮像した動画像を符号化してサーバにアップロードする機能を有している。すなわち、動画共有サービスのクライアントは、送信装置PROD_A及び受信装置PROD_Bの双方として機能する。
【０５５７】
次に、上述した画像符号化装置１１及び画像復号装置３１を、動画像の記録及び再生に利用できることを、図７６を参照して説明する。
【０５５８】
図７６の（ａ）は、上述した画像符号化装置１１を搭載した記録装置PROD_Cの構成を示したブロック図である。図７６の（ａ）に示すように、記録装置PROD_Cは、動画像を符号化することによって符号化データを得る符号化部PROD_C1と、符号化部PROD_C1が得た符号化データを記録媒体PROD_Mに書き込む書込部PROD_C2と、を備えている。上述した画像符号化装置１１は、この符号化部PROD_C1として利用される。
【０５５９】
なお、記録媒体PROD_Mは、（１）HDD（Hard Disk Drive）やSSD（Solid State Drive）などのように、記録装置PROD_Cに内蔵されるタイプのものであってもよいし、（２）SDメモリカードやUSB（Universal Serial Bus）フラッシュメモリなどのように、記録装置PROD_Cに接続されるタイプのものであってもよいし、（３）DVD（Digital Versatile Disc）やBD（Blu-ray Disc:登録商標）などのように、記録装置PROD_Cに内蔵されたドライブ装置（不図示）に装填されるものであってもよい。
【０５６０】
また、記録装置PROD_Cは、符号化部PROD_C1に入力する動画像の供給源として、動画像を撮像するカメラPROD_C3、動画像を外部から入力するための入力端子PROD_C4、動画像を受信するための受信部PROD_C5、及び、画像を生成または加工する画像処理部PROD_C6を更に備えていてもよい。図７６の（ａ）においては、これら全てを記録装置PROD_Cが備えた構成を例示しているが、一部を省略しても構わない。
【０５６１】
なお、受信部PROD_C5は、符号化されていない動画像を受信するものであってもよいし、記録用の符号化方式とは異なる伝送用の符号化方式で符号化された符号化データを受信するものであってもよい。後者の場合、受信部PROD_C5と符号化部PROD_C1との間に、伝送用の符号化方式で符号化された符号化データを復号する伝送用復号部（不図示）を介在させるとよい。
【０５６２】
このような記録装置PROD_Cとしては、例えば、DVDレコーダ、BDレコーダ、HDD（Hard Disk Drive）レコーダなどが挙げられる（この場合、入力端子PROD_C4または受信部PROD_C5が動画像の主な供給源となる）。また、カムコーダ（この場合、カメラPROD_C3が動画像の主な供給源となる）、パーソナルコンピュータ（この場合、受信部PROD_C5または画像処理部Ｃ６が動画像の主な供給源となる）、スマートフォン（この場合、カメラPROD_C3または受信部PROD_C5が動画像の主な供給源となる）なども、このような記録装置PROD_Cの一例である。
【０５６３】
図７６の（ｂ）は、上述した画像復号装置３１を搭載した再生装置PROD_Dの構成を示したブロック図である。図７６の（ｂ）に示すように、再生装置PROD_Dは、記録媒体PROD_Mに書き込まれた符号化データを読み出す読出部PROD_D1と、読出部PROD_D1が読み出した符号化データを復号することによって動画像を得る復号部PROD_D2と、を備えている。上述した画像復号装置３１は、この復号部PROD_D2として利用される。
【０５６４】
なお、記録媒体PROD_Mは、（１）HDDやSSDなどのように、再生装置PROD_Dに内蔵されるタイプのものであってもよいし、（２）SDメモリカードやUSBフラッシュメモリなどのように、再生装置PROD_Dに接続されるタイプのものであってもよいし、（３）DVDやBDなどのように、再生装置PROD_Dに内蔵されたドライブ装置（不図示）に装填されるものであってもよい。
【０５６５】
また、再生装置PROD_Dは、復号部PROD_D2が出力する動画像の供給先として、動画像を表示するディスプレイPROD_D3、動画像を外部に出力するための出力端子PROD_D4、及び、動画像を送信する送信部PROD_D5を更に備えていてもよい。図７６の（ｂ）においては、これら全てを再生装置PROD_Dが備えた構成を例示しているが、一部を省略しても構わない。
【０５６６】
なお、送信部PROD_D5は、符号化されていない動画像を送信するものであってもよいし、記録用の符号化方式とは異なる伝送用の符号化方式で符号化された符号化データを送信するものであってもよい。後者の場合、復号部PROD_D2と送信部PROD_D5との間に、動画像を伝送用の符号化方式で符号化する符号化部（不図示）を介在させるとよい。
【０５６７】
このような再生装置PROD_Dとしては、例えば、DVDプレイヤ、BDプレイヤ、HDDプレイヤなどが挙げられる（この場合、テレビジョン受像機等が接続される出力端子PROD_D4が動画像の主な供給先となる）。また、テレビジョン受像機（この場合、ディスプレイPROD_D3が動画像の主な供給先となる）、デジタルサイネージ（電子看板や電子掲示板等とも称され、ディスプレイPROD_D3または送信部PROD_D5が動画像の主な供給先となる）、デスクトップ型PC（この場合、出力端子PROD_D4または送信部PROD_D5が動画像の主な供給先となる）、ラップトップ型またはタブレット型PC（この場合、ディスプレイPROD_D3または送信部PROD_D5が動画像の主な供給先となる）、スマートフォン（この場合、ディスプレイPROD_D3または送信部PROD_D5が動画像の主な供給先となる）なども、このような再生装置PROD_Dの一例である。
【０５６８】
（ハードウェア的実現およびソフトウェア的実現）
また、上述した画像復号装置３１および画像符号化装置１１の各ブロックは、集積回路（ICチップ）上に形成された論理回路によってハードウェア的に実現してもよいし、CPU（Central Processing Unit）を用いてソフトウェア的に実現してもよい。
【０５６９】
後者の場合、上記各装置は、各機能を実現するプログラムの命令を実行するCPU、上記プログラムを格納したROM（Read Only Memory）、上記プログラムを展開するRAM（Random Access Memory）、上記プログラムおよび各種データを格納するメモリ等の記憶装置（記録媒体）などを備えている。そして、本発明の実施形態の目的は、上述した機能を実現するソフトウェアである上記各装置の制御プログラムのプログラムコード（実行形式プログラム、中間コードプログラム、ソースプログラム）をコンピュータで読み取り可能に記録した記録媒体を、上記各装置に供給し、そのコンピュータ（またはCPUやMPU）が記録媒体に記録されているプログラムコードを読み出し実行することによっても、達成可能である。
【０５７０】
上記記録媒体としては、例えば、磁気テープやカセットテープ等のテープ類、フロッピー（登録商標）ディスク／ハードディスク等の磁気ディスクやCD-ROM（Compact Disc Read-Only Memory）／MOディスク（Magneto-Optical disc）／MD（Mini Disc）／DVD（Digital Versatile Disc）／CD-R（CD Recordable）／ブルーレイディスク（Blu-ray Disc：登録商標）等の光ディスクを含むディスク類、ICカード（メモリカードを含む）／光カード等のカード類、マスクROM／EPROM（Erasable Programmable Read-Only Memory）／EEPROM（Electrically Erasable and Programmable Read-Only Memory：登録商標）／フラッシュROM等の半導体メモリ類、あるいはPLD（Programmable logic device）やFPGA（Field Programmable Gate Array）等の論理回路類などを用いることができる。
【０５７１】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、LAN（Local Area Network）、ISDN（Integrated Services Digital Network）、VAN（Value-Added Network）、CATV（Community Antenna television/Cable Television）通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、IEEE（Institute of Electrical and Electronic Engineers）1394、USB、電力線搬送、ケーブルＴＶ回線、電話線、ADSL（Asymmetric Digital Subscriber Line）回線等の有線でも、IrDA（Infrared Data Association）やリモコンのような赤外線、BlueTooth（登録商標）、IEEE802.11無線、HDR（High Data Rate）、NFC（Near Field Communication）、DLNA（Digital Living Network Alliance：登録商標）、携帯電話網、衛星回線、地上デジタル放送網等の無線でも利用可能である。なお、本発明の実施形態は、上記プログラムコードが電子的な伝送で具現化された、搬送波に埋め込まれたコンピュータデータ信号の形態でも実現され得る。
【０５７２】
本発明の実施形態は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０５７３】
（関連出願の相互参照）
本出願は、2016年12月16日に出願された日本国特許出願：特願2016-2016-244902および2016年12月22日に出願された日本国特許出願：特願2016-2016-249778に対して優先権の利益を主張するものであり、それを参照することにより、その内容の全てが本書に含まれる。
【産業上の利用可能性】
【０５７４】
本発明の実施形態は、画像データが符号化された符号化データを復号する画像復号装置、および、画像データが符号化された符号化データを生成する画像符号化装置に好適に適用することができる。また、画像符号化装置によって生成され、画像復号装置によって参照される符号化データのデータ構造に好適に適用することができる。
【符号の説明】
【０５７５】
１０  CN情報復号部
１１  画像符号化装置
２０  CU復号部
３１  画像復号装置
４１  画像表示装置
【図１】
2018110600.tif 000003
【図２】
2018110600.tif 000004
【図３】
2018110600.tif 000005
【図４】
2018110600.tif 000006
【図５】
2018110600.tif 000007
【図６】
2018110600.tif 000008
【図７】
2018110600.tif 000009
【図８】
2018110600.tif 000010
【図９】
2018110600.tif 000011
【図１０】
2018110600.tif 000012
【図１１】
2018110600.tif 000013
【図１２】
2018110600.tif 000014
【図１３】
2018110600.tif 000015
【図１４】
2018110600.tif 000016
【図１５】
2018110600.tif 000017
【図１６】
2018110600.tif 000018
【図１７】
2018110600.tif 000019
【図１８】
2018110600.tif 000020
【図１９】
2018110600.tif 000021
【図２０】
2018110600.tif 000022
【図２１】
2018110600.tif 000023
【図２２】
2018110600.tif 000024
【図２３】
2018110600.tif 000025
【図２４】
2018110600.tif 000026
【図２５】
2018110600.tif 000027
【図２６】
2018110600.tif 000028
【図２７】
2018110600.tif 000029
【図２８】
2018110600.tif 000030
【図２９】
2018110600.tif 000031
【図３０】
2018110600.tif 000032
【図３１】
2018110600.tif 000033
【図３２】
2018110600.tif 000034
【図３３】
2018110600.tif 000035
【図３４】
2018110600.tif 000036
【図３５】
2018110600.tif 000037
【図３６】
2018110600.tif 000038
【図３７】
2018110600.tif 000039
【図３８】
2018110600.tif 000040
【図３９】
2018110600.tif 000041
【図４０】
2018110600.tif 000042
【図４１】
2018110600.tif 000043
【図４２】
2018110600.tif 000044
【図４３】
2018110600.tif 000045
【図４４】
2018110600.tif 000046
【図４５】
2018110600.tif 000047
【図４６】
2018110600.tif 000048
【図４７】
2018110600.tif 000049
【図４８】
2018110600.tif 000050
【図４９】
2018110600.tif 000051
【図５０】
2018110600.tif 000052
【図５１】
2018110600.tif 000053
【図５２】
2018110600.tif 000054
【図５３】
2018110600.tif 000055
【図５４】
2018110600.tif 000056
【図５５】
2018110600.tif 000057
【図５６】
2018110600.tif 000058
【図５７】
2018110600.tif 000059
【図５８】
2018110600.tif 000060
【図５９】
2018110600.tif 000061
【図６０】
2018110600.tif 000062
【図６１】
2018110600.tif 000063
【図６２】
2018110600.tif 000064
【図６３】
2018110600.tif 000065
【図６４】
2018110600.tif 000066
【図６５】
2018110600.tif 000067
【図６６】
2018110600.tif 000068
【図６７】
2018110600.tif 000069
【図６８】
2018110600.tif 000070
【図６９】
2018110600.tif 000071
【図７０】
2018110600.tif 000072
【図７１】
2018110600.tif 000073
【図７２】
2018110600.tif 000074
【図７３】
2018110600.tif 000075
【図７４】
2018110600.tif 000076
【図７５】
2018110600.tif 000077
【図７６】
2018110600.tif 000078
【図７７】
2018110600.tif 000079
【国際調査報告】
2018110600.tif 000080
2018110600.tif 000081
2018110600.tif 000082
2018110600.tif 000083
2018110600.tif 000084
2018110600.tif 000085
2018110600.tif 000086
2018110600.tif 000087